(57)【要約】【課題】視野角特性が向上した表示装置を提供する。隣接画素間の混色が抑制された表示装置を提供する。【解決手段】表示装置は、離間して設けられた第１の着色層及び第２の着色層と、これらの間に位置する構造体を有する構成とする。さらに、構造体は、第１の着色層の下面、または第２の着色層の下面の高さよりも表示面側に位置する部分を有する構成とする。【選択図】図１
2019185064.tif 000002
【特許請求の範囲】
【請求項１】
第１の基板と、前記第１の基板上に配置されたトランジスタと、前記トランジスタと電気的に接続された第１の導電層と、前記第１の導電層と接する絶縁層と、前記絶縁層と接する第２の導電層と、構造体と、液晶と、第１の着色層と、第２の着色層と、を有し、
前記第１の導電層は、前記液晶の配向を制御する一対の電極の一方として機能する領域を有し、
前記第２の導電層は、前記液晶の配向を制御する一対の電極の他方として機能する領域を有し、
前記構造体は、前記第１の着色層と前記第２の着色層との間の領域と重なる領域を有し、
前記トランジスタは、酸化物半導体層にチャネル形成領域を有し、
前記構造体は、前記チャネル形成領域と重なる領域を有する液晶表示装置。
【請求項２】
第１の基板と、前記第１の基板上に配置されたトランジスタと、前記トランジスタと電気的に接続された第１の導電層と、前記第１の導電層と接する絶縁層と、前記絶縁層と接する第２の導電層と、構造体と、液晶と、第１の着色層と、第２の着色層と、を有し、
前記第１の導電層は、前記液晶の配向を制御する一対の電極の一方として機能する領域を有し、
前記第２の導電層は、前記液晶の配向を制御する一対の電極の他方として機能する領域を有し、
前記構造体は、前記第１の着色層と前記第２の着色層との間の領域と重なる領域を有し、
前記トランジスタは、酸化物半導体層にチャネル形成領域を有し、
前記構造体は、前記チャネル形成領域と重なる領域を有し、
平面視において、前記第１の着色層及び前記第２の着色層は、第１の方向に延びた形状を有し、
平面視において、前記構造体は、前記第１の方向に延びた形状を有する液晶表示装置。
【請求項３】
第１の基板と、前記第１の基板上に配置されたトランジスタと、前記トランジスタと電気的に接続された第１の導電層と、前記第１の導電層と接する絶縁層と、前記絶縁層と接する第２の導電層と、構造体と、液晶と、第１の着色層と、第２の着色層と、を有し、
前記第１の導電層は、画素電極として機能する領域を有し、
前記第２の導電層は、共通電極として機能する領域を有し、
前記構造体は、前記第１の着色層と前記第２の着色層との間の領域と重なる領域を有し、
前記トランジスタは、酸化物半導体層にチャネル形成領域を有し、
前記構造体は、前記チャネル形成領域と重なる領域を有する液晶表示装置。
【請求項４】
第１の基板と、前記第１の基板上に配置されたトランジスタと、前記トランジスタと電気的に接続された第１の導電層と、前記第１の導電層と接する絶縁層と、前記絶縁層と接する第２の導電層と、構造体と、液晶と、第１の着色層と、第２の着色層と、を有し、
前記第１の導電層は、画素電極として機能する領域を有し、
前記第２の導電層は、共通電極として機能する領域を有し、
前記構造体は、前記第１の着色層と前記第２の着色層との間の領域と重なる領域を有し、
前記トランジスタは、酸化物半導体層にチャネル形成領域を有し、
前記構造体は、前記チャネル形成領域と重なる領域を有し、
平面視において、前記第１の着色層及び前記第２の着色層は、第１の方向に延びた形状を有し、
平面視において、前記構造体は、前記第１の方向に延びた形状を有する液晶表示装置。
【請求項５】
第１の基板と、前記第１の基板上に配置されたトランジスタと、前記トランジスタと電気的に接続された第１の導電層と、前記第１の導電層と接する絶縁層と、前記絶縁層と接する第２の導電層と、構造体と、液晶と、カラーフィルタと、を有し、
前記第１の導電層は、前記液晶の配向を制御する一対の電極の一方として機能する領域を有し、
前記第２の導電層は、前記液晶の配向を制御する一対の電極の他方として機能する領域を有し、
前記構造体は、前記カラーフィルタの第１の領域と第２の領域との間の領域と重なる領域を有し、
前記第１の領域は、第１の表示色に対応し、
前記第２の領域は、第２の表示色に対応し、
前記トランジスタは、酸化物半導体層にチャネル形成領域を有し、
前記構造体は、前記チャネル形成領域と重なる領域を有する液晶表示装置。
【請求項６】
第１の基板と、前記第１の基板上に配置されたトランジスタと、前記トランジスタと電気的に接続された第１の導電層と、前記第１の導電層と接する絶縁層と、前記絶縁層と接する第２の導電層と、構造体と、液晶と、カラーフィルタと、を有し、
前記第１の導電層は、前記液晶の配向を制御する一対の電極の一方として機能する領域を有し、
前記第２の導電層は、前記液晶の配向を制御する一対の電極の他方として機能する領域を有し、
前記構造体は、前記カラーフィルタの第１の領域と第２の領域との間の領域と重なる領域を有し、
前記第１の領域は、第１の表示色に対応し、
前記第２の領域は、第２の表示色に対応し、
前記トランジスタは、酸化物半導体層にチャネル形成領域を有し、
前記構造体は、前記チャネル形成領域と重なる領域を有し、
平面視において、前記第１の領域及び前記第２の領域は、第１の方向に延びた形状を有し、
平面視において、前記構造体は、前記第１の方向に延びた形状を有する液晶表示装置。
【請求項７】
第１の基板と、前記第１の基板上に配置されたトランジスタと、前記トランジスタと電気的に接続された第１の導電層と、前記第１の導電層と接する絶縁層と、前記絶縁層と接する第２の導電層と、構造体と、液晶と、カラーフィルタと、を有し、
前記第１の導電層は、画素電極として機能する領域を有し、
前記第２の導電層は、共通電極として機能する領域を有し、
前記構造体は、前記カラーフィルタの第１の領域と第２の領域との間の領域と重なる領域を有し、
前記第１の領域は、第１の表示色に対応し、
前記第２の領域は、第２の表示色に対応し、
前記トランジスタは、酸化物半導体層にチャネル形成領域を有し、
前記構造体は、前記チャネル形成領域と重なる領域を有する液晶表示装置。
【請求項８】
第１の基板と、前記第１の基板上に配置されたトランジスタと、前記トランジスタと電気的に接続された第１の導電層と、前記第１の導電層と接する絶縁層と、前記絶縁層と接する第２の導電層と、構造体と、液晶と、カラーフィルタと、を有し、
前記第１の導電層は、画素電極として機能する領域を有し、
前記第２の導電層は、共通電極として機能する領域を有し、
前記構造体は、前記カラーフィルタの第１の領域と第２の領域との間の領域と重なる領域を有し、
前記第１の領域は、第１の表示色に対応し、
前記第２の領域は、第２の表示色に対応し、
前記トランジスタは、酸化物半導体層にチャネル形成領域を有し、
前記構造体は、前記チャネル形成領域と重なる領域を有し、
平面視において、前記第１の領域及び前記第２の領域は、第１の方向に延びた形状を有し、
平面視において、前記構造体は、前記第１の方向に延びた形状を有する液晶表示装置。
【請求項９】
請求項１乃至請求項８のいずれか一において、
前記第２の導電層は、前記構造体と重なる領域を有し、
当該領域は、前記第１の導電層と重ならない領域を有する液晶表示装置。
【発明の詳細な説明】
【技術分野】
【０００１】
本発明の一態様は、表示装置に関する。
【０００２】
なお、本発明の一態様は、上記の技術分野に限定されない。本明細書等で開示する本発
明の一態様の技術分野としては、半導体装置、表示装置、発光装置、蓄電装置、記憶装置
、電子機器、照明装置、入力装置、入出力装置、それらの駆動方法、又はそれらの製造方
法、を一例として挙げることができる。
【０００３】
なお、本明細書等において、半導体装置とは、半導体特性を利用することで機能しうる
装置全般を指す。トランジスタ、半導体回路、演算装置、記憶装置等は半導体装置の一態
様である。また、撮像装置、電気光学装置、発電装置（薄膜太陽電池、有機薄膜太陽電池
等を含む）、及び電子機器は半導体装置を有している場合がある。
【背景技術】
【０００４】
有機ＥＬ（Ｅｌｅｃｔｒｏ  Ｌｕｍｉｎｅｓｃｅｎｃｅ）素子や、液晶素子が適用され
た表示装置が知られている。また、そのほかにも、発光ダイオード（ＬＥＤ：Ｌｉｇｈｔ
Ｅｍｉｔｔｉｎｇ  Ｄｉｏｄｅ）等の発光素子を備える発光装置、電気泳動方式などに
より表示を行う電子ペーパなども、表示装置の一例として挙げることができる。
【０００５】
有機ＥＬ素子の基本的な構成は、一対の電極間に発光性の有機化合物を含む層を挟持し
たものである。この素子に電圧を印加することにより、発光性の有機化合物から発光を得
ることができる。このような有機ＥＬ素子が適用された表示装置は、薄型、軽量、高コン
トラストで且つ低消費電力な表示装置を実現できる。
【０００６】
特許文献１には、有機ＥＬ素子が適用されたフレキシブルな発光装置が開示されている
。
【先行技術文献】
【特許文献】
【０００７】
【特許文献１】特開２０１４−１９７５２２号公報
【発明の概要】
【発明が解決しようとする課題】
【０００８】
表示装置の性能を示す指標の一つに、視野角特性がある。視野角特性が悪い場合には、
表示装置の表示面を斜めから見たときに、輝度の低下や色度の変化が視認されてしまう。
したがって、広い視野角が求められる用途では、表示装置の視野角特性の向上が求められ
る。
【０００９】
また、表示装置の高解像度化が求められており、そのため表示装置をより高精細にする
ことが求められている。家庭用のテレビジョン装置等の大型の機器に比べて、例えば携帯
電話、スマートフォン、タブレット端末等の比較的小型の携帯型情報端末機器では、解像
度を高めるために、より精細度を高める必要がある。
【００１０】
本発明の一態様は、視野角特性が向上した表示装置を提供することを課題の一とする。
または、隣接画素間の混色が抑制された表示装置を提供することを課題の一とする。また
は、精細度の高い表示装置を提供することを課題の一とする。または、厚さの薄い表示装
置を提供することを課題の一とする。または、製造しやすい表示装置を提供することを課
題の一とする。または、消費電力が低減した表示装置を提供することを課題の一とする。
または、信頼性の高い表示装置を提供することを課題の一とする。
【００１１】
なお、これらの課題の記載は、他の課題の存在を妨げるものではない。本発明の一態様
は、これらの課題の全てを解決する必要はないものとする。また、上記以外の課題は、明
細書等の記載から抽出することが可能である。
【課題を解決するための手段】
【００１２】
本発明の一態様は、第１の着色層と、第２の着色層と、構造体と、を有する表示装置で
ある。第１の着色層と第２の着色層とは、離間して設けられる。構造体は、第１の着色層
と第２の着色層との間に位置し、且つ、第１の着色層の下面、または第２の着色層の下面
の高さよりも表示面側に位置する部分を有する。
【００１３】
また、上記において、第１の着色層の厚さと、第２の着色層の厚さが異なることが好ま
しい。
【００１４】
また、上記第１の着色層と重なる第１の電極を有し、第１の電極と第１の着色層の間に
、第２の電極を有することが好ましい。このとき、第１の電極と第２の電極の間に、発光
性の物質を含む層を有し、第２の電極と第１の着色層との間の距離が、０μｍ以上２０μ
ｍ以下の領域を有することが好ましい。
【００１５】
また、上記第１の電極の端部を覆う絶縁層を有し、構造体は、絶縁層上に形成されてい
ることが好ましい。このとき、第２の電極は、構造体の上面を覆う部分を有することが好
ましい。
【００１６】
また、上記発光性の物質を含む層は、構造体と第２の電極の間に位置する部分を有する
ことが好ましい。また、構造体は、その断面において、その側面と底面が成す角が２５度
以上１５５度以下である部分を有することが好ましい。
【００１７】
また、上記発光性の物質を含む層は、構造体と第２の電極の間に位置し、且つ、第１の
電極と重なる部分の厚さよりも薄い部分を有することが好ましい。
【００１８】
また上記本発明の一態様の表示装置は、第１の着色層と重なる第３の電極を有し、第３
の電極と第１の着色層の間に、液晶を有する構成とすることもできる。
【００１９】
また、上記第３の電極と液晶の間にスリットを有する第４の電極を有することが好まし
い。このとき、第４の電極と第１の着色層との間の距離が、１μｍ以上２０μｍ以下の領
域を有することが好ましい。
【００２０】
または、上記第３の電極と第１の着色層の間に第５の電極を有し、液晶は、第３の電極
と第５の電極の間に位置することが好ましい。このとき、第３の電極と第１の着色層との
間の距離が、１μｍ以上２０μｍ以下の領域を有することが好ましい。
【発明の効果】
【００２１】
本発明の一態様によれば、視野角特性が向上した表示装置を提供できる。または、隣接
画素間の混色が抑制された表示装置を提供できる。または、精細度の高い表示装置を提供
できる。または、厚さの薄い表示装置を提供できる。または、製造しやすい表示装置を提
供できる。または、消費電力が低減した表示装置を提供できる。または、信頼性の高い表
示装置を提供できる。
【００２２】
なお、本発明の一態様は、必ずしもこれらの効果の全てを有する必要はない。なお、こ
れら以外の効果は、明細書、図面、請求項などの記載から抽出することが可能である。
【図面の簡単な説明】
【００２３】
【図１】実施の形態に係る、表示装置の構成例。
【図２】実施の形態に係る、表示装置の構成例。
【図３】実施の形態に係る、表示装置の構成例。
【図４】実施の形態に係る、表示装置の構成例。
【図５】実施の形態に係る、表示装置の構成例。
【図６】実施の形態に係る、表示装置の構成例。
【図７】実施の形態に係る、表示装置の構成例。
【図８】実施の形態に係る、表示装置の構成例。
【図９】実施の形態に係る、表示装置の構成例。
【図１０】実施の形態に係る、表示装置の構成例。
【図１１】実施の形態に係る、入力装置の構成例。
【図１２】実施の形態に係る、入力装置の構成例。
【図１３】実施の形態に係る、表示装置の構成例。
【図１４】実施の形態に係る、表示装置の構成例。
【図１５】実施の形態に係る、表示装置の構成例。
【図１６】実施の形態に係る、表示装置の構成例。
【図１７】実施の形態に係る、表示装置の構成例。
【図１８】実施の形態に係る、表示装置の構成例。
【図１９】実施の形態に係る、入力装置の駆動方法例を説明する図。
【図２０】実施の形態に係る、トランジスタの構成例。
【図２１】実施の形態に係る、トランジスタの構成例。
【図２２】実施の形態に係る、トランジスタの構成例。
【図２３】実施の形態に係る、表示モジュールを説明する図。
【図２４】実施の形態に係る、電子機器を説明する図。
【図２５】実施の形態に係る、電子機器を説明する図。
【図２６】実施の形態に係る、電子機器を説明する図。
【図２７】実施の形態に係る、電子機器を説明する図。
【図２８】実施の形態に係る、電子機器を説明する図。
【図２９】実施例に係る、断面観察像。
【図３０】試料のＸＲＤスペクトルの測定結果を説明する図。
【図３１】試料のＴＥＭ像、および電子線回折パターンを説明する図。
【図３２】試料のＥＤＸマッピングを説明する図。
【発明を実施するための形態】
【００２４】
実施の形態について、図面を用いて詳細に説明する。但し、本発明は以下の説明に限定
されず、本発明の趣旨及びその範囲から逸脱することなくその形態及び詳細を様々に変更
し得ることは当業者であれば容易に理解される。従って、本発明は以下に示す実施の形態
の記載内容に限定して解釈されるものではない。
【００２５】
なお、以下に説明する発明の構成において、同一部分又は同様な機能を有する部分には
同一の符号を異なる図面間で共通して用い、その繰り返しの説明は省略する。また、同様
の機能を指す場合には、ハッチパターンを同じくし、特に符号を付さない場合がある。
【００２６】
なお、本明細書で説明する各図において、各構成の大きさ、層の厚さ、または領域は、
明瞭化のために誇張されている場合がある。よって、必ずしもそのスケールに限定されな
い。
【００２７】
なお、本明細書等における「第１」、「第２」等の序数詞は、構成要素の混同を避ける
ために付すものであり、数的に限定するものではない。
【００２８】
（実施の形態１）
本実施の形態では、本発明の一態様の表示装置の構成例について説明する。
【００２９】
本発明の一態様の表示装置は、複数の画素を有するものである。各画素は表示素子と、
表示素子からの光を着色する着色層を有する。表示素子が有する電極の一つ（例えば画素
電極）と、着色層は、互いに対向して設けることができる。また、隣接する画素間におい
て、着色層は離間して配置されている。
【００３０】
また、隣接する画素間において、２つの着色層の間に位置する構造体を有する。構造体
は、例えばそれぞれ異なる色に対応する２つの画素間に配置することができる。
【００３１】
表示装置は、例えば一対の基板の間に表示素子、着色層、及び構造体が挟持された構成
とすることができる。例えば一方の基板には表示素子の電極等が設けられ、他方の基板に
は、着色層等が設けられ、これらが接着層等により貼り合わされた構成とすることができ
る。ここで、構造体はどちらの基板側に形成されていてもよい。
【００３２】
構造体は、一対の基板が必要以上に接近することを抑制するスペーサとしての機能を有
していてもよい。また構造体は、隣接画素の混色を抑制する機能を有していてもよい。例
えば表示素子にＥＬ素子を適用した場合において、隣接するＥＬ素子間のリーク電流を抑
制することで、隣接画素間の混色を抑制する機能を、構造体が有していてもよい。
【００３３】
また、構造体の一部が、着色層の表示素子側の面（下面）よりも上側、すなわち表示面
側に位置するような構成とすることが好ましい。言い換えると、離間した２つの着色層の
間に、構造体が嵌合するように配置された構成とすることが好ましい。ただし、着色層と
構造体とは接している必要はなく、これらの間に空間や、接着層などが介在していてもよ
い。
【００３４】
このような構成とすることで、一対の基板の距離を極めて小さくすることができる。ま
た表示素子と着色層との距離、より具体的には、表示素子が有する一対の電極の少なくと
も一方と着色層との距離を、限りなく近づけることが可能となる。これにより、視野角特
性を向上させることができる。また表示素子からの光のうち、斜め方向に射出される光も
効率的に取り出すことができるため、消費電力も低減することができる。また厚さの薄い
表示装置を実現できる。
【００３５】
表示素子としては、ＬＥＤやＯＬＥＤ（Ｏｒｇａｎｉｃ  Ｌｉｇｈｔ  Ｅｍｉｔｔｉｎ
ｇ  Ｄｉｏｄｅ）、またはＱＬＥＤ（Ｑｕａｎｔｕｍ−ｄｏｔ  Ｌｉｇｈｔ  Ｅｍｉｔｔ
ｉｎｇ  Ｄｉｏｄｅ）等の発光素子や、液晶素子等の光学素子など、電流又は電圧によっ
て素子が発する光、または素子を介して射出される光の輝度が制御される素子を用いるこ
とができる。
【００３６】
そのほかにも、表示素子としてＭＥＭＳ（Ｍｉｃｒｏ  Ｅｌｅｃｔｒｏ  Ｍｅｃｈａｎ
ｉｃａｌ  Ｓｙｓｔｅｍｓ）素子や、電子放出素子、そのほかの光学素子などを用いるこ
とができる。ＭＥＭＳを用いた表示素子としては、シャッター方式のＭＥＭＳ表示素子、
光干渉方式のＭＥＭＳ表示素子などが挙げられる。電子放出素子としては、カーボンナノ
チューブを用いてもよい。また、そのほかの光学素子として、マイクロカプセル方式、電
気泳動方式、エレクトロウェッティング方式、電子粉流体（登録商標）方式等を適用した
素子を用いることができる。
【００３７】
以下では、より具体的な構成例について、図面を参照して説明する。
【００３８】
［構成例１］
図１（Ａ）は、本発明の一態様の表示装置１０の斜視概略図である。表示装置１０は、
基板２１と基板３１とが貼り合わされた構成を有する。図１（Ａ）では、基板３１を破線
で明示している。
【００３９】
表示装置１０は、表示部３２、回路３４、配線３５等を有する。基板２１には、例えば
回路３４、配線３５、及び表示部３２に含まれ、画素電極として機能する導電層２３等が
設けられる。また図１（Ａ）では基板２１上にＩＣ４３とＦＰＣ４２が実装されている例
を示している。
【００４０】
回路３４は、例えば走査線駆動回路として機能する回路を用いることができる。
【００４１】
配線３５は、表示部３２や回路３４に信号や電力を供給する機能を有する。当該信号や
電力は、ＦＰＣ４２を介して外部から、またはＩＣ４３から、配線３５に入力される。
【００４２】
また、図１（Ａ）では、ＣＯＧ（Ｃｈｉｐ  Ｏｎ  Ｇｌａｓｓ）方式等により、基板２
１にＩＣ４３が設けられている例を示している。ＩＣ４３は、例えば走査線駆動回路、ま
たは信号線駆動回路などとしての機能を有するＩＣを適用できる。なお表示装置１０が走
査線駆動回路及び信号線駆動回路として機能する回路を備える場合や、走査線駆動回路や
信号線駆動回路として機能する回路を外部に設け、ＦＰＣ４２を介して表示装置１０を駆
動するための信号を入力する場合などでは、ＩＣ４３を設けない構成としてもよい。また
、ＩＣ４３を、ＣＯＦ（Ｃｈｉｐ  Ｏｎ  Ｆｉｌｍ）方式等により、ＦＰＣ４２に実装し
てもよい。
【００４３】
図１（Ａ）には、表示部３２の一部の拡大図を示している。表示部３２には、複数の表
示素子が有する導電層２３がマトリクス状に配置されている。導電層２３は、例えば画素
電極として機能する。また、隣接する２つの導電層２３の間に、構造体１１が配置されて
いる。ここで構造体１１は、異なる色に対応する２つの画素が有する２つの導電層２３の
間に配置されていることが好ましい。また、構造体１１は同じ色に対応する２つの画素が
有する導電層２３の間に配置されていてもよい。
【００４４】
［断面構成例１］
〔断面構成例１−１〕
図１（Ｂ）に、図１（Ａ）中の切断線Ａ１−Ａ２に対応する断面の一例を示す。図１（
Ｂ）には、隣接する２つの画素（副画素）を含む領域の断面を示している。またここでは
、表示素子として、トップエミッション構造の発光素子４０を適用した場合の例を示して
いる。したがって、基板３１側が表示面側となる。
【００４５】
表示装置１０は、基板２１と基板３１とが接着層３９で貼り合わされた構成を有してい
る。発光素子４０は、接着層３９によって封止されているともいえる。
【００４６】
基板２１上には、トランジスタ７０、発光素子４０、構造体１１等が設けられている。
また基板２１上には、絶縁層７３、絶縁層８１、絶縁層８２等が設けられている。一方、
基板３１の基板２１と対向する面側には、着色層５１ａ、着色層５１ｂ、及び遮光層５２
等が設けられている。
【００４７】
着色層５１ａと着色層５１ｂは、それぞれ離間して設けられている。遮光層５２は、着
色層５１ａと着色層５１ｂの間に設けられている。ここで、図１（Ｂ）に示すように、遮
光層５２と着色層５１ａは、これらの一部が重畳するように配置されていることが好まし
い。また遮光層５２と着色層５１ｂも同様である。
【００４８】
トランジスタ７０は、ゲートとして機能する導電層７１、半導体層７２、ゲート絶縁層
として機能する絶縁層７３、ソース又はドレインの一方として機能する導電層７４ａ、ソ
ース又はドレインの他方として機能する導電層７４ｂ等を有する。
【００４９】
トランジスタ７０を覆って絶縁層８１が設けられている。また絶縁層８１上に導電層２
３が設けられている。導電層２３と導電層７４ｂとは、絶縁層８１に設けられた開口を介
して電気的に接続している。導電層２３の一部は画素電極として機能する。
【００５０】
導電層２３の端部を覆って絶縁層８２が設けられている。絶縁層８２はテーパ形状を有
していることが好ましい。
【００５１】
構造体１１は、絶縁層８２上に設けられている。構造体１１は、平面視において隣接す
る２つの発光素子４０の間に位置する。また構造体１１は、平面視において隣接する２つ
の着色層（着色層５１ａ及び着色層５１ｂ）の間に位置する部分を有する。また構造体１
１は、平面視において遮光層５２の一部と重なるように配置されていることが好ましい。
【００５２】
導電層２３上には、ＥＬ層２４、及び導電層２５が設けられ、発光素子４０を構成して
いる。導電層２５の一部は、発光素子４０の共通電極として機能する。発光素子４０は、
導電層２３と導電層２５に電位差を生じさせ、ＥＬ層２４に電流を流すことにより発光す
る。
【００５３】
図１（Ｂ）では、ＥＬ層２４と導電層２５を、複数の画素に亘って形成した場合の例を
示している。ＥＬ層２４は、導電層２３の露出した部分以外に、絶縁層８２、及び構造体
１１を覆って設けられている。また、導電層２５は、ＥＬ層２４を覆って設けられている
。
【００５４】
図１（Ｂ）において、構造体１１は、着色層５１ａ及び着色層５１ｂの発光素子４０側
の面（下面）よりも上側に位置する部分を有する。これにより、着色層５１ａと着色層５
１ｂの間に構造体１１が嵌合するように配置された構成とすることができる。このとき、
着色層５１ａ、着色層５１ｂ、または遮光層５２と、構造体１１（または構造体１１を覆
って設けられる導電層２５の表面）とは必ずしも接して設けられる必要はなく、図１（Ｂ
）に示すように、これらの間に接着層３９が設けられていてもよい。
【００５５】
このような構成とすることで、基板２１と基板３１の距離を極めて小さいものとするこ
とができる。発光素子４０からの光が遮光層５２の開口を介して射出される際に、遮光層
５２と発光素子４０の距離が近いほど、より広い角度で光を射出することが可能となる。
したがって、視野角特性が向上した表示装置を実現できる。
【００５６】
また、発光素子４０と着色層５１ａとの距離を極めて近いものとすることが可能となる
。したがって発光素子４０が表示面側に発する光のほとんどが着色層５１ａに入射するこ
ととなる。このとき、発光素子４０から隣接する画素の着色層（例えば着色層５１ｂ）に
向かって斜め方向に射出される光があった場合、当該光はまず着色層５１ａによって特定
の色以外の光が吸収されるため、着色層５１ｂを介して外に射出されることが無くなる。
そのため隣接画素間での混色が極めて低減され、表示面を斜め方向から見たときの色度の
変化を抑制することができる。
【００５７】
比較として、図２（Ａ）には、隣接する２つの画素間で、着色層を重ねて配置すること
で隣接画素間の混色を抑制した場合の例を示している。図２（Ａ）では、着色層５１ａ、
着色層５１ｂに加えて着色層５１ｃの一部を明示している。また図２（Ｂ）には、図２（
Ａ）において構造体１１を設けずに、基板３１と基板２１の距離を小さくした場合の例を
示している。
【００５８】
図２（Ａ）、（Ｂ）に示す構成では、２つの着色層が重なった部分を隣接画素間に設け
ることで、隣接画素間の混色を抑制することができる。しかしながら、基板２１と基板３
１の距離は、２つの着色層が重なった部分の厚さによって制限され、着色層を重ねない構
成に比べて基板間の距離を十分に小さくすることが困難となる。一方、図１（Ｂ）で例示
した構成では、着色層を離間して設け、構造体１１をその間に嵌合するように配置するこ
とで混色を抑制するため、基板間の距離を極めて小さいものとすることができる。したが
って、図２（Ａ）、（Ｂ）で例示した構成に比べて、図１（Ｂ）で例示した構成では、斜
め方向から見たときの輝度の変化を効果的に低減することができる。
【００５９】
構造体１１は、基板２１と基板３１が必要以上に接近することを抑制するためのスペー
サとしての機能を有していてもよい。そのため、構造体１１の表面、または構造体１１を
覆う層（導電層２５など）の表面が、遮光層５２などの基板３１に設けられた構造物と接
していてもよい。
【００６０】
また、構造体１１が可視光の少なくとも一部を吸収する機能を有していてもよい。これ
により、構造体１１を介して隣接する画素の着色層に向かって斜め方向に射出される光の
一部を吸収し、隣接画素間における混色をより効果的に抑制することができる。構造体１
１に、着色層５１ａまたは着色層５１ｂや、遮光層５２と同様の材料を用いてもよい。
【００６１】
なお、ここでは、表示装置１０が能動素子としてトランジスタ７０等を有するアクティ
ブマトリクス型の表示装置の場合について説明するが、能動素子を有さないパッシブマト
リクス型の表示装置とすることもできる。その場合、トランジスタ７０を設けずに、例え
ば導電層２３と基板２１の間に位置する要素を省略した構成とすることができる。
【００６２】
図３（Ａ）は、図１（Ｂ）中の一点鎖線で囲った領域の拡大図を示す。
【００６３】
図３（Ａ）に示すように、構造体１１の最も高い（厚い）部分の高さを高さｈ１とする
。また着色層５１ａの下面の最も低い部分の高さを高さｈ２とする。また構造体１１上の
導電層２５の最も高い部分の高さを高さｈ３とする。また着色層５１ａの上面の最も高い
部分の高さを高さｈ４とする。高さｈ４は、着色層５１ａの被形成面の高さと言い換える
こともできる。また導電層２３の上面の高さを高さｈ５とする。また導電層２３と重なる
部分における、導電層２５の上面の高さを高さｈ６とする。ここで、ある部分の高さは、
例えば基板２１表面からの距離などと言い換えることもできる。
【００６４】
ここで、図３（Ａ）に示すように、構造体１１の高さｈ１が、着色層５１ａの下面の高
さｈ２よりも高くなるように、構造体１１を形成する。またこの時、構造体１１上の導電
層２５の上面の高さｈ３も同様に、高さｈ２よりも高くなるように、導電層２５を形成す
る。ここで、導電層２５の上面の一部と遮光層５２の下面の一部が接していてもよい。
【００６５】
基板２１の表面に垂直な方向における、導電層２５の上面と着色層５１ａの下面の間の
距離を距離ｄ１とする。すなわち距離ｄ１は、高さｈ２から高さｈ６を引いた値に等しい
。距離ｄ１が小さければ小さいほど、隣接画素間での混色を低減することができる。距離
ｄ１は、例えば０μｍ以上２０μｍ以下、好ましくは０μｍ以上１０μｍ以下、より好ま
しくは０μｍ以上５μｍ以下とすることができる。距離ｄ１が０μｍのとき、導電層２５
と着色層５１ａが接していることを意味する。
【００６６】
また基板２１の表面に垂直な方向における、導電層２５の上面と着色層５１ａの被形成
面の間の距離を距離ｄ２とする。すなわち距離ｄ２は、高さｈ４から高さｈ６を引いた値
に等しく、また距離ｄ１に着色層５１ａの厚さを足した値に等しい。距離ｄ２が小さいほ
ど、表示面を斜め方向から見たときの輝度の低下を抑制することができる。着色層５１ａ
の厚さは、例えば１００ｎｍ以上５μｍ以下、好ましくは２００ｎｍ以上４μｍ以下、よ
り好ましくは５００ｎｍ以上３μｍ以下とすればよい。
【００６７】
ここで、ＡとＢの距離がｘ以上ｙ以下であると言う場合、観察した範囲内において、Ａ
とＢの間隔がｘ以上ｙ以下の範囲に収まる部分を有していればよい。
【００６８】
基板２１の表面に垂直な方向における、導電層２３の上面と着色層５１ａの下面の間の
距離を距離ｄ３とする。すなわち距離ｄ３は、高さｈ２から高さｈ５を引いた値に等しく
、また距離ｄ１にＥＬ層２４と導電層２５の各々の厚さを足した値に等しい。なおマイク
ロキャビティ構造を実現するための光学調整層を設ける場合には、当該光学調整層の厚さ
はＥＬ層２４の厚さに含まれるものとする。距離ｄ３が小さいほど、隣接画素間での混色
を低減することができる。ＥＬ層２４の厚さは、発光素子４０の構成や形成方法に応じて
最適なものとすればよいが、例えば２０ｎｍ以上１μｍ以下の厚さとすることができる。
また、導電層２５の厚さは、その材料や必要な抵抗値の値に応じて最適なものとすればよ
いが、例えば０．３ｎｍ以上１μｍ以下の厚さとすることができる。
【００６９】
導電層２３の上面と着色層５１ａの下面の間の距離ｄ３は、例えば２０ｎｍ以上２２μ
ｍ以下、好ましくは２０ｎｍ以上２０μｍ以下、より好ましくは２０ｎｍ以上１０μｍ以
下、さらに好ましくは２０ｎｍ以上５μｍ以下とすることができる。
【００７０】
また基板２１の表面に垂直な方向における、導電層２３の上面と着色層５１ａの被形成
面の間の距離を距離ｄ４とする。すなわち距離ｄ４は、高さｈ４から高さｈ５を引いた値
に等しく、また距離ｄ３に着色層５１ａの厚さを足した値に等しい。距離ｄ４が小さいほ
ど、表示面を斜め方向から見たときの輝度の低下を抑制することができる。
【００７１】
続いて、構造体１１の形状について説明する。図３（Ａ）中に示すように、構造体１１
のテーパ角をテーパ角θとする。ここで、構造体１１のテーパ角とは、構造体１１の端部
における、その底面（被形成面と接する面）と、その側面の角度を言う。テーパ角は、０
度より大きく、１８０度未満である。ここで、テーパ角が９０度以下の場合を順テーパ、
９０度よりも大きい場合を逆テーパと呼ぶことがある。
【００７２】
構造体１１のテーパ角θは、２５度以上１５５度以下、好ましくは３０度以上１５０度
以下、より好ましくは、３５度以上１４５度以下とすることが好ましい。
【００７３】
ここで、図１（Ｂ）や図３（Ａ）に示すように、ＥＬ層２４を複数の画素に亘って形成
した場合、ＥＬ層２４が導電性の高い層を有すると、当該導電性の高い層を介して隣接画
素の発光素子４０に電流が流れてしまう場合がある。または、ＥＬ層２４がドナー性の物
質とアクセプタ性の物質の両方を含む層を有する場合も同様である。その結果、本来発光
しない隣接の画素の発光素子４０が発光することにより、色再現性が低下してしまうとい
った問題がある。このような現象をクロストークとも呼ぶことができる。
【００７４】
構造体１１のテーパ角θを上述の範囲とすることで、構造体１１を覆って形成されるＥ
Ｌ層２４に、部分的に薄い箇所を形成することができる。特にＥＬ層２４の構造体１１の
側面を覆う部分を、構造体１１の上面を覆う部分や、導電層２３上の部分よりも薄く形成
することができる。特に構造体１１が逆テーパ形状である場合には、ＥＬ層２４を分断す
ることもできる。このような構造体１１を設けることにより、ＥＬ層２４が導電性の高い
層や、ドナー性の物質とアクセプタ性の物質の両方を含む層を有していた場合であっても
、当該層を介して隣接画素に流れてしまう電流を低減できるため、クロストークを抑制す
ることができる。
【００７５】
図３（Ｂ）、（Ｃ）、（Ｄ）には、構造体１１と、構造体１１を覆って設けられたＥＬ
層２４及び導電層２５の断面の例を示している。
【００７６】
図３（Ｂ）に示す構造体１１は順テーパ構造を有し、ＥＬ層２４の構造体１１の端部を
覆う部分が薄くなっている様子を示している。
【００７７】
図３（Ｃ）に示す構造体１１は逆テーパ形状を有し、ＥＬ層２４の構造体１１の端部を
覆う部分が薄くなっている様子を示している。
【００７８】
図３（Ｄ）では、構造体１１の端部が連続した曲率を有し、ＥＬ層２４の構造体１１の
端部を覆う部分が薄くなっている様子を示している。図３（Ｄ）に示すように構造体１１
の端部が連続した曲率を有している場合、構造体１１の側面において、最も構造体１１の
底面との角度が大きい角度を、構造体１１のテーパ角θとみなすことができる。
【００７９】
なお、絶縁層８２と構造体１１に適用する材料によっては、断面観察においてこれらの
境界を判別することが難しい場合がある。また、絶縁層８２と構造体１１に同一の材料を
用いた場合や、ハーフトーンマスクやグレートーンマスク等を用いた露光技術、または多
重露光技術などを用い、同一の膜から絶縁層８２と構造体１１を形成した場合などでは、
これらの境界が実質的に存在しない場合がある。その場合には、上方に突出した部分を構
造体１１とし、それ以外の部分を絶縁層８２とみなすことができる。図３（Ｄ）では一例
として、絶縁層８２と構造体１１の界面が存在しない場合の例を示しており、これらの境
界とみなすことのできる線の例を破線で示している。
【００８０】
また、構造体１１が逆テーパ形状の場合、図３（Ｅ）に示すように、構造体１１を覆う
ＥＬ層２４が構造体１１の側面近傍で分断される場合がある。この時、構造体１１を覆う
導電層２５は、構造体１１の側面近傍で薄膜化してもよいが、分断されることなく形成さ
れていることが好ましい。これにより、構造体１１の側面近傍においてもＥＬ層２４が露
出することなく、導電層２５で覆うことができるため、信頼性を向上させることができる
。
【００８１】
以上が断面構成例１−１についての説明である。
【００８２】
以下では、上記断面構成例１−１とは構成の一部が異なる例について説明する。
【００８３】
〔断面構成例１−２〕
図４（Ａ）には、図１（Ｂ）と比較し、着色層５１ｂの厚さが着色層５１ａよりも薄い
場合の例を示している。
【００８４】
着色層５１ａの下面は、構造体１１の上面よりも低く位置し、着色層５１ｂの下面は、
構造体１１の上面よりも高く位置している。このように、画素によって着色層の厚さが異
なる場合では、構造体１１は少なくとも一つの着色層の下面よりも上側に位置する部分を
有していればよい。
【００８５】
〔断面構成例１−３〕
図４（Ｂ）には、図１（Ｂ）と比較し、ＥＬ層２４を画素毎に作り分けた場合の例を示
している。図４（Ｂ）に示す構成では、着色層５１ａと重なる部分にＥＬ層２４ａが設け
られ、着色層５１ｂと重なる部分にＥＬ層２４ｂが設けられている。ＥＬ層２４ａとＥＬ
層２４ｂは、互いに異なる色の発光を呈する発光性の物質を含む層を有している。また導
電層２５は、隣接画素間に亘って設けられ、その一部が構造体１１を覆って設けられてい
る。なお、ＥＬ層２４ａ及びＥＬ層２４ｂは、隣接する同色の画素間では分断されずに形
成されていてもよい。
【００８６】
このように、ＥＬ層を作り分けた場合であっても、さらに着色層を有することで極めて
色再現性が高められた表示装置とすることができる。
【００８７】
またこのとき、構造体１１は、ＥＬ層２４ａ及びＥＬ層２４ｂを成膜する際に用いるマ
スク（メタルマスク）が、ＥＬ層２４ａまたはＥＬ層２４ｂの被形成面に接することを防
ぐスペーサとしての機能を有していていもよい。
【００８８】
〔断面構成例１−４〕
図４（Ｃ）には、ＥＬ層２４及び導電層２５を画素毎に作り分けた場合の例を示してい
る。
【００８９】
ここで図４（Ｃ）では、構造体１１の表面に撥液性を有する部分１１ａを有する場合の
例を示している。これにより、ＥＬ層２４や導電層２５をインクジェット法、ディスペン
ス法、またはスクリーン印刷などの液状の材料を用いて形成する方法を用いた場合に、構
造体１１を越えて隣接画素にＥＬ層２４や導電層２５の材料が広がってしまうことを抑制
できる。その結果、図４（Ｃ）に示すように、ＥＬ層２４及び導電層２５は、２つの構造
体１１の内側に位置するように設けられる。
【００９０】
なお、ここではＥＬ層２４と導電層２５の両方を画素毎に作り分けた例を示したが、導
電層２５を蒸着法やスパッタリング法などにより、隣接する画素に亘って形成してもよい
。
【００９１】
またＥＬ層２４は、隣接する同色の画素間では分断されずに形成されていてもよい。ま
た導電層２５は、図４（Ｃ）の奥行き方向において、隣接画素間で分断されずに形成され
ていることが好ましい。
【００９２】
〔断面構成例１−５〕
図５（Ａ）には、構造体１１上の導電層２５と遮光層５２が接している例を示している
。表示部３２内に、部分的に導電層２５の一部と遮光層５２が接していてもよいし、表示
部３２の全域において、これらが接していてもよい。表示部３２の全域でこれらが接して
いると、基板３１と基板２１の距離にばらつきが生じにくくなるため表示ムラが低減でき
る。
【００９３】
〔断面構成例１−６〕
図５（Ｂ）は、遮光層５２が着色層５１ａの端部を覆って設けられている例を示してい
る。このような構成とすることで、着色層５１ａを通って隣接画素に向かって進行する光
を効果的に抑制できる。
【００９４】
〔断面構成例１−７〕
図５（Ｃ）は、トランジスタ７０に代えて、単結晶基板９１の一部を半導体層に用いた
トランジスタ９０を適用した場合の例を示している。
【００９５】
図５（Ｃ）に示すトランジスタ９０は、チャネル領域９２、ソース又はドレインの一方
として機能する低抵抗領域９４ａ、ソース又はドレインの他方として機能する低抵抗領域
９４ｂ、ゲート絶縁層として機能する絶縁層７３、ゲートとして機能する導電層７１等を
有している。チャネル領域９２、低抵抗領域９４ａ及び低抵抗領域９４ｂは、単結晶基板
９１に形成されている。また単結晶基板９１には、素子を分離するための分離層９７が設
けられている。
【００９６】
またトランジスタ９０を覆って絶縁層８１ａ、絶縁層８１ｂ、及び絶縁層８１ｃが設け
られている。また絶縁層８１ａ上に導電層９６を有し、導電層９６と低抵抗領域９４ａま
たは低抵抗領域９４ｂとは、絶縁層８１ａに埋め込まれた接続層９５ａを介して接続して
いる。また絶縁層８１ｃ上に導電層２３を有し、導電層２３と導電層９６とは、絶縁層８
１ｃに埋め込まれた接続層９５ｂを介して接続している。また導電層９６は絶縁層８１ｂ
に埋め込まれるように形成され、これらの表面が平坦化されている。
【００９７】
このような構成とすることで、単結晶基板９１上に微細な画素を形成できるため、極め
て高精細な表示装置を実現できる。
【００９８】
〔断面構成例１−８〕
図６（Ａ）には、構造体１１が基板３１側に設けられた場合の例を示している。
【００９９】
図６（Ａ）に示す構造体１１は、その下面の高さが、着色層５１ａ及び着色層５１ｂの
下面の高さよりも基板３１側に位置するように設けられている。
【０１００】
また、着色層５１ａ及び着色層５１ｂは、絶縁層８２の開口よりも内側に位置するよう
に設けられていることが好ましい。これにより、着色層５１ａ及び着色層５１ｂと、発光
素子４０との距離をより小さくすることができる。
【０１０１】
また、構造体１１は、絶縁層８２と重なる位置に設けられている。構造体１１と導電層
２５とは接していてもよいし、これらの間に接着層３９が位置していていもよい。
【０１０２】
〔断面構成例１−９〕
図６（Ｂ）には、図６（Ａ）と比較し、ＥＬ層２４を画素毎に作り分けた場合の例を示
している。ＥＬ層２４ａは着色層５１ａと重ねて設けられ、ＥＬ層２４ｂは着色層５１ｂ
と重ねて設けられている。また導電層２５は、隣接する画素に亘って設けられている。
【０１０３】
また図６（Ｂ）では、絶縁層８２と重なる領域において、構造体１１の一部と導電層２
５の一部が接している場合の例を示している。
【０１０４】
〔断面構成例１−１０〕
図６（Ｃ）には、ＥＬ層２４及び導電層２５を画素毎に作り分けた場合の例を示してい
る。
【０１０５】
またここでは、絶縁層８２の表面に撥液性を有する部分８２ａを有し、ＥＬ層２４ａ、
ＥＬ層２４ｂ及び導電層２５が絶縁層８２の開口の内側に位置している場合の例を示して
いる。
【０１０６】
また、図６（Ｃ）では構造体１１の一部と絶縁層８２の一部が接して設けられている例
を示している。
【０１０７】
〔断面構成例１−１１〕
図７（Ａ）は、表示素子に液晶素子６０を適用した場合の例を示している。液晶素子６
０は、導電層６１と、液晶６２と、導電層６３を有する。図７（Ａ）に示す液晶素子６０
は、ＶＡ（Ｖｅｒｔｉｃａｌ  Ａｌｉｇｎｍｅｎｔ）モードが適用された透過型の液晶素
子である。
【０１０８】
絶縁層８１上に、導電層６１が設けられている。導電層６１は絶縁層８１の開口を介し
てトランジスタ７０の導電層７４ａと電気的に接続している。
【０１０９】
基板３１側において、着色層５１ａ、着色層５１ｂ、及び遮光層５２を覆って絶縁層６
４が設けられている。絶縁層６４は、着色層５１ａ、着色層５１ｂまたは遮光層５２に含
まれる不純物が液晶６２に拡散することを抑制する機能を有していてもよい。
【０１１０】
導電層６３は、絶縁層６４を覆って設けられている。液晶素子６０は、導電層６１と導
電層６３の間に液晶６２が挟持された構造を有している。
【０１１１】
ここで、絶縁層６４は着色層５１ａと着色層５１ｂの間において、その上面が着色層５
１ａの下面よりも上側（基板３１側）に位置する部分を有することが好ましい。すなわち
、絶縁層６４の表面は、着色層５１ａと着色層５１ｂの間の領域で凹んだ部分を有するこ
とが好ましい。また、基板２１側に配置された構造体１１は、絶縁層６４の凹部に嵌合す
るように配置されている。このような構成により、基板２１側に配置された構造体１１を
、隣接する２つの着色層の間に嵌合するように配置することができる。したがって、絶縁
層６４の表面が平坦な場合に比べて、基板２１と基板３１との距離を小さくすることが可
能であり、視野角特性を向上させることができる。
【０１１２】
構造体１１は、基板２１と基板３１の距離を所定の距離に保つためのスペーサとして機
能する。構造体１１により、液晶素子６０における導電層６１と導電層６３の距離を最適
な距離に制御することができる。
【０１１３】
なお、ここでは図示しないが、導電層６１と液晶６２の間、及び導電層６３と液晶６２
の間には、液晶６２の配向を制御する配向膜が設けられていてもよい。
【０１１４】
ここで、導電層６１の上面と、着色層５１ａ等の下面の間の距離が、図３（Ａ）で例示
した距離ｄ３に対応する。当該距離は、液晶素子６０の構成によって最適なものとすれば
よいが、例えば１μｍ以上２０μｍ以下、好ましくは１．５μｍ以上１０μｍ以下、より
好ましくは２μｍ以上５μｍ以下とすることができる。
【０１１５】
〔断面構成例１−１２〕
図７（Ｂ）には、表示素子にＦＦＳ（Ｆｒｉｎｇｅ  Ｆｉｅｌｄ  Ｓｗｉｔｃｈｉｎｇ
）モードが適用された液晶素子６０を用いた場合の例を示している。液晶素子６０を構成
する導電層６１及び導電層６３は、いずれも基板２１側に設けられている。
【０１１６】
絶縁層８１上に導電層６１が設けられ、導電層６１を覆って絶縁層６５が設けられてい
る。また絶縁層６５上に、導電層６３が設けられている。導電層６３は、櫛状の上面形状
、または１以上の開口部（スリット）が設けられた上面形状を有する。
【０１１７】
導電層６１はトランジスタ７０と電気的に接続され、画素電極として機能する。また絶
縁層６５を介して導電層６１上に設けられる導電層６３は、共通電極として機能する。な
お、導電層６３を絶縁層６５及び絶縁層８１に設けられた開口を介してトランジスタ７０
の導電層７４ａと電気的に接続させ、画素電極として機能させてもよい。このとき導電層
６１を隣接画素間に亘って設け、共通電極として用いることができる。
【０１１８】
図７（Ａ）、（Ｂ）において、導電層６１に可視光を透過する材料を用いることで透過
型の液晶素子とすることができる。また導電層６１及び導電層６３の両方に、可視光を透
過する導電性材料を用いると、開口率をより高めることができるため好ましい。
【０１１９】
なお、反射型の液晶素子とする場合には、導電層６１及び導電層６３のいずれか、また
は両方に、可視光を反射する材料を用いればよい。これらの両方に可視光を反射する材料
を用いると開口率を高めることができる。また、導電層６１及び導電層６３の一方に可視
光を反射する材料を用い、他方に可視光を透過する材料を用いてもよい。
【０１２０】
または、導電層６１に可視光を反射する材料を用い、導電層６３に可視光を透過する材
料を用いることで、半透過型の液晶素子を実現してもよい。このとき、導電層６１で反射
した光を用いる反射モードと、導電層６１に設けられたスリットを介して透過するバック
ライトからの光を用いる透過モードと、を切り替えることができる。
【０１２１】
また、図７（Ａ）、（Ｂ）には示さないが、基板２１の外側または基板３１の外側にバ
ックライトを配置することができる。また基板２１の外側と基板３１の外側に、それぞれ
偏光板を配置することができる。
【０１２２】
ここで、導電層６３の上面と、着色層５１ａ等の下面の間の距離が、図３（Ａ）で例示
した距離ｄ３に対応する。当該距離は、液晶素子６０の構成によって最適なものとすれば
よいが、例えば１μｍ以上２０μｍ以下、好ましくは１．５μｍ以上１０μｍ以下、より
好ましくは２μｍ以上５μｍ以下とすることができる。
【０１２３】
［構造体の配置方法例］
図８（Ａ）〜（Ｆ）に、表示部３２の一部を表示面側から見たときの拡大図を示す。こ
こでは、最も表示面側に遮光層５２を有し、その下部に着色層５１ａ、着色層５１ｂ、及
び着色層５１ｃが設けられ、それよりも下部に導電層２３及び構造体１１が設けられてい
る例を示している。構造体１１及び導電層２３等は破線で示している。
【０１２４】
図８（Ａ）乃至（Ｄ）では、着色層５１ａ、着色層５１ｂ、及び着色層５１ｃ並びに遮
光層５２がそれぞれストライプ状に配置されている例を示している。遮光層５２と各着色
層とは、互いに重なる部分を有する。
【０１２５】
図８（Ａ）は島状の構造体１１が、２つの導電層２３の間に配置されている例を示して
いる。構造体１１は遮光層５２と重ねて配置されている。
【０１２６】
図８（Ａ）は、構造体１１が、導電層２３の長手方向の長さよりも長い例である。図８
（Ｂ）は、構造体１１が、導電層２３の長手方向の長さよりも短い例である。図８（Ｃ）
は、構造体１１が、ドット状の形状を有している場合の例である。図８（Ｄ）は、構造体
１１が、遮光層５２等と同様にストライプ状に配置されている場合の例である。
【０１２７】
図８（Ｅ）、（Ｆ）には、遮光層５２が格子状の形状を有する場合の例を示している。
またここでは着色層５１ａ、着色層５１ｂ、及び着色層５１ｃがそれぞれ導電層２３と重
なる島状の形状を有している。
【０１２８】
図８（Ｅ）では、島状の構造体１１が、導電層２３の四辺に沿ってそれぞれ設けられて
いる例を示している。また、図８（Ｆ）では、構造体１１が格子状の形状を有している例
を示している。
【０１２９】
なお、構造体１１の形状、及び配置位置は上記に限られず、隣接する２つの着色層の間
に位置するように配置することができる。
【０１３０】
［断面構成例２］
以下では、本発明の一態様の表示装置１０のより詳細な断面構成の例について説明する
。ここでは特に、表示素子にトップエミッション型の発光素子を適用した場合について説
明する。
【０１３１】
〔断面構成例２−１〕
図９は、表示装置１０の断面概略図である。図９では、図１（Ａ）におけるＦＰＣ４２
を含む領域、回路３４を含む領域、表示部３２を含む領域などの断面の一例を示している
。また図９には表示部３２として、トランジスタ等を含む領域の断面と、隣接画素間の領
域の断面を並べて示している。
【０１３２】
基板２１と基板３１とは、接着層１４１によって貼り合わされている。また接着層１４
１の一部は、発光素子４０を封止する機能を有する。また基板３１の外側の面には偏光板
１３０を有することが好ましい。
【０１３３】
基板２１には、発光素子４０、トランジスタ２０１、トランジスタ２０２、トランジス
タ２０５、容量素子２０３、端子部２０４、配線３５、構造体１１等が設けられている。
また基板３１側には、着色層１３１ａ、着色層１３１ｂ、遮光層１３２等が設けられてい
る。発光素子４０は、導電層１１１、ＥＬ層１１２及び導電層１１３が積層された構造を
有している。導電層１１１の一部は画素電極として機能し、導電層１１３の一部は共通電
極として機能する。発光素子４０は、基板３１側に光を発するトップエミッション型の発
光素子である。
【０１３４】
図９では、表示部３２の例として、１つの副画素を含む断面を示している。例えば副画
素は、トランジスタ２０２と、容量素子２０３と、トランジスタ２０５と、発光素子４０
と、着色層１３１ａを有する。例えば、トランジスタ２０２はスイッチング用のトランジ
スタ（選択トランジスタ）であり、トランジスタ２０５は発光素子４０に流れる電流を制
御するためのトランジスタ（駆動トランジスタ）である。
【０１３５】
また図９では、回路３４の例として、トランジスタ２０１を含む断面を示している。
【０１３６】
着色層１３１ａや着色層１３１ｂ等には異なる色を透過する材料を用いることができる
。赤色を呈する副画素、緑色を呈する副画素、青色を呈する副画素を配列することで、フ
ルカラーの表示を行うことができる。
【０１３７】
基板２１上には、絶縁層２１１、絶縁層２１２、絶縁層２１３、絶縁層２１４、絶縁層
２１５、絶縁層２１６等の絶縁層が設けられている。絶縁層２１１は、その一部がトラン
ジスタのゲート絶縁層として機能し、他の一部が容量素子２０３の誘電体として機能する
。絶縁層２１２、絶縁層２１３、及び絶縁層２１４は、各トランジスタや容量素子２０３
等を覆って設けられている。絶縁層２１４は、平坦化層としての機能を有する。なお、こ
こではトランジスタ等を覆う絶縁層として、絶縁層２１２、絶縁層２１３、絶縁層２１４
の３層を有する場合を示しているが、これに限られず４層以上であってもよいし、単層、
または２層であってもよい。また平坦化層として機能する絶縁層２１４は、不要であれば
設けなくてもよい。絶縁層２１５は、導電層２２４を覆って設けられている。絶縁層２１
５は平坦化層としての機能を有していてもよい。絶縁層２１６は、導電層１１１の端部や
、導電層１１１と導電層２２４とを電気的に接続するコンタクト部等を覆って設けられて
いる。絶縁層２１６は、平坦化層としての機能を有する。
【０１３８】
また、絶縁層２１６上に、構造体１１が設けられている。図９に示すように、着色層１
３１ａの下面よりも高い位置に、構造体１１の一部が設けられている。
【０１３９】
また、トランジスタ２０１、トランジスタ２０２、及びトランジスタ２０５は、一部が
ゲート電極として機能する導電層２２１、一部がソース電極またはドレイン電極として機
能する導電層２２２、半導体層２３１を有する。ここでは、同一の導電膜を加工して得ら
れる複数の層に同じハッチングパターンを付している。
【０１４０】
図９では、容量素子２０３が、トランジスタ２０５のゲート電極として機能する導電層
２２１の一部と、絶縁層２１１の一部と、トランジスタ２０５のソース電極またはドレイ
ン電極として機能する導電層２２２の一部により構成されている例を示している。
【０１４１】
トランジスタ２０２の一対の導電層２２２のうち、容量素子２０３と電気的に接続され
ていない方の導電層２２２は、信号線の一部として機能する。またトランジスタ２０２の
ゲート電極として機能する導電層２２１は、走査線の一部として機能する。
【０１４２】
図９では、トランジスタ２０２の例として、１つのゲート電極を有するトランジスタを
示している。またトランジスタ２０１及びトランジスタ２０５には、チャネルが形成され
る半導体層２３１を２つのゲート電極（導電層２２１及び導電層２２３）で挟持したトラ
ンジスタを示している。このように２つのゲート電極を有するトランジスタは、そのしき
い値電圧を制御することができる。また２つのゲート電極を接続するなどし、これらに同
一の信号を供給することにより、トランジスタを駆動してもよい。このようなトランジス
タは、他のトランジスタと比較して電界効果移動度を高めることができ、オン電流を増大
させることができる。その結果、高速動作が可能な回路を作製することができる。さらに
は回路の占有面積を縮小することができる。オン電流の大きなトランジスタを適用するこ
とで、表示装置を大型化、または高精細化したときに、配線数が増大したとしても、各配
線における信号遅延を低減することが可能である。これにより、例えば表示ムラを改善す
ることができる。
【０１４３】
なお、回路３４が有するトランジスタと、表示部３２が有するトランジスタは、同じ構
造であってもよい。また回路３４が有する複数のトランジスタは、全て同じ構造であって
もよいし、異なる構造のトランジスタを組み合わせて用いてもよい。また、表示部３２が
有する複数のトランジスタは、全て同じ構造であってもよいし、異なる構造のトランジス
タを組み合わせて用いてもよい。
【０１４４】
各トランジスタを覆う絶縁層２１２及び絶縁層２１３のうち、少なくとも一方は、水や
水素などの不純物が拡散しにくい材料を用いることが好ましい。このような絶縁層は、バ
リア膜として機能させることができる。これによりトランジスタに対して外部から不純物
が拡散することを効果的に抑制することができ、信頼性の高い表示装置を実現できる。
【０１４５】
絶縁層２１４上に設けられた導電層２２４は配線としての機能を有する。導電層２２４
は、絶縁層２１４、絶縁層２１３、及び絶縁層２１２に設けられた開口を介してトランジ
スタのソース又はドレインの一方と電気的に接続されている。また、絶縁層２１５上に画
素電極として機能する導電層１１１が設けられている。導電層１１１は絶縁層２１５に設
けられた開口を介して、導電層２２４の一つと電気的に接続されている。図９では、導電
層１１１が導電層２２４を介してトランジスタ２０５のソース又はドレインの一方と電気
的に接続されている。
【０１４６】
導電層１１１の端部を覆って絶縁層２１６が設けられている。ＥＬ層１１２は、導電層
１１１、絶縁層２１６、及び構造体１１の上面を覆って設けられている。また導電層１１
３はＥＬ層１１２を覆って設けられている。
【０１４７】
発光素子４０において、導電層１１１には可視光を反射する材料を用い、導電層１１３
には可視光を透過する材料を用いる。このような構成により、基板３１側に光を発するト
ップエミッション型の発光素子とすることができる。トップエミッション型の発光素子は
、その下側にトランジスタや容量素子などの素子を配置することが可能であるため、開口
率を高めることができる。なお、導電層１１１及び導電層１１３の両方に可視光を透過す
る材料を用いることで、基板３１側と基板２１側の両方に光を発するデュアルエミッショ
ン型の発光素子としてもよい。
【０１４８】
また、発光素子４０として白色を呈する発光素子を好適に用いることができる。こうす
ることで、異なる色に対応する副画素間で発光素子４０を作り分ける必要がないため、極
めて高精細な表示装置を実現できる。このとき、発光素子４０からの光は着色層１３１ａ
等を透過する際に、特定の波長領域以外の光が吸収される。これにより、取り出される光
は例えば赤色を呈する光となる。
【０１４９】
また、導電層１１１に可視光を反射する材料を用い、導電層１１３に可視光に対して半
透過、半反射性を有する材料を用い、さらに導電層１１１と導電層１１３の間に、可視光
を透過する光学調整層を設けることで、マイクロキャビティ構造を有する発光素子４０と
してもよい。このとき、異なる色に対応する副画素に応じて、光学調整層の厚さを調整す
ればよい。また、光学調整層を有する副画素と、光学調整層を有さない副画素を混在させ
てもよい。
【０１５０】
基板３１の基板２１側の面には遮光層１３２が設けられ、遮光層１３２の端部及び遮光
層１３２の開口を覆って着色層１３１ａ及び着色層１３１ｂが設けられている。着色層１
３１ａ等は、それぞれ発光素子４０と重ねて配置されている。また遮光層１３２は、その
一部が構造体１１と重ねて配置されている。
【０１５１】
構造体１１としては、絶縁性または導電性の材料を用いることができる。例えば、構造
体１１として、絶縁層２１６と同様の絶縁性の材料を用いてもよい。また、構造体１１に
導電性の材料を用いてもよいが、その場合は構造体１１を電気的にフローティングとする
か、構造体１１に導電層１１３と同じ電位を与えることで、構造体１１上のＥＬ層１１２
が発光してしまうことを防ぐことができる。
【０１５２】
図９では、基板３１の基板２１側とは反対側の面に、偏光板１３０を設ける例を示して
いる。偏光板１３０としては、円偏光板を用いることが好ましい。円偏光板としては、例
えば直線偏光板と１／４波長位相差板を積層したものを用いることができる。これにより
、表示部３２に設けられる反射性の部材（例えば導電層１１１等）の外光の反射を抑制す
ることができる。
【０１５３】
図９では、発光素子４０を接着層１４１で封止する例を示している。接着層１４１に空
気よりも屈折率の高い材料を用いることにより、発光素子４０と基板３１の間に空間を有
する場合に比べて、発光素子４０からの光の取り出し効率を高めることができる。
【０１５４】
なお、接着層１４１を表示部３２の周囲に配置する、いわゆる中空封止構造としてもお
い。このとき、基板２１、基板３１、及び接着層１４１により形成される空間は、空気が
充填されていてもよいが、希ガスや窒素ガスなどの不活性ガスが充填されていることが好
ましい。また、定常状態において空間が大気圧に対して減圧であると、使用環境（例えば
気圧や温度）により空間が膨張し、基板３１または基板２１が膨らんでしまうことを抑制
できる。一方、空間が大気圧に対して陽圧であると、水分などの不純物が基板３１、基板
２１、接着層１４１、またはこれらの隙間から当該空間に拡散することを抑制できる。
【０１５５】
基板２１の端部に近い領域には、端子部２０４が設けられている。端子部２０４は、接
続層２４２を介してＦＰＣ４２と電気的に接続されている。図９に示す構成では、配線３
５の一部と、導電層１１１を積層することで端子部２０４を構成する例を示している。
【０１５６】
以上が断面構成例２−１についての説明である。
【０１５７】
〔断面構成例２−２〕
図１０は、一対の基板に可撓性を有する基板１７１、基板１８１を用いた表示装置１０
の断面構成例を示す。図１０に示す表示装置１０は、表示面の一部を曲げることができる
。
【０１５８】
図１０で示す表示装置１０は、図９における基板２１に代えて基板１７１、接着層１７
２、及び絶縁層１７３を有する。また基板３１に代えて基板１８１、接着層１８２、及び
絶縁層１８３を有する。
【０１５９】
絶縁層１７３及び絶縁層１８３は、水などの不純物が拡散しにくい材料を用いることが
好ましい。
【０１６０】
図１０に示す表示装置１０は、絶縁層１７３及び絶縁層１８３によって、各トランジス
タや発光素子４０が挟まれた構成を有している。これにより、基板１７１、基板１８１、
接着層１７２、接着層１８２等に水や水素などの不純物を拡散しやすい材料を用いた場合
であっても、これらより内側（各トランジスタや発光素子４０側）に位置する絶縁層１７
３や絶縁層１８３により、これらの不純物が拡散することが抑制されるため、信頼性を高
めることができる。また、基板１７１、基板１８１、接着層１７２、接着層１８２等の材
料を選択する際に、不純物の拡散性を考慮する必要がないため、様々な材料を用いること
ができる。
【０１６１】
〔作製方法例〕
ここで、可撓性を有する表示装置を作製する方法について説明する。
【０１６２】
ここでは便宜上、画素や回路を含む積層構造、着色層（カラーフィルタ）等の光学部材
を含む積層構造、及びタッチセンサを構成する電極や配線を含む積層構造等を、まとめて
素子層と呼ぶこととする。素子層は例えば表示素子を含み、表示素子の他に表示素子と電
気的に接続する配線、画素や回路に用いるトランジスタなどの素子を備えていてもよい。
【０１６３】
またここでは、最終的に素子層を支持し、可撓性を有する部材（例えば図１０における
基板１７１、基板１８１等）のことを、基板と呼ぶこととする。例えば基板には、厚さが
１０ｎｍ以上２００μｍ以下の、極めて薄いフィルムも含まれる。
【０１６４】
可撓性を有する絶縁表面を備える基板上に素子層を形成する方法としては、代表的には
以下に挙げる２つの方法がある。一つは、基板上に直接、素子層を形成する方法である。
もう一つは、基板とは異なる支持基板上に素子層を形成した後、素子層と支持基材を剥離
した後、素子層を基板に転置する方法である。
【０１６５】
基板を構成する材料が、素子層の形成工程にかかる熱に対して耐熱性を有する場合には
、基板上に直接、素子層を形成すると、工程が簡略化されるため好ましい。このとき、基
板を支持基材に固定した状態で素子層を形成すると、装置内、及び装置間における搬送が
容易になるため好ましい。
【０１６６】
また、素子層を支持基材上に形成した後に、基板に転置する方法を用いる場合、まず支
持基材上に剥離層と絶縁層を積層し、当該絶縁層上に素子層を形成する。続いて、支持基
材と素子層を剥離し、基板に転置する。このとき、支持基材と剥離層の界面、剥離層と絶
縁層の界面、または剥離層中で剥離が生じるような材料を選択すればよい。この方法では
、支持基材や剥離層に耐熱性の高い材料を用いることで、素子層を形成する際にかかる温
度の上限を高めることができ、より信頼性の高い素子を有する素子層を形成できるため好
ましい。
【０１６７】
例えば剥離層として、タングステンなどの高融点金属材料を含む層と、当該金属材料の
酸化物を含む層を積層して用い、剥離層上の絶縁層として、窒化シリコン、酸化窒化シリ
コン、窒化酸化シリコンなどを複数積層した層を用いることが好ましい。なお、本明細書
中において、酸化窒化物は、その組成として、窒素よりも酸素の含有量が多い材料を指し
、窒化酸化物は、その組成として、酸素よりも窒素の含有量が多い材料を指す。
【０１６８】
素子層と支持基材とを剥離する方法としては、機械的な力を加えることや、剥離層をエ
ッチングすること、または剥離界面に液体を浸透させることなどが、一例として挙げられ
る。または、剥離界面を形成する２層の熱膨張の違いを利用し、加熱または冷却すること
により剥離を行ってもよい。
【０１６９】
また、支持基材と絶縁層の界面で剥離が可能な場合には、剥離層を設けなくてもよい。
【０１７０】
例えば、支持基材としてガラスを用い、絶縁層としてポリイミドなどの有機樹脂を用い
ることができる。このとき、レーザ光等を用いて有機樹脂の一部を局所的に加熱する、ま
たは鋭利な部材により物理的に有機樹脂の一部を切断、または貫通すること等により剥離
の起点を形成し、ガラスと有機樹脂の界面で剥離を行ってもよい。
【０１７１】
または、支持基材と有機樹脂からなる絶縁層の間に発熱層を設け、当該発熱層を加熱す
ることにより、当該発熱層と絶縁層の界面で剥離を行ってもよい。発熱層としては、電流
を流すことにより発熱する材料、光を吸収することにより発熱する材料、磁場を印加する
ことにより発熱する材料など、様々な材料を用いることができる。例えば発熱層としては
、半導体、金属、絶縁体から選択して用いることができる。
【０１７２】
なお、上述した方法において、有機樹脂からなる絶縁層は、剥離後に基板として用いる
ことができる。
【０１７３】
例えば、図１０に示す構成の場合、第１の支持基板上に第１の剥離層、絶縁層１７３を
順に形成した後に、それよりも上層の構造物を形成する。またこれとは別に、第２の支持
基材上に第２の剥離層、絶縁層１８３を順に形成した後に、それよりも上層の構造物を形
成する。続いて、第１の支持基材と第２の支持基材を接着層１４１により貼り合せる。そ
の後、第２の剥離層と絶縁層１８３の界面で剥離することで第２の支持基材及び第２の剥
離層を除去し、絶縁層１８３と基板１８１を接着層１８２により貼り合せる。また、第１
の剥離層と絶縁層１７３の界面で剥離することで第１の支持基材及び第１の剥離層を除去
し、絶縁層１７３と基板１７１を接着層１７２により貼り合せる。なお、剥離及び貼り合
せはどちら側を先に行ってもよい。
【０１７４】
以上が可撓性を有する表示装置を作製する方法についての説明である。
【０１７５】
［各構成要素について］
以下では、上記に示す各構成要素について説明する。
【０１７６】
表示装置が有する基板には、平坦面を有する材料を用いることができる。表示素子から
の光を取り出す側の基板には、該光を透過する材料を用いる。例えば、ガラス、石英、セ
ラミック、サファイヤ、有機樹脂などの材料を用いることができる。
【０１７７】
厚さの薄い基板を用いることで、表示装置の軽量化、薄型化を図ることができる。さら
に、可撓性を有する程度の厚さの基板を用いることで、可撓性を有する表示装置を実現で
きる。
【０１７８】
また、発光を取り出さない側の基板は、透光性を有していなくてもよいため、上記に挙
げた基板の他に、金属基板等を用いることもできる。金属基板は熱伝導性が高く、基板全
体に熱を容易に伝導できるため、表示装置の局所的な温度上昇を抑制することができ、好
ましい。可撓性や曲げ性を得るためには、金属基板の厚さは、１０μｍ以上２００μｍ以
下が好ましく、２０μｍ以上５０μｍ以下であることがより好ましい。
【０１７９】
金属基板を構成する材料としては、特に限定はないが、例えば、アルミニウム、銅、ニ
ッケル等の金属、もしくはアルミニウム合金またはステンレス等の合金などを好適に用い
ることができる。
【０１８０】
また、金属基板の表面を酸化する、又は表面に絶縁膜を形成するなどにより、絶縁処理
が施された基板を用いてもよい。例えば、スピンコート法やディップ法などの塗布法、電
着法、蒸着法、又はスパッタリング法などを用いて絶縁膜を形成してもよいし、酸素雰囲
気で放置する又は加熱するほか、陽極酸化法などによって、基板の表面に酸化膜を形成し
てもよい。
【０１８１】
可撓性及び可視光に対する透過性を有する材料としては、例えば、可撓性を有する程度
の厚さのガラスや、ポリエチレンテレフタレート（ＰＥＴ）、ポリエチレンナフタレート
（ＰＥＮ）等のポリエステル樹脂、ポリアクリロニトリル樹脂、ポリイミド樹脂、ポリメ
チルメタクリレート樹脂、ポリカーボネート（ＰＣ）樹脂、ポリエーテルスルホン（ＰＥ
Ｓ）樹脂、ポリアミド樹脂、シクロオレフィン樹脂、ポリスチレン樹脂、ポリアミドイミ
ド樹脂、ポリ塩化ビニル樹脂、ポリテトラフルオロエチレン（ＰＴＦＥ）樹脂等が挙げら
れる。特に、熱膨張係数の低い材料を用いることが好ましく、例えば、熱膨張係数が３０
×１０−６／Ｋ以下であるポリアミドイミド樹脂、ポリイミド樹脂、ＰＥＴ等を好適に用
いることができる。また、ガラス繊維に有機樹脂を含浸した基板や、無機フィラーを有機
樹脂に混ぜて熱膨張係数を下げた基板を使用することもできる。このような材料を用いた
基板は、重量が軽いため、該基板を用いた表示装置も軽量にすることができる。
【０１８２】
上記材料中に繊維体が含まれている場合、繊維体は有機化合物または無機化合物の高強
度繊維を用いる。高強度繊維とは、具体的には引張弾性率またはヤング率の高い繊維のこ
とを言い、代表例としては、ポリビニルアルコール系繊維、ポリエステル系繊維、ポリア
ミド系繊維、ポリエチレン系繊維、アラミド系繊維、ポリパラフェニレンベンゾビスオキ
サゾール繊維、ガラス繊維、または炭素繊維が挙げられる。ガラス繊維としては、Ｅガラ
ス、Ｓガラス、Ｄガラス、Ｑガラス等を用いたガラス繊維が挙げられる。これらは、織布
または不織布の状態で用い、この繊維体に樹脂を含浸させ樹脂を硬化させた構造物を、可
撓性を有する基板として用いてもよい。可撓性を有する基板として、繊維体と樹脂からな
る構造物を用いると、曲げや局所的押圧による破損に対する信頼性が向上するため、好ま
しい。
【０１８３】
または、可撓性を有する程度に薄いガラス、金属などを基板に用いることもできる。ま
たは、ガラスと樹脂材料とが接着層により貼り合わされた複合材料を用いてもよい。
【０１８４】
可撓性を有する基板に、タッチパネルの表面を傷などから保護するハードコート層（例
えば、窒化シリコン、酸化アルミニウムなど）や、押圧を分散可能な材質の層（例えば、
アラミド樹脂など）等が積層されていてもよい。また、水分等による表示素子の寿命の低
下等を抑制するために、可撓性を有する基板に透水性の低い絶縁膜が積層されていてもよ
い。例えば、窒化シリコン、酸化窒化シリコン、窒化酸化シリコン、酸化アルミニウム、
窒化アルミニウム等の無機絶縁材料を用いることができる。
【０１８５】
基板は、複数の層を積層して用いることもできる。特に、ガラス層を有する構成とする
と、水や酸素に対するバリア性を向上させ、信頼性の高い表示装置とすることができる。
【０１８６】
〔トランジスタ〕
トランジスタは、ゲート電極として機能する導電層と、半導体層と、ソース電極として
機能する導電層と、ドレイン電極として機能する導電層と、ゲート絶縁層として機能する
絶縁層と、を有する。上記では、ボトムゲート構造のトランジスタを適用した場合を示し
ている。
【０１８７】
なお、本発明の一態様のタッチパネルが有するトランジスタの構造は特に限定されない
。例えば、プレーナ型のトランジスタとしてもよいし、スタガ型のトランジスタとしても
よいし、逆スタガ型のトランジスタとしてもよい。また、トップゲート型又はボトムゲー
ト型のいずれのトランジスタ構造としてもよい。または、チャネルの上下にゲート電極が
設けられていてもよい。
【０１８８】
トランジスタに用いる半導体材料の結晶性についても特に限定されず、非晶質半導体、
結晶性を有する半導体（微結晶半導体、多結晶半導体、単結晶半導体、又は一部に結晶領
域を有する半導体）のいずれを用いてもよい。結晶性を有する半導体を用いると、トラン
ジスタ特性の劣化を抑制できるため好ましい。
【０１８９】
また、トランジスタに用いる半導体材料としては、例えば、第１４族の元素（シリコン
、ゲルマニウム等）、化合物半導体又は酸化物半導体を半導体層に用いることができる。
代表的には、シリコンを含む半導体、ガリウムヒ素を含む半導体又はインジウムを含む酸
化物半導体などを適用できる。
【０１９０】
特にシリコンよりもバンドギャップの大きな酸化物半導体を適用することが好ましい。
シリコンよりもバンドギャップが広く、且つキャリア密度の小さい半導体材料を用いると
、トランジスタのオフ状態における電流を低減できるため好ましい。
【０１９１】
特に、半導体層として、複数の結晶部を有し、当該結晶部はｃ軸が半導体層の被形成面
、または半導体層の上面に対し概略垂直に配向し、且つ隣接する結晶部間には粒界が確認
できない酸化物半導体を用いることが好ましい。
【０１９２】
このような酸化物半導体は、結晶粒界を有さないために表示パネルを湾曲させたときの
応力によって酸化物半導体膜にクラックが生じてしまうことが抑制される。したがって、
可撓性を有し、湾曲させて用いるタッチパネルなどに、このような酸化物半導体を好適に
用いることができる。
【０１９３】
また半導体層としてこのような結晶性を有する酸化物半導体を用いることで、電気特性
の変動が抑制され、信頼性の高いトランジスタを実現できる。
【０１９４】
また、シリコンよりもバンドギャップの大きな酸化物半導体を用いたトランジスタは、
その低いオフ電流により、トランジスタと直列に接続された容量に蓄積した電荷を長期間
に亘って保持することが可能である。このようなトランジスタを画素に適用することで、
各画素の階調を維持しつつ、駆動回路を停止することも可能となる。その結果、極めて消
費電力の低減された表示装置を実現できる。
【０１９５】
半導体層は、例えば少なくともインジウム、亜鉛及びＭ（アルミニウム、チタン、ガリ
ウム、ゲルマニウム、イットリウム、ジルコニウム、ランタン、セリウム、スズ、ネオジ
ムまたはハフニウム等の金属）を含むＩｎ−Ｍ−Ｚｎ系酸化物で表記される膜を含むこと
が好ましい。また、該酸化物半導体を用いたトランジスタの電気特性のばらつきを減らす
ため、それらと共に、スタビライザーを含むことが好ましい。
【０１９６】
スタビライザーとしては、上記Ｍで記載の金属を含め、例えば、ガリウム、スズ、ハフ
ニウム、アルミニウム、またはジルコニウム等がある。また、他のスタビライザーとして
は、ランタノイドである、ランタン、セリウム、プラセオジム、ネオジム、サマリウム、
ユウロピウム、ガドリニウム、テルビウム、ジスプロシウム、ホルミウム、エルビウム、
ツリウム、イッテルビウム、ルテチウム等がある。
【０１９７】
半導体層を構成する酸化物半導体として、例えば、Ｉｎ−Ｇａ−Ｚｎ系酸化物、Ｉｎ−
Ａｌ−Ｚｎ系酸化物、Ｉｎ−Ｓｎ−Ｚｎ系酸化物、Ｉｎ−Ｈｆ−Ｚｎ系酸化物、Ｉｎ−Ｌ
ａ−Ｚｎ系酸化物、Ｉｎ−Ｃｅ−Ｚｎ系酸化物、Ｉｎ−Ｐｒ−Ｚｎ系酸化物、Ｉｎ−Ｎｄ
−Ｚｎ系酸化物、Ｉｎ−Ｓｍ−Ｚｎ系酸化物、Ｉｎ−Ｅｕ−Ｚｎ系酸化物、Ｉｎ−Ｇｄ−
Ｚｎ系酸化物、Ｉｎ−Ｔｂ−Ｚｎ系酸化物、Ｉｎ−Ｄｙ−Ｚｎ系酸化物、Ｉｎ−Ｈｏ−Ｚ
ｎ系酸化物、Ｉｎ−Ｅｒ−Ｚｎ系酸化物、Ｉｎ−Ｔｍ−Ｚｎ系酸化物、Ｉｎ−Ｙｂ−Ｚｎ
系酸化物、Ｉｎ−Ｌｕ−Ｚｎ系酸化物、Ｉｎ−Ｓｎ−Ｇａ−Ｚｎ系酸化物、Ｉｎ−Ｈｆ−
Ｇａ−Ｚｎ系酸化物、Ｉｎ−Ａｌ−Ｇａ−Ｚｎ系酸化物、Ｉｎ−Ｓｎ−Ａｌ−Ｚｎ系酸化
物、Ｉｎ−Ｓｎ−Ｈｆ−Ｚｎ系酸化物、Ｉｎ−Ｈｆ−Ａｌ−Ｚｎ系酸化物を用いることが
できる。
【０１９８】
なお、ここで、Ｉｎ−Ｇａ−Ｚｎ系酸化物とは、ＩｎとＧａとＺｎを主成分として有す
る酸化物という意味であり、ＩｎとＧａとＺｎの比率は問わない。また、ＩｎとＧａとＺ
ｎ以外の金属元素が入っていてもよい。
【０１９９】
また、半導体層と導電層は、上記酸化物のうち同一の金属元素を有していてもよい。半
導体層と導電層を同一の金属元素とすることで、製造コストを低減させることができる。
例えば、同一の金属組成の金属酸化物ターゲットを用いることで、製造コストを低減させ
ることができる。また半導体層と導電層を加工する際のエッチングガスまたはエッチング
液を共通して用いることができる。ただし、半導体層と導電層は、同一の金属元素を有し
ていても、組成が異なる場合がある。例えば、トランジスタ及び容量素子の作製工程中に
、膜中の金属元素が脱離し、異なる金属組成となる場合がある。
【０２００】
半導体層を構成する酸化物半導体は、エネルギーギャップが２ｅＶ以上、好ましくは２
．５ｅＶ以上、より好ましくは３ｅＶ以上であることが好ましい。このように、エネルギ
ーギャップの広い酸化物半導体を用いることで、トランジスタのオフ電流を低減すること
ができる。
【０２０１】
半導体層を構成する酸化物半導体がＩｎ−Ｍ−Ｚｎ酸化物の場合、Ｉｎ−Ｍ−Ｚｎ酸化
物を成膜するために用いるスパッタリングターゲットの金属元素の原子数比は、Ｉｎ≧Ｍ
、Ｚｎ≧Ｍを満たすことが好ましい。このようなスパッタリングターゲットの金属元素の
原子数比として、Ｉｎ：Ｍ：Ｚｎ＝１：１：１、Ｉｎ：Ｍ：Ｚｎ＝１：１：１．２、Ｉｎ
：Ｍ：Ｚｎ＝３：１：２、４：２：４．１等が好ましい。なお、成膜される半導体層の原
子数比はそれぞれ、誤差として上記のスパッタリングターゲットに含まれる金属元素の原
子数比のプラスマイナス４０％の変動を含む。
【０２０２】
半導体層としては、キャリア密度の低い酸化物半導体膜を用いる。例えば、半導体層は
、キャリア密度が１×１０１７／ｃｍ３以下、好ましくは１×１０１５／ｃｍ３以下、さ
らに好ましくは１×１０１３／ｃｍ３以下、より好ましくは１×１０１１／ｃｍ３以下、
さらに好ましくは１×１０１０／ｃｍ３未満であり、１×１０−９／ｃｍ３以上のキャリ
ア密度の酸化物半導体を用いることができる。そのような酸化物半導体を、高純度真性ま
たは実質的に高純度真性な酸化物半導体と呼ぶ。これにより不純物濃度が低く、欠陥準位
密度が低いため、安定な特性を有する酸化物半導体であるといえる。
【０２０３】
なお、これらに限られず、必要とするトランジスタの半導体特性及び電気特性（電界効
果移動度、しきい値電圧等）に応じて適切な組成のものを用いればよい。また、必要とす
るトランジスタの半導体特性を得るために、半導体層のキャリア密度や不純物濃度、欠陥
密度、金属元素と酸素の原子数比、原子間距離、密度等を適切なものとすることが好まし
い。
【０２０４】
半導体層を構成する酸化物半導体において、第１４族元素の一つであるシリコンや炭素
が含まれると、半導体層において酸素欠損が増加し、ｎ型化してしまう。このため、半導
体層におけるシリコンや炭素の濃度（二次イオン質量分析法により得られる濃度）を、２
×１０１８ａｔｏｍｓ／ｃｍ３以下、好ましくは２×１０１７ａｔｏｍｓ／ｃｍ３以下と
する。
【０２０５】
また、アルカリ金属及びアルカリ土類金属は、酸化物半導体と結合するとキャリアを生
成する場合があり、トランジスタのオフ電流が増大してしまうことがある。このため半導
体層における二次イオン質量分析法により得られるアルカリ金属またはアルカリ土類金属
の濃度を、１×１０１８ａｔｏｍｓ／ｃｍ３以下、好ましくは２×１０１６ａｔｏｍｓ／
ｃｍ３以下にする。
【０２０６】
また、半導体層を構成する酸化物半導体に窒素が含まれていると、キャリアである電子
が生じ、キャリア密度が増加し、ｎ型化しやすい。この結果、窒素が含まれている酸化物
半導体を用いたトランジスタはノーマリーオン特性となりやすい。このため半導体層にお
ける二次イオン質量分析法により得られる窒素濃度は、５×１０１８ａｔｏｍｓ／ｃｍ３
以下にすることが好ましい。
【０２０７】
また、半導体層は、例えば非単結晶構造でもよい。非単結晶構造は、例えば、ＣＡＡＣ
−ＯＳ（Ｃ−Ａｘｉｓ  Ａｌｉｇｎｅｄ  Ｃｒｙｓｔａｌｌｉｎｅ  Ｏｘｉｄｅ  Ｓｅｍ
ｉｃｏｎｄｕｃｔｏｒ、または、Ｃ−Ａｘｉｓ  Ａｌｉｇｎｅｄ  ａｎｄ  Ａ−Ｂ−ｐｌ
ａｎｅ  Ａｎｃｈｏｒｅｄ  Ｃｒｙｓｔａｌｌｉｎｅ  Ｏｘｉｄｅ  Ｓｅｍｉｃｏｎｄｕ
ｃｔｏｒ）、多結晶構造、微結晶構造、または非晶質構造を含む。非単結晶構造において
、非晶質構造は最も欠陥準位密度が高く、ＣＡＡＣ−ＯＳは最も欠陥準位密度が低い。
【０２０８】
非晶質構造の酸化物半導体膜は、例えば、原子配列が無秩序であり、結晶成分を有さな
い。または、非晶質構造の酸化物膜は、例えば、完全な非晶質構造であり、結晶部を有さ
ない。
【０２０９】
なお、半導体層が、非晶質構造の領域、微結晶構造の領域、多結晶構造の領域、ＣＡＡ
Ｃ−ＯＳの領域、単結晶構造の領域のうち、二種以上を有する混合膜であってもよい。混
合膜は、例えば上述した領域のうち、いずれか二種以上の領域を含む単層構造、または積
層構造を有する場合がある。
【０２１０】
＜ＣＡＣ−ＯＳの構成＞
以下では、本発明の一態様で開示されるトランジスタに用いることができるＣＡＣ（Ｃ
ｌｏｕｄ  Ａｌｉｇｎｅｄ  Ｃｏｍｐｌｅｍｅｎｔａｒｙ）−ＯＳの構成について説明す
る。
【０２１１】
本明細書等において、金属酸化物（ｍｅｔａｌ  ｏｘｉｄｅ）とは、広い表現での金属
の酸化物である。金属酸化物は、酸化物絶縁体、酸化物導電体（透明酸化物導電体を含む
）、酸化物半導体（Ｏｘｉｄｅ  Ｓｅｍｉｃｏｎｄｕｃｔｏｒまたは単にＯＳともいう）
などに分類される。例えば、トランジスタの活性層に金属酸化物を用いた場合、当該金属
酸化物を酸化物半導体と呼称する場合がある。つまり、ＯＳ  ＦＥＴと記載する場合にお
いては、金属酸化物または酸化物半導体を有するトランジスタと換言することができる。
【０２１２】
本明細書において、金属酸化物が、導電体の機能を有する領域と、誘電体の機能を有す
る領域とが混合し、金属酸化物全体では半導体としての機能する場合、ＣＡＣ（Ｃｌｏｕ
ｄ  Ａｌｉｇｎｅｄ  Ｃｏｍｐｌｅｍｅｎｔａｒｙ）−ＯＳ（Ｏｘｉｄｅ  Ｓｅｍｉｃｏ
ｎｄｕｃｔｏｒ）、またはＣＡＣ−ｍｅｔａｌ  ｏｘｉｄｅと定義する。
【０２１３】
つまり、ＣＡＣ−ＯＳとは、例えば、酸化物半導体を構成する元素が、０．５ｎｍ以上
１０ｎｍ以下、好ましくは、０．５ｎｍ以上３ｎｍ以下、またはその近傍のサイズで偏在
した材料の一構成である。なお、以下では、酸化物半導体において、一つあるいはそれ以
上の元素が偏在し、該元素を有する領域が、０．５ｎｍ以上１０ｎｍ以下、好ましくは、
０．５ｎｍ以上３ｎｍ以下、またはその近傍のサイズで混合した状態をモザイク状、また
はパッチ状ともいう。
【０２１４】
特定の元素が偏在した領域は、該元素が有する性質により、物理特性が決定する。例え
ば、金属酸化物を構成する元素の中でも比較的、絶縁体となる傾向がある元素が偏在した
領域は、誘電体領域となる。一方、金属酸化物を構成する元素の中でも比較的、導体とな
る傾向がある元素が偏在した領域は、導電体領域となる。また、導電体領域、および誘電
体領域がモザイク状に混合することで、材料としては、半導体として機能する。
【０２１５】
つまり、本発明の一態様における金属酸化物は、物理特性が異なる材料が混合した、マ
トリックス複合材（ｍａｔｒｉｘ  ｃｏｍｐｏｓｉｔｅ）、または金属マトリックス複合
材（ｍｅｔａｌ  ｍａｔｒｉｘ  ｃｏｍｐｏｓｉｔｅ）の一種である。
【０２１６】
なお、酸化物半導体は、少なくともインジウムを含むことが好ましい。特にインジウム
および亜鉛を含むことが好ましい。また、それらに加えて、元素Ｍ（Ｍは、ガリウム、ア
ルミニウム、シリコン、ホウ素、イットリウム、銅、バナジウム、ベリリウム、チタン、
鉄、ニッケル、ゲルマニウム、ジルコニウム、モリブデン、ランタン、セリウム、ネオジ
ム、ハフニウム、タンタル、タングステン、またはマグネシウムなどから選ばれた一種、
または複数種）が含まれていてもよい。
【０２１７】
例えば、Ｉｎ−Ｇａ−Ｚｎ酸化物におけるＣＡＣ−ＯＳ（ＣＡＣ−ＯＳの中でもＩｎ−
Ｇａ−Ｚｎ酸化物を、特にＣＡＣ−ＩＧＺＯと呼称してもよい。）とは、インジウム酸化
物（以下、ＩｎＯＸ１（Ｘ１は０よりも大きい実数）とする。）、またはインジウム亜鉛
酸化物（以下、ＩｎＸ２ＺｎＹ２ＯＺ２（Ｘ２、Ｙ２、およびＺ２は０よりも大きい実数
）とする。）と、ガリウム酸化物（以下、ＧａＯＸ３（Ｘ３は０よりも大きい実数）とす
る。）、またはガリウム亜鉛酸化物（以下、ＧａＸ４ＺｎＹ４ＯＺ４（Ｘ４、Ｙ４、およ
びＺ４は０よりも大きい実数）とする。）などと、に材料が分離することでモザイク状と
なり、モザイク状のＩｎＯＸ１、またはＩｎＸ２ＺｎＹ２ＯＺ２が、膜中に均一に分布し
た構成（以下、クラウド状ともいう。）である。
【０２１８】
つまり、ＣＡＣ−ＯＳは、ＧａＯＸ３が主成分である領域と、ＩｎＸ２ＺｎＹ２ＯＺ２
、またはＩｎＯＸ１が主成分である領域とが、混合している構成を有する複合酸化物半導
体である。なお、本明細書において、例えば、第１の領域の元素Ｍに対するＩｎの原子数
比が、第２の領域の元素Ｍに対するＩｎの原子数比よりも大きいことを、第１の領域は、
第２の領域と比較して、Ｉｎの濃度が高いとする。
【０２１９】
なお、ＩＧＺＯは通称であり、Ｉｎ、Ｇａ、Ｚｎ、およびＯによる１つの化合物をいう
場合がある。代表例として、ＩｎＧａＯ３（ＺｎＯ）ｍ１（ｍ１は自然数）、またはＩｎ
（１＋ｘ０）Ｇａ（１−ｘ０）Ｏ３（ＺｎＯ）ｍ０（−１≦ｘ０≦１、ｍ０は任意数）で
表される結晶性の化合物が挙げられる。
【０２２０】
上記結晶性の化合物は、単結晶構造、多結晶構造、またはＣＡＡＣ構造を有する。なお
、ＣＡＡＣ構造とは、複数のＩＧＺＯのナノ結晶がｃ軸配向を有し、かつａ−ｂ面におい
ては配向せずに連結した結晶構造である。
【０２２１】
一方、ＣＡＣ−ＯＳは、酸化物半導体の材料構成に関する。ＣＡＣ−ＯＳとは、Ｉｎ、
Ｇａ、Ｚｎ、およびＯを含む材料構成において、一部にＧａを主成分とするナノ粒子状に
観察される領域と、一部にＩｎを主成分とするナノ粒子状に観察される領域とが、それぞ
れモザイク状にランダムに分散している構成をいう。従って、ＣＡＣ−ＯＳにおいて、結
晶構造は副次的な要素である。
【０２２２】
なお、ＣＡＣ−ＯＳは、組成の異なる二種類以上の膜の積層構造は含まないものとする
。例えば、Ｉｎを主成分とする膜と、Ｇａを主成分とする膜との２層からなる構造は、含
まない。
【０２２３】
なお、ＧａＯＸ３が主成分である領域と、ＩｎＸ２ＺｎＹ２ＯＺ２、またはＩｎＯＸ１
が主成分である領域とは、明確な境界が観察できない場合がある。
【０２２４】
なお、ガリウムの代わりに、アルミニウム、シリコン、ホウ素、イットリウム、銅、バ
ナジウム、ベリリウム、チタン、鉄、ニッケル、ゲルマニウム、ジルコニウム、モリブデ
ン、ランタン、セリウム、ネオジム、ハフニウム、タンタル、タングステン、またはマグ
ネシウムなどから選ばれた一種、または複数種が含まれている場合、ＣＡＣ−ＯＳは、一
部に該元素を主成分とするナノ粒子状領域が観察され、一部にＩｎを主成分とするナノ粒
子状領域が観察され、それぞれモザイク状にランダムに分散している構成をいう。
【０２２５】
＜ＣＡＣ−ＯＳの解析＞
続いて、各種測定方法を用い、基板上に成膜した酸化物半導体について測定を行った結
果について説明する。
【０２２６】
≪試料の構成と作製方法≫
以下では、本発明の一態様に係る９個の試料について説明する。各試料は、それぞれ、酸
化物半導体を成膜する際の基板温度、および酸素ガス流量比を異なる条件で作製する。な
お、試料は、基板と、基板上の酸化物半導体と、を有する構造である。
【０２２７】
各試料の作製方法について、説明する。
【０２２８】
まず、基板として、ガラス基板を用いる。続いて、スパッタリング装置を用いて、ガラ
ス基板上に酸化物半導体として、厚さ１００ｎｍのＩｎ−Ｇａ−Ｚｎ酸化物を形成する。
成膜条件は、チャンバー内の圧力を０．６Ｐａとし、ターゲットには、酸化物ターゲット
（Ｉｎ：Ｇａ：Ｚｎ＝４：２：４．１［原子数比］）を用いる。また、スパッタリング装
置内に設置された酸化物ターゲットに２５００ＷのＡＣ電力を供給する。
【０２２９】
なお、酸化物を成膜する際の条件として、基板温度を、意図的に加熱しない温度（以下
、室温またはＲ．Ｔ．ともいう。）、１３０℃、または１７０℃とした。また、Ａｒと酸
素の混合ガスに対する酸素ガスの流量比（以下、酸素ガス流量比ともいう。）を、１０％
、３０％、または１００％とすることで、９個の試料を作製する。
【０２３０】
≪Ｘ線回折による解析≫
本項目では、９個の試料に対し、Ｘ線回折（ＸＲＤ：Ｘ−ｒａｙ  ｄｉｆｆｒａｃｔｉ
ｏｎ）測定を行った結果について説明する。なお、ＸＲＤ装置として、Ｂｒｕｋｅｒ社製
Ｄ８  ＡＤＶＡＮＣＥを用いた。また、条件は、Ｏｕｔ−ｏｆ−ｐｌａｎｅ法によるθ／
２θスキャンにて、走査範囲を１５ｄｅｇ．乃至５０ｄｅｇ．、ステップ幅を０．０２ｄ
ｅｇ．、走査速度を３．０ｄｅｇ．／分とした。
【０２３１】
図３０にＯｕｔ−ｏｆ−ｐｌａｎｅ法を用いてＸＲＤスペクトルを測定した結果を示す
。なお、図３０において、上段には成膜時の基板温度条件が１７０℃の試料における測定
結果、中段には成膜時の基板温度条件が１３０℃の試料における測定結果、下段には成膜
時の基板温度条件がＲ．Ｔ．の試料における測定結果を示す。また、左側の列には酸素ガ
ス流量比の条件が１０％の試料における測定結果、中央の列には酸素ガス流量比の条件が
３０％の試料における測定結果、右側の列には酸素ガス流量比の条件が１００％の試料に
おける測定結果、を示す。
【０２３２】
図３０に示すＸＲＤスペクトルは、成膜時の基板温度を高くする、または、成膜時の酸
素ガス流量比の割合を大きくすることで、２θ＝３１°付近のピーク強度が高くなる。な
お、２θ＝３１°付近のピークは、被形成面または上面に略垂直方向に対してｃ軸に配向
した結晶性ＩＧＺＯ化合物（ＣＡＡＣ（ｃ−ａｘｉｓ  ａｌｉｇｎｅｄ  ｃｒｙｓｔａｌ
ｌｉｎｅ）−ＩＧＺＯともいう。）であることに由来することが分かっている。
【０２３３】
また、図３０に示すＸＲＤスペクトルは、成膜時の基板温度が低い、または、酸素ガス
流量比が小さいほど、明確なピークが現れなかった。従って、成膜時の基板温度が低い、
または、酸素ガス流量比が小さい試料は、測定領域のａ−ｂ面方向、およびｃ軸方向の配
向は見られないことが分かる。
【０２３４】
≪電子顕微鏡による解析≫
本項目では、成膜時の基板温度Ｒ．Ｔ．、および酸素ガス流量比１０％で作製した試料
を、ＨＡＡＤＦ（Ｈｉｇｈ−Ａｎｇｌｅ  Ａｎｎｕｌａｒ  Ｄａｒｋ  Ｆｉｅｌｄ）−Ｓ
ＴＥＭ（Ｓｃａｎｎｉｎｇ  Ｔｒａｎｓｍｉｓｓｉｏｎ  Ｅｌｅｃｔｒｏｎ  Ｍｉｃｒｏ
ｓｃｏｐｅ）によって観察、および解析した結果について説明する（以下、ＨＡＡＤＦ−
ＳＴＥＭによって取得した像は、ＴＥＭ像ともいう。）。
【０２３５】
ＨＡＡＤＦ−ＳＴＥＭによって取得した平面像（以下、平面ＴＥＭ像ともいう。）、お
よび断面像（以下、断面ＴＥＭ像ともいう。）の画像解析を行った結果について説明する
。なお、ＴＥＭ像は、球面収差補正機能を用いて観察した。なお、ＨＡＡＤＦ−ＳＴＥＭ
像の撮影には、日本電子株式会社製原子分解能分析電子顕微鏡ＪＥＭ−ＡＲＭ２００Ｆを
用いて、加速電圧２００ｋＶ、ビーム径約０．１ｎｍφの電子線を照射して行った。
【０２３６】
図３１（Ａ）は、成膜時の基板温度Ｒ．Ｔ．、および酸素ガス流量比１０％で作製した
試料の平面ＴＥＭ像である。図３１（Ｂ）は、成膜時の基板温度Ｒ．Ｔ．、および酸素ガ
ス流量比１０％で作製した試料の断面ＴＥＭ像である。
【０２３７】
≪電子線回折パターンの解析≫
本項目では、成膜時の基板温度Ｒ．Ｔ．、および酸素ガス流量比１０％で作製した試料
に、プローブ径が１ｎｍの電子線（ナノビーム電子線ともいう。）を照射することで、電
子線回折パターンを取得した結果について説明する。
【０２３８】
図３１（Ａ）に示す、成膜時の基板温度Ｒ．Ｔ．、および酸素ガス流量比１０％で作製
した試料の平面ＴＥＭ像において、黒点ａ１、黒点ａ２、黒点ａ３、黒点ａ４、および黒
点ａ５で示す電子線回折パターンを観察する。なお、電子線回折パターンの観察は、電子
線を照射しながら０秒の位置から３５秒の位置まで一定の速度で移動させながら行う。黒
点ａ１の結果を図３１（Ｃ）、黒点ａ２の結果を図３１（Ｄ）、黒点ａ３の結果を図３１
（Ｅ）、黒点ａ４の結果を図３１（Ｆ）、および黒点ａ５の結果を図３１（Ｇ）に示す。
【０２３９】
図３１（Ｃ）、図３１（Ｄ）、図３１（Ｅ）、図３１（Ｆ）、および図３１（Ｇ）より
、円を描くように（リング状に）輝度の高い領域が観測できる。また、リング状の領域に
複数のスポットが観測できる。
【０２４０】
また、図３１（Ｂ）に示す、成膜時の基板温度Ｒ．Ｔ．、および酸素ガス流量比１０％
で作製した試料の断面ＴＥＭ像において、黒点ｂ１、黒点ｂ２、黒点ｂ３、黒点ｂ４、お
よび黒点ｂ５で示す電子線回折パターンを観察する。黒点ｂ１の結果を図３１（Ｈ）、黒
点ｂ２の結果を図３１（Ｉ）、黒点ｂ３の結果を図３１（Ｊ）、黒点ｂ４の結果を図３１
（Ｋ）、および黒点ｂ５の結果を図３１（Ｌ）に示す。
【０２４１】
図３１（Ｈ）、図３１（Ｉ）、図３１（Ｊ）、図３１（Ｋ）、および図３１（Ｌ）より
、リング状に輝度の高い領域が観測できる。また、リング状の領域に複数のスポットが観
測できる。
【０２４２】
ここで、例えば、ＩｎＧａＺｎＯ４の結晶を有するＣＡＡＣ−ＯＳに対し、試料面に平
行にプローブ径が３００ｎｍの電子線を入射させると、ＩｎＧａＺｎＯ４の結晶の（００
９）面に起因するスポットが含まれる回折パターンが見られる。つまり、ＣＡＡＣ−ＯＳ
は、ｃ軸配向性を有し、ｃ軸が被形成面または上面に略垂直な方向を向いていることがわ
かる。一方、同じ試料に対し、試料面に垂直にプローブ径が３００ｎｍの電子線を入射さ
せると、リング状の回折パターンが確認される。つまり、ＣＡＡＣ−ＯＳは、ａ軸および
ｂ軸は配向性を有さないことがわかる。
【０２４３】
また、微結晶を有する酸化物半導体（ｎａｎｏ  ｃｒｙｓｔａｌｌｉｎｅ  ｏｘｉｄｅ
ｓｅｍｉｃｏｎｄｕｃｔｏｒ。以下、ｎｃ−ＯＳという。）に対し、大きいプローブ径
（例えば５０ｎｍ以上）の電子線を用いる電子線回折を行うと、ハローパターンのような
回折パターンが観測される。また、ｎｃ−ＯＳに対し、小さいプローブ径の電子線（例え
ば５０ｎｍ未満）を用いるナノビーム電子線回折を行うと、輝点（スポット）が観測され
る。また、ｎｃ−ＯＳに対しナノビーム電子線回折を行うと、円を描くように（リング状
に）輝度の高い領域が観測される場合がある。さらに、リング状の領域に複数の輝点が観
測される場合がある。
【０２４４】
成膜時の基板温度Ｒ．Ｔ．、および酸素ガス流量比１０％で作製した試料の電子線回折
パターンは、リング状に輝度の高い領域と、該リング領域に複数の輝点を有する。従って
、成膜時の基板温度Ｒ．Ｔ．、および酸素ガス流量比１０％で作製した試料は、電子線回
折パターンが、ｎｃ−ＯＳになり、平面方向、および断面方向において、配向性は有さな
い。
【０２４５】
以上より、成膜時の基板温度が低い、または、酸素ガス流量比が小さい酸化物半導体は
、アモルファス構造の酸化物半導体膜とも、単結晶構造の酸化物半導体膜とも明確に異な
る性質を有すると推定できる。
【０２４６】
≪元素分析≫
本項目では、エネルギー分散型Ｘ線分光法（ＥＤＸ：Ｅｎｅｒｇｙ  Ｄｉｓｐｅｒｓｉ
ｖｅ  Ｘ−ｒａｙ  ｓｐｅｃｔｒｏｓｃｏｐｙ）を用い、ＥＤＸマッピングを取得し、評
価することによって、成膜時の基板温度Ｒ．Ｔ．、および酸素ガス流量比１０％で作製し
た試料の元素分析を行った結果について説明する。なお、ＥＤＸ測定には、元素分析装置
として日本電子株式会社製エネルギー分散型Ｘ線分析装置ＪＥＤ−２３００Ｔを用いる。
なお、試料から放出されたＸ線の検出にはＳｉドリフト検出器を用いる。
【０２４７】
ＥＤＸ測定では、試料の分析対象領域の各点に電子線照射を行い、これにより発生する
試料の特性Ｘ線のエネルギーと発生回数を測定し、各点に対応するＥＤＸスペクトルを得
る。本実施の形態では、各点のＥＤＸスペクトルのピークを、Ｉｎ原子のＬ殻への電子遷
移、Ｇａ原子のＫ殻への電子遷移、Ｚｎ原子のＫ殻への電子遷移及びＯ原子のＫ殻への電
子遷移に帰属させ、各点におけるそれぞれの原子の比率を算出する。これを試料の分析対
象領域について行うことにより、各原子の比率の分布が示されたＥＤＸマッピングを得る
ことができる。
【０２４８】
図３２には、成膜時の基板温度Ｒ．Ｔ．、および酸素ガス流量比１０％で作製した試料
の断面におけるＥＤＸマッピングを示す。図３２（Ａ）は、Ｇａ原子のＥＤＸマッピング
（全原子に対するＧａ原子の比率は１．１８乃至１８．６４［ａｔｏｍｉｃ％］の範囲と
する。）である。図３２（Ｂ）は、Ｉｎ原子のＥＤＸマッピング（全原子に対するＩｎ原
子の比率は９．２８乃至３３．７４［ａｔｏｍｉｃ％］の範囲とする。）である。図３２
（Ｃ）は、Ｚｎ原子のＥＤＸマッピング（全原子に対するＺｎ原子の比率は６．６９乃至
２４．９９［ａｔｏｍｉｃ％］の範囲とする。）である。また、図３２（Ａ）、図３２（
Ｂ）、および図３２（Ｃ）は、成膜時の基板温度Ｒ．Ｔ．、および酸素ガス流量比１０％
で作製した試料の断面において、同範囲の領域を示している。なお、ＥＤＸマッピングは
、範囲における、測定元素が多いほど明るくなり、測定元素が少ないほど暗くなるように
、明暗で元素の割合を示している。また、図３２に示すＥＤＸマッピングの倍率は７２０
万倍である。
【０２４９】
図３２（Ａ）、図３２（Ｂ）、および図３２（Ｃ）に示すＥＤＸマッピングでは、画像
に相対的な明暗の分布が見られ、成膜時の基板温度Ｒ．Ｔ．、および酸素ガス流量比１０
％で作製した試料において、各原子が分布を持って存在している様子が確認できる。ここ
で、図３２（Ａ）、図３２（Ｂ）、および図３２（Ｃ）に示す実線で囲む範囲と破線で囲
む範囲に注目する。
【０２５０】
図３２（Ａ）では、実線で囲む範囲は、相対的に暗い領域を多く含み、破線で囲む範囲
は、相対的に明るい領域を多く含む。また、図３２（Ｂ）では実線で囲む範囲は、相対的
に明るい領域を多く含み、破線で囲む範囲は、相対的に暗い領域を多く含む。
【０２５１】
つまり、実線で囲む範囲はＩｎ原子が相対的に多い領域であり、破線で囲む範囲はＩｎ
原子が相対的に少ない領域である。ここで、図３２（Ｃ）では、実線で囲む範囲において
、右側は相対的に明るい領域であり、左側は相対的に暗い領域である。従って、実線で囲
む範囲は、ＩｎＸ２ＺｎＹ２ＯＺ２、またはＩｎＯＸ１などが主成分である領域である。
【０２５２】
また、実線で囲む範囲はＧａ原子が相対的に少ない領域であり、破線で囲む範囲はＧａ
原子が相対的に多い領域である。図３２（Ｃ）では、破線で囲む範囲において、左上の領
域は、相対的に明るい領域であり、右下側の領域は、相対的に暗い領域である。従って、
破線で囲む範囲は、ＧａＯＸ３、またはＧａＸ４ＺｎＹ４ＯＺ４などが主成分である領域
である。
【０２５３】
また、図３２（Ａ）、図３２（Ｂ）、および図３２（Ｃ）より、Ｉｎ原子の分布は、Ｇ
ａ原子よりも、比較的、均一に分布しており、ＩｎＯＸ１が主成分である領域は、ＩｎＸ
２ＺｎＹ２ＯＺ２が主成分となる領域を介して、互いに繋がって形成されているように見
える。このように、ＩｎＸ２ＺｎＹ２ＯＺ２、またはＩｎＯＸ１が主成分である領域は、
クラウド状に広がって形成されている。
【０２５４】
このように、ＧａＯＸ３が主成分である領域と、ＩｎＸ２ＺｎＹ２ＯＺ２、またはＩｎ
ＯＸ１が主成分である領域とが、偏在し、混合している構造を有するＩｎ−Ｇａ−Ｚｎ酸
化物を、ＣＡＣ−ＯＳと呼称することができる。
【０２５５】
また、ＣＡＣ−ＯＳにおける結晶構造は、ｎｃ構造を有する。ＣＡＣ−ＯＳが有するｎ
ｃ構造は、電子線回折像において、単結晶、多結晶、またはＣＡＡＣ構造を含むＩＧＺＯ
に起因する輝点（スポット）以外にも、数か所以上の輝点（スポット）を有する。または
、数か所以上の輝点（スポット）に加え、リング状に輝度の高い領域が現れるとして結晶
構造が定義される。
【０２５６】
また、図３２（Ａ）、図３２（Ｂ）、および図３２（Ｃ）より、ＧａＯＸ３が主成分で
ある領域、及びＩｎＸ２ＺｎＹ２ＯＺ２、またはＩｎＯＸ１が主成分である領域のサイズ
は、０．５ｎｍ以上１０ｎｍ以下、または１ｎｍ以上３ｎｍ以下で観察される。なお、好
ましくは、ＥＤＸマッピングにおいて、各元素が主成分である領域の径は、１ｎｍ以上２
ｎｍ以下とする。
【０２５７】
以上より、ＣＡＣ−ＯＳは、金属元素が均一に分布したＩＧＺＯ化合物とは異なる構造
であり、ＩＧＺＯ化合物と異なる性質を有する。つまり、ＣＡＣ−ＯＳは、ＧａＯＸ３な
どが主成分である領域と、ＩｎＸ２ＺｎＹ２ＯＺ２、またはＩｎＯＸ１が主成分である領
域と、に互いに相分離し、各元素を主成分とする領域がモザイク状である構造を有する。
【０２５８】
ここで、ＩｎＸ２ＺｎＹ２ＯＺ２、またはＩｎＯＸ１が主成分である領域は、ＧａＯＸ
３などが主成分である領域と比較して、導電性が高い領域である。つまり、ＩｎＸ２Ｚｎ
Ｙ２ＯＺ２、またはＩｎＯＸ１が主成分である領域を、キャリアが流れることにより、酸
化物半導体としての導電性が発現する。従って、ＩｎＸ２ＺｎＹ２ＯＺ２、またはＩｎＯ
Ｘ１が主成分である領域が、酸化物半導体中にクラウド状に分布することで、高い電界効
果移動度（μ）が実現できる。
【０２５９】
一方、ＧａＯＸ３などが主成分である領域は、ＩｎＸ２ＺｎＹ２ＯＺ２、またはＩｎＯ
Ｘ１が主成分である領域と比較して、絶縁性が高い領域である。つまり、ＧａＯＸ３など
が主成分である領域が、酸化物半導体中に分布することで、リーク電流を抑制し、良好な
スイッチング動作を実現できる。
【０２６０】
従って、ＣＡＣ−ＯＳを半導体素子に用いた場合、ＧａＯＸ３などに起因する絶縁性と
、ＩｎＸ２ＺｎＹ２ＯＺ２、またはＩｎＯＸ１に起因する導電性とが、相補的に作用する
ことにより、高いオン電流（Ｉｏｎ）、および高い電界効果移動度（μ）を実現すること
ができる。
【０２６１】
また、ＣＡＣ−ＯＳを用いた半導体素子は、信頼性が高い。従って、ＣＡＣ−ＯＳは、
ディスプレイをはじめとするさまざまな半導体装置に最適である。
【０２６２】
または、トランジスタのチャネルが形成される半導体に、シリコンを用いることが好ま
しい。シリコンとしてアモルファスシリコンを用いてもよいが、特に結晶性を有するシリ
コンを用いることが好ましい。例えば、微結晶シリコン、多結晶シリコン、単結晶シリコ
ンなどを用いることが好ましい。特に、多結晶シリコンは、単結晶シリコンに比べて低温
で形成でき、且つアモルファスシリコンに比べて高い電界効果移動度と高い信頼性を備え
る。このような多結晶半導体を画素に適用することで画素の開口率を向上させることがで
きる。また極めて高精細に画素を有する場合であっても、ゲート駆動回路とソース駆動回
路を画素と同一基板上に形成することが可能となり、電子機器を構成する部品数を低減す
ることができる。
【０２６３】
本実施の形態で例示したボトムゲート構造のトランジスタは、作製工程を削減できるた
め好ましい。またこのときアモルファスシリコンを用いることで、多結晶シリコンよりも
低温で形成できるため、半導体層よりも下層の配線や電極の材料、基板の材料として、耐
熱性の低い材料を用いることが可能なため、材料の選択の幅を広げることができる。例え
ば、極めて大面積のガラス基板などを好適に用いることができる。一方、トップゲート型
のトランジスタは、自己整合的に不純物領域を形成しやすいため、特性のばらつきなどを
低減することできるため好ましい。このとき特に、多結晶シリコンや単結晶シリコンなど
を用いる場合に適している。
【０２６４】
〔導電層〕
トランジスタのゲート、ソースおよびドレインのほか、表示装置を構成する各種配線お
よび電極などの導電層に用いることのできる材料としては、アルミニウム、チタン、クロ
ム、ニッケル、銅、イットリウム、ジルコニウム、モリブデン、銀、タンタル、またはタ
ングステンなどの金属、またはこれを主成分とする合金などが挙げられる。またこれらの
材料を含む膜を単層で、または積層構造として用いることができる。例えば、シリコンを
含むアルミニウム膜の単層構造、チタン膜上にアルミニウム膜を積層する二層構造、タン
グステン膜上にアルミニウム膜を積層する二層構造、銅−マグネシウム−アルミニウム合
金膜上に銅膜を積層する二層構造、チタン膜上に銅膜を積層する二層構造、タングステン
膜上に銅膜を積層する二層構造、チタン膜または窒化チタン膜と、その上に重ねてアルミ
ニウム膜または銅膜を積層し、さらにその上にチタン膜または窒化チタン膜を形成する三
層構造、モリブデン膜または窒化モリブデン膜と、その上に重ねてアルミニウム膜または
銅膜を積層し、さらにその上にモリブデン膜または窒化モリブデン膜を形成する三層構造
等がある。なお、酸化インジウム、酸化錫または酸化亜鉛等の酸化物を用いてもよい。ま
た、マンガンを含む銅を用いると、エッチングによる形状の制御性が高まるため好ましい
。
【０２６５】
また、透光性を有する導電性材料としては、酸化インジウム、インジウム錫酸化物、イ
ンジウム亜鉛酸化物、酸化亜鉛、ガリウムを添加した酸化亜鉛などの導電性酸化物または
グラフェンを用いることができる。または、金、銀、白金、マグネシウム、ニッケル、タ
ングステン、クロム、モリブデン、鉄、コバルト、銅、パラジウム、またはチタンなどの
金属材料や、該金属材料を含む合金材料を用いることができる。または、該金属材料の窒
化物（例えば、窒化チタン）などを用いてもよい。なお、金属材料、合金材料（またはそ
れらの窒化物）を用いる場合には、透光性を有する程度に薄くすればよい。また、上記材
料の積層膜を導電層として用いることができる。例えば、銀とマグネシウムの合金とイン
ジウムスズ酸化物の積層膜などを用いると、導電性を高めることができるため好ましい。
これらは、表示装置を構成する各種配線および電極などの導電層や、表示素子が有する導
電層（画素電極や共通電極として機能する導電層）にも用いることができる。
【０２６６】
〔絶縁層〕
各絶縁層に用いることのできる絶縁材料としては、例えば、アクリル、エポキシなどの
樹脂、シロキサン結合を有する樹脂の他、酸化シリコン、酸化窒化シリコン、窒化酸化シ
リコン、窒化シリコン、酸化アルミニウムなどの無機絶縁材料を用いることもできる。
【０２６７】
また発光素子は、一対の透水性の低い絶縁膜の間に設けられていることが好ましい。こ
れにより、発光素子に水等の不純物が侵入することを抑制でき、装置の信頼性の低下を抑
制できる。
【０２６８】
透水性の低い絶縁膜としては、窒化シリコン膜、窒化酸化シリコン膜等の窒素と珪素を
含む膜や、窒化アルミニウム膜等の窒素とアルミニウムを含む膜等が挙げられる。また、
酸化シリコン膜、酸化窒化シリコン膜、酸化アルミニウム膜等を用いてもよい。
【０２６９】
例えば、透水性の低い絶縁膜の水蒸気透過量は、１×１０−５［ｇ／（ｍ２・ｄａｙ）
］以下、好ましくは１×１０−６［ｇ／（ｍ２・ｄａｙ）］以下、より好ましくは１×１
０−７［ｇ／（ｍ２・ｄａｙ）］以下、さらに好ましくは１×１０−８［ｇ／（ｍ２・ｄ
ａｙ）］以下とする。
【０２７０】
〔発光素子〕
発光素子としては、自発光が可能な素子を用いることができ、電流又は電圧によって輝
度が制御される素子をその範疇に含んでいる。例えば、発光ダイオード（ＬＥＤ）、有機
ＥＬ素子、無機ＥＬ素子等を用いることができる。
【０２７１】
発光素子は、トップエミッション型、ボトムエミッション型、デュアルエミッション型
のいずれであってもよい。光を取り出す側の電極には、可視光を透過する導電膜を用いる
。また、光を取り出さない側の電極には、可視光を反射する導電膜を用いることが好まし
い。
【０２７２】
ＥＬ層は少なくとも発光層を有する。ＥＬ層は、発光層以外の層として、正孔注入性の
高い物質、正孔輸送性の高い物質、正孔ブロック材料、電子輸送性の高い物質、電子注入
性の高い物質、又はバイポーラ性の物質（電子輸送性及び正孔輸送性が高い物質）等を含
む層をさらに有していてもよい。
【０２７３】
ＥＬ層には低分子系化合物及び高分子系化合物のいずれを用いることもでき、無機化合
物を含んでいてもよい。ＥＬ層を構成する層は、それぞれ、蒸着法（真空蒸着法を含む）
、転写法、印刷法、インクジェット法、塗布法等の方法で形成することができる。
【０２７４】
陰極と陽極の間に、発光素子の閾値電圧より高い電圧を印加すると、ＥＬ層に陽極側か
ら正孔が注入され、陰極側から電子が注入される。注入された電子と正孔はＥＬ層におい
て再結合し、ＥＬ層に含まれる発光物質が発光する。
【０２７５】
発光素子として、白色発光の発光素子を適用する場合には、ＥＬ層に２種類以上の発光
物質を含む構成とすることが好ましい。例えば２以上の発光物質の各々の発光が補色の関
係となるように、発光物質を選択することにより白色発光を得ることができる。例えば、
それぞれＲ（赤）、Ｇ（緑）、Ｂ（青）、Ｙ（黄）、Ｏ（橙）等の発光を示す発光物質、
またはＲ、Ｇ、Ｂのうち２以上の色のスペクトル成分を含む発光を示す発光物質のうち、
２以上を含むことが好ましい。また、発光素子からの発光のスペクトルが、可視光領域の
波長（例えば３５０ｎｍ〜７５０ｎｍ）の範囲内に２以上のピークを有する発光素子を適
用することが好ましい。また、黄色の波長領域にピークを有する材料の発光スペクトルは
、緑色及び赤色の波長領域にもスペクトル成分を有する材料であることが好ましい。
【０２７６】
ＥＬ層は、一の色を発光する発光材料を含む発光層と、他の色を発光する発光材料を含
む発光層とが積層された構成とすることが好ましい。例えば、ＥＬ層における複数の発光
層は、互いに接して積層されていてもよいし、いずれの発光材料も含まない領域を介して
積層されていてもよい。例えば、蛍光発光層と燐光発光層との間に、当該蛍光発光層また
は燐光発光層と同一の材料（例えばホスト材料、アシスト材料）を含み、且ついずれの発
光材料も含まない領域を設ける構成としてもよい。これにより、発光素子の作製が容易に
なり、また、駆動電圧が低減される。
【０２７７】
また、発光素子は、ＥＬ層を１つ有するシングル素子であってもよいし、複数のＥＬ層
が電荷発生層を介して積層されたタンデム素子であってもよい。
【０２７８】
可視光を透過する導電膜は、例えば、酸化インジウム、インジウム錫酸化物、インジウ
ム亜鉛酸化物、酸化亜鉛、ガリウムを添加した酸化亜鉛などを用いて形成することができ
る。また、金、銀、白金、マグネシウム、ニッケル、タングステン、クロム、モリブデン
、鉄、コバルト、銅、パラジウム、もしくはチタン等の金属材料、これら金属材料を含む
合金、又はこれら金属材料の窒化物（例えば、窒化チタン）等も、透光性を有する程度に
薄く形成することで用いることができる。また、上記材料の積層膜を導電層として用いる
ことができる。例えば、銀とマグネシウムの合金とインジウム錫酸化物の積層膜などを用
いると、導電性を高めることができるため好ましい。また、グラフェン等を用いてもよい
。
【０２７９】
可視光を反射する導電膜は、例えば、アルミニウム、金、白金、銀、ニッケル、タング
ステン、クロム、モリブデン、鉄、コバルト、銅、もしくはパラジウム等の金属材料、又
はこれら金属材料を含む合金を用いることができる。また、上記金属材料や合金に、ラン
タン、ネオジム、又はゲルマニウム等が添加されていてもよい。また、チタン、ニッケル
、またはネオジムと、アルミニウムを含む合金（アルミニウム合金）を用いてもよい。ま
た銅、パラジウム、マグネシウムと、銀を含む合金を用いてもよい。銀と銅を含む合金は
、耐熱性が高いため好ましい。さらに、アルミニウム膜またはアルミニウム合金膜に接し
て金属膜又は金属酸化物膜を積層することで、酸化を抑制することができる。このような
金属膜、金属酸化物膜の材料としては、チタンや酸化チタンなどが挙げられる。また、上
記可視光を透過する導電膜と金属材料からなる膜とを積層してもよい。例えば、銀とイン
ジウム錫酸化物の積層膜、銀とマグネシウムの合金とインジウム錫酸化物の積層膜などを
用いることができる。
【０２８０】
電極は、それぞれ、蒸着法やスパッタリング法を用いて形成すればよい。そのほか、イ
ンクジェット法などの吐出法、スクリーン印刷法などの印刷法、又はメッキ法を用いて形
成することができる。
【０２８１】
なお、上述した、発光層、ならびに正孔注入性の高い物質、正孔輸送性の高い物質、電
子輸送性の高い物質、及び電子注入性の高い物質、バイポーラ性の物質等を含む層は、そ
れぞれ量子ドットなどの無機化合物や、高分子化合物（オリゴマー、デンドリマー、ポリ
マー等）を有していてもよい。例えば、量子ドットを発光層に用いることで、発光材料と
して機能させることもできる。
【０２８２】
なお、量子ドット材料としては、コロイド状量子ドット材料、合金型量子ドット材料、
コア・シェル型量子ドット材料、コア型量子ドット材料などを用いることができる。また
、１２族と１６族、１３族と１５族、または１４族と１６族の元素グループを含む材料を
用いてもよい。または、カドミウム、セレン、亜鉛、硫黄、リン、インジウム、テルル、
鉛、ガリウム、ヒ素、アルミニウム等の元素を含む量子ドット材料を用いてもよい。
【０２８３】
〔液晶素子〕
液晶素子としては、例えば垂直配向（ＶＡ：Ｖｅｒｔｉｃａｌ  Ａｌｉｇｎｍｅｎｔ）
モードが適用された液晶素子を用いることができる。垂直配向モードとしては、ＭＶＡ（
Ｍｕｌｔｉ−Ｄｏｍａｉｎ  Ｖｅｒｔｉｃａｌ  Ａｌｉｇｎｍｅｎｔ）モード、ＰＶＡ（
Ｐａｔｔｅｒｎｅｄ  Ｖｅｒｔｉｃａｌ  Ａｌｉｇｎｍｅｎｔ）モード、ＡＳＶ（Ａｄｖ
ａｎｃｅｄ  Ｓｕｐｅｒ  Ｖｉｅｗ）モードなどを用いることができる。
【０２８４】
また、液晶素子には、様々なモードが適用された液晶素子を用いることができる。例え
ばＶＡモードのほかに、ＴＮ（Ｔｗｉｓｔｅｄ  Ｎｅｍａｔｉｃ）モード、ＩＰＳ（Ｉｎ
−Ｐｌａｎｅ−Ｓｗｉｔｃｈｉｎｇ）モード、ＦＦＳ（Ｆｒｉｎｇｅ  Ｆｉｅｌｄ  Ｓｗ
ｉｔｃｈｉｎｇ）モード、ＡＳＭ（Ａｘｉａｌｌｙ  Ｓｙｍｍｅｔｒｉｃ  ａｌｉｇｎｅ
ｄ  Ｍｉｃｒｏ−ｃｅｌｌ）モード、ＯＣＢ（Ｏｐｔｉｃａｌｌｙ  Ｃｏｍｐｅｎｓａｔ
ｅｄ  Ｂｉｒｅｆｒｉｎｇｅｎｃｅ）モード、ＦＬＣ（Ｆｅｒｒｏｅｌｅｃｔｒｉｃ  Ｌ
ｉｑｕｉｄ  Ｃｒｙｓｔａｌ）モード、ＡＦＬＣ（ＡｎｔｉＦｅｒｒｏｅｌｅｃｔｒｉｃ
Ｌｉｑｕｉｄ  Ｃｒｙｓｔａｌ）モード等が適用された液晶素子を用いることができる
。
【０２８５】
なお、液晶素子は、液晶の光学的変調作用によって光の透過または非透過を制御する素
子である。なお、液晶の光学的変調作用は、液晶にかかる電界（横方向の電界、縦方向の
電界又は斜め方向の電界を含む）によって制御される。なお、液晶素子に用いる液晶とし
ては、サーモトロピック液晶、低分子液晶、高分子液晶、高分子分散型液晶（ＰＤＬＣ：
Ｐｏｌｙｍｅｒ  Ｄｉｓｐｅｒｓｅｄ  Ｌｉｑｕｉｄ  Ｃｒｙｓｔａｌ）、強誘電性液晶
、反強誘電性液晶等を用いることができる。これらの液晶材料は、条件により、コレステ
リック相、スメクチック相、キュービック相、カイラルネマチック相、等方相等を示す。
【０２８６】
また、液晶材料としては、ポジ型の液晶、またはネガ型の液晶のいずれを用いてもよく
、適用するモードや設計に応じて最適な液晶材料を用いればよい。
【０２８７】
また、液晶の配向を制御するため、配向膜を設けることができる。なお、横電界方式を
採用する場合、配向膜を用いないブルー相を示す液晶を用いてもよい。ブルー相は液晶相
の一つであり、コレステリック液晶を昇温していくと、コレステリック相から等方相へ転
移する直前に発現する相である。ブルー相は狭い温度範囲でしか発現しないため、温度範
囲を改善するために数重量％以上のカイラル剤を混合させた液晶組成物を液晶層に用いる
。ブルー相を示す液晶とカイラル剤とを含む液晶組成物は、応答速度が短く、光学的等方
性である。また、ブルー相を示す液晶とカイラル剤とを含む液晶組成物は、配向処理が不
要であり、視野角依存性が小さい。また配向膜を設けなくてもよいのでラビング処理も不
要となるため、ラビング処理によって引き起こされる静電破壊を防止することができ、作
製工程中の液晶表示装置の不良や破損を軽減することができる。
【０２８８】
また、液晶素子として、透過型の液晶素子、反射型の液晶素子、または半透過型の液晶
素子などを用いることができる。
【０２８９】
透過型または半透過型の液晶素子を用いる場合、一対の基板を挟むように、２つの偏光
板を設ける。また偏光板よりも外側に、バックライトを設ける。バックライトとしては、
直下型のバックライトであってもよいし、エッジライト型のバックライトであってもよい
。ＬＥＤ（Ｌｉｇｈｔ  Ｅｍｉｔｔｉｎｇ  Ｄｉｏｄｅ）を備える直下型のバックライト
を用いると、ローカルディミングが容易となり、コントラストを高めることができるため
好ましい。また、エッジライト型のバックライトを用いると、バックライトを含めたタッ
チパネルモジュールの厚さを低減できるため好ましい。
【０２９０】
反射型の液晶素子を用いる場合には、表示面側に偏光板を設ける。またこれとは別に、
表示面側に光拡散板を配置すると、視認性を向上させられるため好ましい。
【０２９１】
〔接着層〕
接着層としては、紫外線硬化型等の光硬化型接着剤、反応硬化型接着剤、熱硬化型接着
剤、嫌気型接着剤などの各種硬化型接着剤を用いることができる。これら接着剤としては
エポキシ樹脂、アクリル樹脂、シリコーン樹脂、フェノール樹脂、ポリイミド樹脂、イミ
ド樹脂、ＰＶＣ（ポリビニルクロライド）樹脂、ＰＶＢ（ポリビニルブチラル）樹脂、Ｅ
ＶＡ（エチレンビニルアセテート）樹脂等が挙げられる。特に、エポキシ樹脂等の透湿性
が低い材料が好ましい。また、二液混合型の樹脂を用いてもよい。また、接着シート等を
用いてもよい。
【０２９２】
また、上記樹脂に乾燥剤を含んでいてもよい。例えば、アルカリ土類金属の酸化物（酸
化カルシウムや酸化バリウム等）のように、化学吸着によって水分を吸着する物質を用い
ることができる。または、ゼオライトやシリカゲル等のように、物理吸着によって水分を
吸着する物質を用いてもよい。乾燥剤が含まれていると、水分などの不純物が素子に侵入
することを抑制でき、表示パネルの信頼性が向上するため好ましい。
【０２９３】
また、上記樹脂に屈折率の高いフィラーや光散乱部材を混合することにより、光取り出
し効率を向上させることができる。例えば、酸化チタン、酸化バリウム、ゼオライト、ジ
ルコニウム等を用いることができる。
【０２９４】
〔接続層〕
接続層としては、異方性導電フィルム（ＡＣＦ：Ａｎｉｓｏｔｒｏｐｉｃ  Ｃｏｎｄｕ
ｃｔｉｖｅ  Ｆｉｌｍ）や、異方性導電ペースト（ＡＣＰ：Ａｎｉｓｏｔｒｏｐｉｃ  Ｃ
ｏｎｄｕｃｔｉｖｅ  Ｐａｓｔｅ）などを用いることができる。
【０２９５】
〔着色層〕
着色層に用いることのできる材料としては、金属材料、樹脂材料、顔料または染料が含
まれた樹脂材料などが挙げられる。
【０２９６】
〔遮光層〕
遮光層として用いることのできる材料としては、カーボンブラック、金属、金属酸化物
、複数の金属酸化物の固溶体を含む複合酸化物等が挙げられる。また、遮光層に、着色層
の材料を含む膜の積層膜を用いることもできる。例えば、ある色の光を透過する着色層に
用いる材料を含む膜と、他の色の光を透過する着色層に用いる材料を含む膜との積層構造
を用いることができる。着色層と遮光層の材料を共通化することで、装置を共通化できる
ほか工程を簡略化できるため好ましい。
【０２９７】
以上が各構成要素についての説明である。
【０２９８】
［構成例２］
以下では、本発明の一態様の表示装置の例として、入出力装置（タッチパネル）、入力
装置（タッチセンサ）等の構成例について説明する。
【０２９９】
ここで、本明細書等において、表示装置の一態様である表示パネルは表示面に画像等を
表示（出力）する機能を有するものである。したがって表示パネルは出力装置の一態様で
ある。
【０３００】
また、本明細書等では、表示パネルの基板に、例えばＦＰＣ（Ｆｌｅｘｉｂｌｅ  Ｐｒ
ｉｎｔｅｄ  Ｃｉｒｃｕｉｔ）もしくはＴＣＰ（Ｔａｐｅ  Ｃａｒｒｉｅｒ  Ｐａｃｋａ
ｇｅ）などのコネクターが取り付けられたもの、または基板にＣＯＧ（Ｃｈｉｐ  Ｏｎ  
Ｇｌａｓｓ）方式等によりＩＣ（集積回路）が実装されたものを、表示パネルモジュール
、表示モジュール、または単に表示パネルなどと呼ぶ場合がある。
【０３０１】
また、本明細書等において、タッチセンサは指やスタイラスなどの被検知体が触れる、
または近接することを検知する機能を有するものである。したがってタッチセンサは入力
装置の一態様である。
【０３０２】
また、本明細書等では、タッチセンサを有する基板を、タッチセンサパネル、または単
にタッチセンサなどと呼ぶ場合がある。また、本明細書等では、タッチセンサパネルの基
板に、例えばＦＰＣもしくはＴＣＰなどのコネクターが取り付けられたもの、または基板
にＣＯＧ方式等によりＩＣが実装されたものを、タッチセンサパネルモジュール、タッチ
センサモジュール、センサモジュール、または単にタッチセンサなどと呼ぶ場合がある。
【０３０３】
なお、本明細書等において、表示装置の一態様であるタッチパネルは表示面に画像等を
表示（出力）する機能と、表示面に指やスタイラスなどの被検知体が触れる、または近接
することを検知するタッチセンサとしての機能と、を有する。したがってタッチパネルは
入出力装置の一態様である。
【０３０４】
タッチパネルは、例えばタッチセンサ付き表示パネル（または表示装置）、タッチセン
サ機能つき表示パネル（または表示装置）とも呼ぶことができる。
【０３０５】
タッチパネルは、表示パネルとタッチセンサパネルとを有する構成とすることもできる
。または、表示パネルの内部にタッチセンサとしての機能を有する構成とすることもでき
る。
【０３０６】
また、本明細書等では、タッチパネルの基板に、例えばＦＰＣもしくはＴＣＰなどのコ
ネクターが取り付けられたもの、または基板にＣＯＧ方式等によりＩＣが実装されたもの
を、タッチパネルモジュール、表示モジュール、または単にタッチパネルなどと呼ぶ場合
がある。
【０３０７】
〔タッチセンサの構成例〕
以下では、入力装置（タッチセンサ）の構成例について、図面を参照して説明する。
【０３０８】
図１１（Ａ）に、入力装置１５０の上面概略図を示す。入力装置１５０は、基板１６０
上に複数の電極１５１、複数の電極１５２、複数の配線１５５、複数の配線１５６を有す
る。また基板１６０には、複数の電極１５１及び複数の電極１５２の各々と電気的に接続
するＦＰＣ（Ｆｌｅｘｉｂｌｅ  Ｐｒｉｎｔｅｄ  Ｃｉｒｃｕｉｔ）１５７が設けられて
いる。また、図１１（Ａ）では、ＦＰＣ１５７にＩＣ１５８が設けられている例を示して
いる。
【０３０９】
図１１（Ｂ）に、図１１（Ａ）中の一点鎖線で囲った領域の拡大図を示す。電極１５１
は、複数の菱形の電極パターンが、紙面横方向に連なった形状を有している。一列に並ん
だ菱形の電極パターンは、それぞれ電気的に接続されている。また電極１５２も同様に、
複数の菱形の電極パターンが、紙面縦方向に連なった形状を有し、一列に並んだ菱形の電
極パターンはそれぞれ電気的に接続されている。また、電極１５１と、電極１５２とはこ
れらの一部が重畳し、互いに交差している。この交差部分では電極１５１と電極１５２と
が電気的に短絡（ショート）しないように、絶縁体が挟持されている。
【０３１０】
また図１１（Ｃ）に示すように、菱形の形状を有する複数の電極１５２が、ブリッジ電
極１５３によって接続された構成としてもよい。島状の電極１５２は、縦方向に並べて配
置され、ブリッジ電極１５３により隣接する２つの電極１５２が電気的に接続されている
。このような構成とすることで、電極１５１と、電極１５２を同一の導電膜を加工するこ
とで同時に形成することができる。そのためこれらの膜厚のばらつきを抑制することがで
き、それぞれの電極の抵抗値や光透過率が場所によってばらつくことを抑制できる。なお
、ここでは電極１５２がブリッジ電極１５３を有する構成としたが、電極１５１がこのよ
うな構成であってもよい。
【０３１１】
また、図１１（Ｄ）に示すように、図１１（Ｂ）で示した電極１５１及び電極１５２の
菱形の電極パターンの内側をくりぬいて、輪郭部のみを残したような形状としてもよい。
このとき、電極１５１及び電極１５２の幅が、使用者から視認されない程度に細い場合に
は、後述するように電極１５１及び電極１５２に金属や合金などの遮光性の材料を用いて
もよい。また、図１１（Ｄ）に示す電極１５１または電極１５２が、上記ブリッジ電極１
５３を有する構成としてもよい。
【０３１２】
１つの電極１５１は、１つの配線１５５と電気的に接続している。また１つの電極１５
２は、１つの配線１５６と電気的に接続している。ここで、電極１５１と電極１５２のい
ずれか一方が、行配線に相当し、いずれか他方が列配線に相当する。
【０３１３】
ＩＣ１５８は、タッチセンサを駆動する機能を有する。ＩＣ１５８から出力された信号
は配線１５５または配線１５６を介して、電極１５１または電極１５２のいずれかに供給
される。また電極１５１または電極１５２のいずれかに流れる電流（または電位）が、配
線１５５または配線１５６を介してＩＣ１５８に入力される。
【０３１４】
ここで、入力装置１５０を表示パネルの表示面に重ねて、タッチパネルを構成する場合
には、電極１５１及び電極１５２に透光性を有する導電性材料を用いることが好ましい。
また、電極１５１及び電極１５２に透光性の導電性材料を用い、表示パネルからの光を電
極１５１または電極１５２を介して取り出す場合には、電極１５１と電極１５２との間に
、同一の導電性材料を含む導電膜をダミーパターンとして配置することが好ましい。この
ように、電極１５１と電極１５２との間の隙間の一部をダミーパターンにより埋めること
により、光透過率のばらつきを低減できる。その結果、入力装置１５０を透過する光の輝
度ムラを低減することができる。
【０３１５】
透光性を有する導電性材料としては、酸化インジウム、インジウム錫酸化物、インジウ
ム亜鉛酸化物、酸化亜鉛、ガリウムを添加した酸化亜鉛などの導電性酸化物を用いること
ができる。なお、グラフェンを含む膜を用いることもできる。グラフェンを含む膜は、例
えば膜状に形成された酸化グラフェンを含む膜を還元して形成することができる。還元す
る方法としては、熱を加える方法等を挙げることができる。
【０３１６】
または、透光性を有する程度に薄い金属または合金を用いることができる。例えば、金
、銀、白金、マグネシウム、ニッケル、タングステン、クロム、モリブデン、鉄、コバル
ト、銅、パラジウム、またはチタンなどの金属や、該金属を含む合金を用いることができ
る。または、該金属または合金の窒化物（例えば、窒化チタン）などを用いてもよい。ま
た、上述した材料を含む導電膜のうち、２以上を積層した積層膜を用いてもよい。
【０３１７】
また、電極１５１及び電極１５２には、使用者から視認されない程度に細く加工された
導電膜を用いてもよい。例えば、このような導電膜を格子状（メッシュ状）に加工するこ
とで、高い導電性と表示装置の高い視認性を得ることができる。このとき、導電膜は３０
ｎｍ以上１００μｍ以下、好ましくは５０ｎｍ以上５０μｍ以下、より好ましくは５０ｎ
ｍ以上２０μｍ以下の幅である部分を有することが好ましい。特に、１０μｍ以下のパタ
ーン幅を有する導電膜は、使用者が視認することが極めて困難となるため好ましい。
【０３１８】
一例として、図１２（Ａ）乃至（Ｄ）に、電極１５１または電極１５２の一部を拡大し
た概略図を示している。図１２（Ａ）は、格子状の導電膜１４６を用いた場合の例を示し
ている。このとき、導電膜１４６を、表示装置が有する表示素子と重ならないように配置
することで、表示装置からの光を遮光することがないため好ましい。その場合、格子の向
きを表示素子の配列と同じ向きとし、また格子の周期を表示素子の配列の周期の整数倍と
することが好ましい。
【０３１９】
また、図１２（Ｂ）には、三角形の開口が形成されるように加工された格子状の導電膜
１４７の例を示している。このような構成とすることで、図１２（Ａ）に示した場合に比
べて抵抗をより低くすることが可能となる。
【０３２０】
また、図１２（Ｃ）に示すように、周期性を有さないパターン形状を有する導電膜１４
８としてもよい。このような構成とすることで、表示装置の表示部と重ねたときにモアレ
が生じることを抑制できる。
【０３２１】
また、電極１５１及び電極１５２に、導電性のナノワイヤを用いてもよい。図１２（Ｄ
）には、ナノワイヤ１４９を用いた場合の例を示している。隣接するナノワイヤ１４９同
士が接触するように、適当な密度で分散することにより、２次元的なネットワークが形成
され、極めて透光性の高い導電膜として機能させることができる。例えば直径の平均値が
１ｎｍ以上１００ｎｍ以下、好ましくは５ｎｍ以上５０ｎｍ以下、より好ましくは５ｎｍ
以上２５ｎｍ以下のナノワイヤを用いることができる。ナノワイヤ１４９としては、Ａｇ
ナノワイヤや、Ｃｕナノワイヤ、Ａｌナノワイヤ等の金属ナノワイヤ、または、カーボン
ナノチューブなどを用いることができる。例えばＡｇナノワイヤの場合、光透過率は８９
％以上、シート抵抗値は４０Ω／□以上１００Ω／□以下を実現することができる。
【０３２２】
以上がタッチセンサの構成例についての説明である。
【０３２３】
〔タッチパネルの構成例〕
以下では、本発明の一態様の表示装置の例として、タッチパネルの構成例について、図
面を参照して説明する。
【０３２４】
図１３（Ａ）は、タッチパネル１００の斜視概略図である。また図１３（Ｂ）は、一対
の基板を分離した斜視概略図である。なお明瞭化のため、代表的な構成要素のみを示して
いる。また図１３（Ｂ）では、基板３１を破線で輪郭のみ明示している。
【０３２５】
タッチパネル１００は、入力装置１５０が設けられた基板３１と基板２１を有し、これ
らが重ねて設けられている。基板２１側の構成については、上記構成例１等を援用するこ
とができる。
【０３２６】
入力装置１５０の構成は、上記タッチセンサの構成例を援用できる。図１３（Ａ）（Ｂ
）では、入力装置１５０が複数の電極１５１、複数の電極１５２、複数の配線１５５、複
数の配線１５６を有する場合を示している。
【０３２７】
入力装置１５０としては、例えば静電容量方式のタッチセンサを適用できる。静電容量
方式としては、表面型静電容量方式、投影型静電容量方式等がある。また投影型静電容量
方式としては、自己容量方式、相互容量方式等がある。相互容量方式を用いると、同時多
点検出が可能となるため好ましい。以下では、投影型静電容量方式のタッチセンサを適用
する場合について説明する。
【０３２８】
なお、これに限られず、指やスタイラスなどの被検知体の近接、または接触を検知する
ことのできる様々なセンサを入力装置１５０に適用することもできる。
【０３２９】
図１３（Ａ）（Ｂ）に示すタッチパネル１００は、基板３１に入力装置１５０が設けら
れている。また入力装置１５０の配線１５５及び配線１５６等は、接続部１６９を介して
基板２１側に接続されたＦＰＣ４２と電気的に接続する。
【０３３０】
このような構成とすることで、タッチパネル１００に接続するＦＰＣを１つの基板側（
ここでは基板２１側）にのみ配置することができる。また、タッチパネル１００に２以上
のＦＰＣを取り付ける構成としてもよいが、図１３（Ａ）（Ｂ）に示すように、タッチパ
ネル１００には１つのＦＰＣ４２を設け、当該ＦＰＣ４２が、基板２１側と基板３１側の
両方に信号を供給する構成とすると、より部品点数を削減でき、構成を簡略化できるため
好ましい。
【０３３１】
接続部１６９には、例えば異方性の導電性を有する接続体が設けられている構成とする
ことができる。接続体としては、例えば導電性の粒子を用いることができる。導電性の粒
子としては、有機樹脂またはシリカなどの粒子の表面を金属材料で被覆したものを用いる
ことができる。金属材料としてニッケルや金を用いると接触抵抗を低減できるため好まし
い。またニッケルをさらに金で被覆するなど、２種類以上の金属材料を層状に被覆させた
粒子を用いることが好ましい。また接続体として弾性変形、または塑性変形する材料を用
いることが好ましい。このとき導電性の粒子は上下方向に潰れた形状となる場合がある。
こうすることで接続体と、これと電気的に接続する導電層との接触面積が増大し、接触抵
抗が低減できるほか、接続不良などの不具合の発生を抑制できる。
【０３３２】
また接続体は基板２１と基板３１を接着する接着層１４１（図示しない）に覆われるよ
うに配置することが好ましい。例えば接着層１４１となるペースト等を塗布した後に、接
続部１６９に接続体を散布すれよい。接着層１４１が設けられる部分に接続部１６９を配
置することで、接着層１４１を表示部３２上にも配置する構成（固体封止構造ともいう）
だけでなく、例えば中空封止構造の発光装置や、液晶表示装置等、接着層１４１を周辺に
用いる構成であれば同様に適用することができる。
【０３３３】
また、図１３（Ａ）（Ｂ）では、図１（Ａ）と異なり、ＩＣ１６８をＦＰＣ４２に実装
した場合の例を示している。このとき、ＩＣ１６８は入力装置１５０を駆動する機能を有
していてもよいし、入力装置１５０を駆動するＩＣを基板２１、基板３１、またはＦＰＣ
４２等に、別途設けてもよい。
【０３３４】
〔断面構成例〕
続いて、タッチパネル１００の断面構成の例について説明する。図１４は、タッチパネ
ル１００の断面概略図である。図１４は、図９と比較して、接着層１４１よりも基板３１
側の構成が主に相違している。
【０３３５】
基板３１の基板２１側の面上に、絶縁層１６１、絶縁層１６２、絶縁層１６３、絶縁層
１６４等が積層して設けられている。絶縁層１６１と絶縁層１６２の間には遮光層１３３
が設けられている。絶縁層１６２と絶縁層１６３の間に、電極１５１、電極１５２等が設
けられている。絶縁層１６３と絶縁層１６４の間に、ブリッジ電極１５３が設けられてい
る。絶縁層１６４の接着層１４１側の面には、着色層１３１ａ、着色層１３１ｂ、遮光層
１３２等が設けられている。
【０３３６】
図１４では、電極１５１と電極１５２の交差部を明示している。ブリッジ電極１５３は
、絶縁層１６３に設けられた開口を介して、電極１５２を挟む２つの電極１５１と電気的
に接続されている。
【０３３７】
電極１５１や電極１５２は、遮光層１３２と重なる位置に設けられている。また、図１
４では、電極１５１が発光素子４０と重ならないように配置されている例を示している。
言い換えると、電極１５１は、発光素子４０と重なる開口を有するメッシュ形状を有する
。このような構成とすることで、発光素子４０が発する光の経路上に電極１５１が配置さ
れないため、電極１５１を配置することによる輝度の低下は実質的に生じず、視認性が高
く、且つ消費電力が低減されたタッチパネルを実現できる。なお、電極１５２も同様の構
成とすることができる。
【０３３８】
また、電極１５１や電極１５２が発光素子４０と重ならないため、これらに比較的低抵
抗な金属材料を用いることができる。そのため、電極１５１や電極１５２に透光性の導電
性材料を用いた場合に比べて、タッチセンサの感度を向上させることができる。
【０３３９】
また、図１４では、電極１５１と電極１５２（及びブリッジ電極１５３）よりも基板３
１側に、これらと重ねて遮光層１３３が設けられている例を示している。遮光層１３３に
より、電極１５１等に金属材料を用いた場合であっても、これらの外光反射を抑制できる
ため、より視認性の高いタッチパネルを実現できる。なお、ここでは遮光層１３２と遮光
層１３３の２つの遮光層を設ける例を示したが、いずれか一方のみを配置する構成として
もよい。
【０３４０】
また、基板３１上の偏光板１３０を設けず、基板３１を指またはスタイラスなどの被検
知体が直接触れる基板として用いてもよい。このとき、基板３１上に保護層（セラミック
コート等）を設けることが好ましい。保護層は、例えば酸化シリコン、酸化アルミニウム
、酸化イットリウム、イットリア安定化ジルコニア（ＹＳＺ）などの無機絶縁材料を用い
ることができる。また、基板３１に強化ガラスを用いてもよい。強化ガラスは、イオン交
換法や風冷強化法等により物理的、または化学的な処理が施され、その表面に圧縮応力を
加えたものを用いることができる。タッチセンサを強化ガラスの一面に設け、その反対側
の面を例えば電子機器の最表面に設けてタッチ面として用いることにより、機器全体の厚
さを低減することができる。
【０３４１】
図１４に示すように、発光素子４０、複数のトランジスタ、及びタッチセンサを構成す
る電極等を、基板２１と基板３１の間に配置することで、部品点数が削減されたタッチパ
ネルを実現することができる。
【０３４２】
なお、タッチパネル１００の構成はこれに限られず、例えば入力装置１５０が設けられ
た基板を、例えば図１（Ａ）等に示す表示装置１０と重ねてタッチパネルを構成してもよ
い。
【０３４３】
図１５に、タッチセンサを構成する電極１５１及び電極１５２等を、基板３１の基板２
１側とは反対側に形成した例を示している。このような構成を、オンセル型のタッチパネ
ルと呼ぶことができる。
【０３４４】
基板３１上には、電極１５１、電極１５２が形成され、これらを覆って絶縁層１６３が
設けられている。また絶縁層１６３上にブリッジ電極１５３が設けられている。
【０３４５】
基板１７０は、タッチ面として機能する基板であり、例えばタッチパネルを電子機器に
組み込んだ際の筐体の一部、または保護ガラスなどとして機能する。基板１７０と基板３
１とは、接着層１６５によって貼り合わされている。
【０３４６】
ここで、図１５では、電極１５１が遮光層１３２と重なる領域だけでなく、発光素子４
０、着色層１３１ａ等と重なる領域にも配置されている例を示している。このとき、電極
１５１には、可視光を透過する材料を用いることができる。例えば金属酸化物を含む膜や
、グラフェンを含む膜、または金属や合金を含み、可視光を透過する程度に薄い膜などを
、電極１５１に用いることができる。なお、電極１５２についても同様である。また、ブ
リッジ電極１５３も同様の可視光を透過する材料を用いてもよいが、ブリッジ電極１５３
が遮光層１３２と重ねて配置される場合や、ブリッジ電極１５３の面積が極めて小さい場
合には、金属や合金など、可視光を遮光する材料を用いてもよい。
【０３４７】
以上がタッチパネルの断面構成例についての説明である。
【０３４８】
［構成例３］
以下では、本発明の一態様の表示装置の例として、反射型の液晶素子と、発光素子の両
方を有し、透過モードと反射モードの両方の表示を行うことのできる、表示装置（表示パ
ネル）の例を説明する。このような表示パネルを、ＴＲ−ｈｙｂｒｉｄ  ｄｉｓｐｌａｙ
（Ｔｒａｎｓｍｉｓｓｉｖｅ  ＯＬＥＤ  ａｎｄ  Ｒｅｆｌｅｃｔｉｖｅ  ＬＣ  Ｈｙｂ
ｒｉｄ  ｄｉｓｐｌａｙ）とも呼ぶことができる。
【０３４９】
このような表示パネルの一例としては、可視光を反射する電極を備える液晶素子と、発
光素子とを積層して配置した構成が挙げられる。このとき、可視光を反射する電極が開口
を有し、当該開口と発光素子とが重ねて配置されていることが好ましい。これにより、透
過モードでは当該開口を介して発光素子からの光が射出されるように駆動することができ
る。また、液晶素子を駆動するトランジスタと、発光素子を構成するトランジスタとが、
同一平面上に配置されていることが好ましい。また、発光素子と液晶素子とは、絶縁層を
介して積層されていることが好ましい。
【０３５０】
このような表示パネルは、屋外など外光の明るい場所では反射モードで表示することに
より、極めて電力消費が低い駆動を行うことができる。また夜間や室内など外光が暗い場
所では、透過モードで表示することにより、最適な輝度で画像を表示することができる。
さらに、透過モードと反射モードの両方のモードで表示することにより、極めて外光が明
るい場所であっても従来の表示パネルに比べて、低い消費電力で、且つコントラストの高
い表示を行うことができる。
【０３５１】
〔構成例〕
図１６（Ａ）は、表示装置２００の構成の一例を示すブロック図である。表示装置２０
０は、表示部３２にマトリクス状に配列した複数の画素２１０を有する。また表示装置２
００は、回路ＧＤと、回路ＳＤを有する。また方向Ｒに配列した複数の画素２１０、及び
回路ＧＤと電気的に接続する複数の配線Ｇ１、複数の配線Ｇ２、複数の配線ＡＮＯ、及び
複数の配線ＣＳＣＯＭを有する。また方向Ｃに配列した複数の画素２１０、及び回路ＳＤ
と電気的に接続する複数の配線Ｓ１及び複数の配線Ｓ２を有する。
【０３５２】
画素２１０は、反射型の液晶素子と、発光素子を有する。画素２１０において、液晶素
子と発光素子とは、互いに重なる部分を有する。
【０３５３】
図１６（Ｂ１）は、画素２１０が有する導電層１９１の構成例を示す。導電層１９１は
、画素２１０における液晶素子の反射電極として機能する。また導電層１９１には、開口
２５１が設けられている。
【０３５４】
図１６（Ｂ１）には、導電層１９１と重なる領域に位置する発光素子４０を破線で示し
ている。発光素子４０は、導電層１９１が有する開口２５１と重ねて配置されている。こ
れにより、発光素子４０が発する光は、開口２５１を介して表示面側に射出される。
【０３５５】
図１６（Ｂ１）では、方向Ｒに隣接する画素２１０が異なる色に対応する画素である。
このとき、図１６（Ｂ１）に示すように、方向Ｒに隣接する２つの画素において、開口２
５１が一列に配列されないように、導電層１９１の異なる位置に設けられていることが好
ましい。これにより、２つの発光素子４０を離すことが可能で、発光素子４０が発する光
が隣接する画素２１０が有する着色層に入射してしまう現象（クロストークともいう）を
抑制することができる。また、隣接する２つの発光素子４０を離して配置することができ
るため、発光素子４０のＥＬ層をシャドウマスク等により作り分ける場合であっても、高
い精細度の表示装置を実現できる。
【０３５６】
また、図１６（Ｂ２）に示すような配列としてもよい。
【０３５７】
非開口部の総面積に対する開口２５１の総面積の比の値が大きすぎると、液晶素子を用
いた表示が暗くなってしまう。また、非開口部の総面積に対する開口２５１の総面積の比
の値が小さすぎると、発光素子４０を用いた表示が暗くなってしまう。
【０３５８】
また、反射電極として機能する導電層１９１に設ける開口２５１の面積が小さすぎると
、発光素子４０が射出する光から取り出せる光の効率が低下してしまう。
【０３５９】
開口２５１の形状は、例えば多角形、四角形、楕円形、円形または十字等の形状とする
ことができる。また、細長い筋状、スリット状、市松模様状の形状としてもよい。また、
開口２５１を隣接する画素に寄せて配置してもよい。好ましくは、開口２５１を同じ色を
表示する他の画素に寄せて配置する。これにより、クロストークを抑制できる。
【０３６０】
〔回路構成例〕
図１７は、画素２１０の構成例を示す回路図である。図１７では、隣接する２つの画素
２１０を示している。
【０３６１】
画素２１０は、スイッチＳＷ１、容量素子Ｃ１、液晶素子６０、スイッチＳＷ２、トラ
ンジスタＭ、容量素子Ｃ２、及び発光素子４０等を有する。また、画素２１０には、配線
Ｇ１、配線Ｇ２、配線ＡＮＯ、配線ＣＳＣＯＭ、配線Ｓ１、及び配線Ｓ２が電気的に接続
されている。また、図１７では、液晶素子６０と電気的に接続する配線ＶＣＯＭ１、及び
発光素子４０と電気的に接続する配線ＶＣＯＭ２を示している。
【０３６２】
図１７では、スイッチＳＷ１及びスイッチＳＷ２に、トランジスタを用いた場合の例を
示している。
【０３６３】
スイッチＳＷ１は、ゲートが配線Ｇ１と接続され、ソース又はドレインの一方が配線Ｓ
１と接続され、ソース又はドレインの他方が容量素子Ｃ１の一方の電極、及び液晶素子６
０の一方の電極と接続されている。容量素子Ｃ１は、他方の電極が配線ＣＳＣＯＭと接続
されている。液晶素子６０は、他方の電極が配線ＶＣＯＭ１と接続されている。
【０３６４】
またスイッチＳＷ２は、ゲートが配線Ｇ２と接続され、ソース又はドレインの一方が配
線Ｓ２と接続され、ソース又はドレインの他方が、容量素子Ｃ２の一方の電極、トランジ
スタＭのゲートと接続されている。容量素子Ｃ２は、他方の電極がトランジスタＭのソー
ス又はドレインの一方、及び配線ＡＮＯと接続されている。トランジスタＭは、ソース又
はドレインの他方が発光素子４０の一方の電極と接続されている。発光素子４０は、他方
の電極が配線ＶＣＯＭ２と接続されている。
【０３６５】
図１７では、トランジスタＭが半導体を挟む２つのゲートを有し、これらが接続されて
いる例を示している。これにより、トランジスタＭが流すことのできる電流を増大させる
ことができる。
【０３６６】
配線Ｇ１には、スイッチＳＷ１を導通状態または非導通状態に制御する信号を与えるこ
とができる。配線ＶＣＯＭ１には、所定の電位を与えることができる。配線Ｓ１には、液
晶素子６０が有する液晶の配向状態を制御する信号を与えることができる。配線ＣＳＣＯ
Ｍには、所定の電位を与えることができる。
【０３６７】
配線Ｇ２には、スイッチＳＷ２を導通状態または非導通状態に制御する信号を与えるこ
とができる。配線ＶＣＯＭ２及び配線ＡＮＯには、発光素子４０が発光する電位差が生じ
る電位をそれぞれ与えることができる。配線Ｓ２には、トランジスタＭの導通状態を制御
する信号を与えることができる。
【０３６８】
図１７に示す画素２１０は、例えば反射モードの表示を行う場合には、配線Ｇ１及び配
線Ｓ１に与える信号により駆動し、液晶素子６０による光学変調を利用して表示すること
ができる。また、透過モードで表示を行う場合には、配線Ｇ２及び配線Ｓ２に与える信号
により駆動し、発光素子４０を発光させて表示することができる。また両方のモードで駆
動する場合には、配線Ｇ１、配線Ｇ２、配線Ｓ１及び配線Ｓ２のそれぞれに与える信号に
より駆動することができる。
【０３６９】
〔表示装置の断面構成例〕
図１８に、表示装置２００の断面概略図を示す。
【０３７０】
表示装置２００は、基板２１と基板３１の間に、絶縁層２２０を有する。また基板２１
と絶縁層２２０の間に、発光素子４０、トランジスタ２０５、トランジスタ２０６、着色
層１３４等を有する。また、絶縁層２２０と基板３１の間に、液晶素子６０、着色層１３
１、構造体１１等を有する。
【０３７１】
基板２１と絶縁層２２０とは、接着層１４１で貼り合わされている。また基板３１と絶
縁層２２０は液晶を封止する接着層１４２で貼り合わされている。
【０３７２】
液晶素子６０は反射型の液晶素子である。液晶素子６０は、導電層１９２、液晶１９３
、及び導電層１９４の積層構造を有する。また導電層１９２の基板２１側に接して、導電
層１９１が設けられている。導電層１９１は液晶素子６０の反射電極として機能する。ま
た導電層１９１は開口２５１を有する。また導電層１９２は可視光を透過する材料を含む
。
【０３７３】
発光素子４０は、ボトムエミッション型の発光素子である。発光素子４０は、絶縁層２
２０側から導電層１１１、ＥＬ層１１２、及び導電層１１３の順に積層された積層構造を
有する。導電層１１３は可視光を反射する材料を含み、導電層１１１は可視光を透過する
材料を含む。発光素子４０が発する光は、着色層１３４、絶縁層２２０、開口２５１、導
電層１９２等を介して、基板３１側に射出される。
【０３７４】
また、導電層１１１の端部を覆う絶縁層２１６上には、構造体１２が設けられている。
構造体１２は、絶縁層２２０と基板２１が必要以上に接近することを抑制するスペーサと
しての機能を有する。なお、構造体１２は不要であれば設けなくてもよい。
【０３７５】
トランジスタ２０５のソース又はドレインの一方は、発光素子４０の導電層１１１と電
気的に接続されている。例えばトランジスタ２０５は、図１７におけるトランジスタＭに
対応する。
【０３７６】
トランジスタ２０６のソース又はドレインの一方は、端子部２０７を介して導電層１９
１及び導電層１９２と電気的に接続されている。端子部２０７は、表示部３２内において
絶縁層２２０に設けられた開口を介して、絶縁層２２０の両面に設けられる導電層同士を
電気的に接続する機能を有する。例えばトランジスタ２０６は、図１７におけるスイッチ
ＳＷ１に対応する。
【０３７７】
基板２１の基板３１と重ならない領域には、端子部２０４が設けられている。端子部２
０４は端子部２０７と同様に、絶縁層２２０の両面に設けられる導電層同士を電気的に接
続する。端子部２０４の上面は、導電層１９２と同一の導電膜を加工して得られた導電層
が露出している。これにより、端子部２０４とＦＰＣ４２とが接続層２４２を介して電気
的に接続することができる。
【０３７８】
基板３１の基板２１側には、着色層１３１、遮光層１３２が設けられている。また着色
層１３１及び遮光層１３２を覆う絶縁層１９５が設けられている。絶縁層１９５は、オー
バーコートとしての機能を有する。また、絶縁層１９５の基板２１側に導電層１９４が設
けられている。
【０３７９】
また、接着層１４２が設けられる一部の領域には、接続部２５２が設けられている。接
続部２５２において、導電層１９２と同一の導電膜を加工して得られた導電層と、導電層
１９４の一部が、接続体２４３によって電気的に接続されている。したがって、基板３１
側に形成された導電層１９４に、基板２１側に接続されたＦＰＣ４２から入力される信号
または電位を、接続部２５２を介して供給することができる。
【０３８０】
導電層１９２と導電層１９４の間に、構造体１１が設けられている。構造体１１は、液
晶素子６０のセルギャップを保持する機能を有する。ここでは図７（Ａ）とは逆に、構造
体１１が基板３１側に形成されている例を示している。また絶縁層１９５の表面には凹部
が設けられ、構造体１１は当該凹部と重なる位置に形成されている。また構造体１１の上
面（表示面側に位置する表面の一部）が、着色層１３１の下面よりも上側に位置している
。したがって、基板２１と基板３１の距離を小さくすることが可能であり、視野角特性を
向上させることができる。
【０３８１】
なお、ここでは図示しないが、導電層１９４と液晶１９３の間、及び導電層１９２と液
晶１９３の間には、液晶１９３の配向を制御する配向膜が設けられていてもよい。この時
、配向膜の一部は、構造体１１の表面を覆って設けられていてもよい。
【０３８２】
表示装置２００を作製する方法の一例について説明する。例えば剥離層を有する支持基
板上に、導電層１９２、導電層１９１、絶縁層２２０を順に形成し、その後トランジスタ
２０５や発光素子４０等を形成した後、接着層１４１を用いて基板２１と支持基板を貼り
合せる。その後、剥離層と絶縁層２２０、及び剥離層と導電層１９２のそれぞれの界面で
剥離することにより、支持基板及び剥離層を除去する。またこれとは別に、着色層１３１
、遮光層１３２、構造体１１等をあらかじめ形成した基板３１を準備する。そして基板２
１または基板３１に液晶１９３を滴下し、接着層１４２により基板２１と基板３１を貼り
合せることで、表示装置２００を作製することができる。
【０３８３】
剥離層としては、絶縁層２２０及び導電層１９２との界面で剥離が生じる材料を適宜選
択することができる。特に、剥離層としてタングステンなどの高融点金属材料を含む層と
当該金属材料の酸化物を含む層を積層して用い、剥離層上の絶縁層２２０として、窒化シ
リコンや酸化窒化シリコン、窒化酸化シリコン等を複数積層した層を用いることが好まし
い。剥離層に高融点金属材料を用いると、これよりも後に形成する層の形成温度を高める
ことが可能で、不純物の濃度が低減され、信頼性の高い表示装置を実現できる。
【０３８４】
導電層１９２としては、金属酸化物、金属窒化物、または低抵抗化された酸化物半導体
等の酸化物を用いることが好ましい。酸化物半導体を用いる場合には、水素、ボロン、リ
ン、窒素、及びその他の不純物の濃度、並びに酸素欠損量の少なくとも一が、トランジス
タに用いる半導体層に比べて高められた材料を、導電層１９２に用いればよい。
【０３８５】
以上が構成例３についての説明である。
【０３８６】
本実施の形態は、少なくともその一部を本明細書中に記載する他の実施の形態と適宜組
み合わせて実施することができる。
【０３８７】
（実施の形態２）
本実施の形態では、本発明の一態様の表示装置に適用可能な入力装置（タッチセンサ）
の駆動方法の例について説明する。
【０３８８】
図１９（Ａ）は、相互容量方式のタッチセンサの構成を示すブロック図である。図１９
（Ａ）では、パルス電圧出力回路６０１、電流検出回路６０２を示している。なお図１９
（Ａ）では、パルスが与えられる電極６２１、電流の変化を検知する電極６２２をそれぞ
れ配線Ｘ１−Ｘ６、配線Ｙ１−Ｙ６の６本の配線として示している。なお、電極の数は、
これに限られない。また図１９（Ａ）は、電極６２１および電極６２２が重畳すること、
または電極６２１および電極６２２が近接して配置されることで形成される容量６０３を
図示している。なお、電極６２１と電極６２２とはその機能を互いに置き換えてもよい。
【０３８９】
例えば、実施の形態１で例示した電極１５１は電極６２１及び電極６２２の一方に対応
し、電極１５２が電極６２１及び電極６２２の他方に対応する。
【０３９０】
パルス電圧出力回路６０１は、例えば配線Ｘ１−Ｘ６に順にパルス電圧を入力するため
の回路である。電流検出回路６０２は、例えば配線Ｙ１−Ｙ６のそれぞれに流れる電流を
検出するための回路である。
【０３９１】
配線Ｘ１−Ｘ６のうち１つにパルス電圧が印加されることで、容量６０３を形成する電
極６２１および電極６２２の間には電界が生じ、電極６２２に電流が流れる。この電極間
に生じる電界の一部は、指やペンなど被検知体が近接または接触することにより遮蔽され
、電極間に生じる電界の強さが変化する。その結果、電極６２２に流れる電流の大きさが
変化する。
【０３９２】
例えば、被検知体の近接、または接触がない場合、配線Ｙ１−Ｙ６に流れる電流の大き
さは容量６０３の大きさに応じた値となる。一方、被検知体の近接、または接触により電
界の一部が遮蔽された場合には、配線Ｙ１−Ｙ６に流れる電流の大きさが減少する変化を
検出する。このことを利用して、被検知体の近接、または接触を検出することができる。
【０３９３】
なお電流検出回路６０２は、１本の配線に流れる電流の（時間的な）積分値を検出して
もよい。その場合には、例えば積分回路等を用いて検出を行えばよい。または、電流のピ
ーク値を検出してもよい。その場合には、例えば電流を電圧に変換して、電圧値のピーク
値を検出してもよい。
【０３９４】
図１９（Ｂ）には、図１９（Ａ）に示す相互容量方式のタッチセンサにおける入出力波
形のタイミングチャートの例を示す。図１９（Ｂ）では、１センシング期間で各行列の検
出を行うものとする。また図１９（Ｂ）では、被検知体の接触または近接を検出しない場
合（非タッチ時）と、被検知体の接触または近接を検出した場合（タッチ時）の２つの場
合を並べて示している。ここで、配線Ｙ１−Ｙ６については、検出される電流の大きさに
対応する電圧の波形を示している。
【０３９５】
図１９（Ｂ）に示すように、配線Ｘ１−Ｘ６には順次パルス電圧が与えられる。これに
応じて、配線Ｙ１−Ｙ６の配線に電流が流れる。非タッチ時では、配線Ｘ１−Ｘ６の配線
の電圧の変化に応じて、配線Ｙ１−Ｙ６には同様の電流が流れるため、配線Ｙ１−Ｙ６の
それぞれの出力波形は同様な波形となる。一方、タッチ時では、配線Ｙ１−Ｙ６のうち、
被検知体が接触、または近接する箇所に位置する配線に流れる電流が減少するため、図１
９（Ｂ）に示すように、出力波形が変化する。
【０３９６】
図１９（Ｂ）では、配線Ｘ３と配線Ｙ３とが交差する箇所またはその近傍に、被検知体
が接触または近接した場合の例を示している。
【０３９７】
このように、相互容量方式では一対の電極間に生じる電界が遮蔽されることに起因する
電流の変化を検出することにより、被検知体の位置情報を取得することができる。なお、
検出感度が高い場合には、被検知体が検知面（例えばタッチパネルの表面）から離れてい
ても、その座標を検出することもできる。
【０３９８】
また、タッチパネルにおいては、表示部の表示期間と、タッチセンサのセンシング期間
とをずらした駆動方法を用いることにより、タッチセンサの検出感度を高めることができ
る。例えば、表示の１フレーム期間の間に、表示期間と、センシング期間を分けて行えば
よい。またこのとき、１フレーム期間中に２以上のセンシング期間を設けることが好まし
い。センシングの頻度を増やすことで、検出感度をより高めることができる。
【０３９９】
またパルス電圧出力回路６０１及び電流検出回路６０２は、例えば１個のＩＣチップの
中に形成されていることが好ましい。当該ＩＣは、例えばタッチパネルに実装されること
、若しくは電子機器の筐体内の基板に実装されることが好ましい。また可撓性を有するタ
ッチパネルとする場合には、曲げた部分では寄生容量が増大し、ノイズの影響が大きくな
ってしまう恐れがあるため、ノイズの影響を受けにくい駆動方法が適用されたＩＣを用い
ることが好ましい。例えばシグナル−ノイズ比（Ｓ／Ｎ比）を高める駆動方法が適用され
たＩＣを用いることが好ましい。
【０４００】
本実施の形態は、少なくともその一部を本明細書中に記載する他の実施の形態と適宜組
み合わせて実施することができる。
【０４０１】
（実施の形態３）
本実施の形態では、上記実施の形態に示した各トランジスタに置き換えて用いることの
できるトランジスタの一例について、図面を用いて説明する。
【０４０２】
本発明の一態様の表示装置は、ボトムゲート型のトランジスタや、トップゲート型トラ
ンジスタなどの様々な形態のトランジスタを用いて作製することができる。よって、既存
の製造ラインに合わせて、使用する半導体層の材料やトランジスタ構造を容易に置き換え
ることができる。
【０４０３】
〔ボトムゲート型トランジスタ〕
図２０（Ａ１）は、ボトムゲート型のトランジスタの一種であるチャネル保護型のトラ
ンジスタ８１０の断面図である。図２０（Ａ１）において、トランジスタ８１０は基板７
７１上に形成されている。また、トランジスタ８１０は、基板７７１上に絶縁層７７２を
介して電極７４６を有する。また、電極７４６上に絶縁層７２６を介して半導体層７４２
を有する。電極７４６はゲート電極として機能できる。絶縁層７２６はゲート絶縁層とし
て機能できる。
【０４０４】
また、半導体層７４２のチャネル形成領域上に絶縁層７４１を有する。また、半導体層
７４２の一部と接して、絶縁層７２６上に電極７４４ａおよび電極７４４ｂを有する。電
極７４４ａは、ソース電極またはドレイン電極の一方として機能できる。電極７４４ｂは
、ソース電極またはドレイン電極の他方として機能できる。電極７４４ａの一部、および
電極７４４ｂの一部は、絶縁層７４１上に形成される。
【０４０５】
絶縁層７４１は、チャネル保護層として機能できる。チャネル形成領域上に絶縁層７４
１を設けることで、電極７４４ａおよび電極７４４ｂの形成時に生じる半導体層７４２の
露出を防ぐことができる。よって、電極７４４ａおよび電極７４４ｂの形成時に、半導体
層７４２のチャネル形成領域がエッチングされることを防ぐことができる。本発明の一態
様によれば、電気特性の良好なトランジスタを実現することができる。
【０４０６】
また、トランジスタ８１０は、電極７４４ａ、電極７４４ｂおよび絶縁層７４１上に絶
縁層７２８を有し、絶縁層７２８の上に絶縁層７２９を有する。
【０４０７】
例えば、絶縁層７７２は、絶縁層７２２や絶縁層７０５と同様の材料および方法を用い
て形成することができる。なお、絶縁層７７２は複数の絶縁層の積層であってもよい。ま
た、例えば、半導体層７４２は、半導体層７０８と同様の材料および方法を用いて形成す
ることができる。なお、半導体層７４２は複数の半導体層の積層であってもよい。また、
例えば、電極７４６は、電極７０６と同様の材料および方法を用いて形成することができ
る。なお、電極７４６は複数の導電層の積層であってもよい。また、例えば、絶縁層７２
６は、絶縁層７０７と同様の材料および方法を用いて形成することができる。なお、絶縁
層７２６は複数の絶縁層の積層であってもよい。また、例えば、電極７４４ａおよび電極
７４４ｂは、電極７１４または電極７１５と同様の材料および方法を用いて形成すること
ができる。なお、電極７４４ａおよび電極７４４ｂは複数の導電層の積層であってもよい
。また、例えば、絶縁層７４１は、絶縁層７２６と同様の材料および方法を用いて形成す
ることができる。なお、絶縁層７４１は複数の絶縁層の積層であってもよい。また、例え
ば、絶縁層７２８は、絶縁層７１０と同様の材料および方法を用いて形成することができ
る。なお、絶縁層７２８は複数の絶縁層の積層であってもよい。また、例えば、絶縁層７
２９は、絶縁層７１１と同様の材料および方法を用いて形成することができる。なお、絶
縁層７２９は複数の絶縁層の積層であってもよい。
【０４０８】
本実施の形態で開示するトランジスタを構成する電極、半導体層、絶縁層などは、他の
実施の形態に開示した材料および方法を用いて形成することができる。
【０４０９】
半導体層７４２に酸化物半導体を用いる場合、電極７４４ａおよび電極７４４ｂの、少
なくとも半導体層７４２と接する部分に、半導体層７４２の一部から酸素を奪い、酸素欠
損を生じさせることが可能な材料を用いることが好ましい。半導体層７４２中の酸素欠損
が生じた領域はキャリア濃度が増加し、当該領域はｎ型化し、ｎ型領域（ｎ＋層）となる
。したがって、当該領域はソース領域またはドレイン領域として機能することができる。
半導体層７４２に酸化物半導体を用いる場合、半導体層７４２から酸素を奪い、酸素欠損
を生じさせることが可能な材料の一例として、タングステン、チタン等を挙げることがで
きる。
【０４１０】
半導体層７４２にソース領域およびドレイン領域が形成されることにより、電極７４４
ａおよび電極７４４ｂと半導体層７４２の接触抵抗を低減することができる。よって、電
界効果移動度や、しきい値電圧などの、トランジスタの電気特性を良好なものとすること
ができる。
【０４１１】
半導体層７４２にシリコンなどの半導体を用いる場合は、半導体層７４２と電極７４４
ａの間、および半導体層７４２と電極７４４ｂの間に、ｎ型半導体またはｐ型半導体とし
て機能する層を設けることが好ましい。ｎ型半導体またはｐ型半導体として機能する層は
、トランジスタのソース領域またはドレイン領域として機能することができる。
【０４１２】
絶縁層７２９は、外部からのトランジスタへの不純物の拡散を防ぐ、または低減する機
能を有する材料を用いて形成することが好ましい。なお、必要に応じて絶縁層７２９を省
略することもできる。
【０４１３】
なお、半導体層７４２に酸化物半導体を用いる場合、絶縁層７２９の形成前または形成
後、もしくは絶縁層７２９の形成前後に加熱処理を行ってもよい。加熱処理を行うことで
、絶縁層７２９や他の絶縁層中に含まれる酸素を半導体層７４２中に拡散させ、半導体層
７４２中の酸素欠損を補填することができる。または、絶縁層７２９を加熱しながら成膜
することで、半導体層７４２中の酸素欠損を補填することができる。
【０４１４】
なお、一般に、ＣＶＤ法は、プラズマを利用するプラズマＣＶＤ（ＰＥＣＶＤ：Ｐｌａ
ｓｍａ  Ｅｎｈａｎｃｅｄ  ＣＶＤ）法、熱を利用する熱ＣＶＤ（ＴＣＶＤ：Ｔｈｅｒｍ
ａｌ  ＣＶＤ）法などに分類できる。さらに用いる原料ガスによって金属ＣＶＤ（ＭＣＶ
Ｄ：Ｍｅｔａｌ  ＣＶＤ）法、有機金属ＣＶＤ（ＭＯＣＶＤ：Ｍｅｔａｌ  Ｏｒｇａｎｉ
ｃ  ＣＶＤ）法などに分類できる。
【０４１５】
また、一般に、蒸着法は、抵抗加熱蒸着法、電子線蒸着法、ＭＢＥ（Ｍｏｌｅｃｕｌａ
ｒ  Ｂｅａｍ  Ｅｐｉｔａｘｙ）法、ＰＬＤ（Ｐｕｌｓｅｄ  Ｌａｓｅｒ  Ｄｅｐｏｓｉ
ｔｉｏｎ）法、ＩＢＡＤ（Ｉｏｎ  Ｂｅａｍ  Ａｓｓｉｓｔｅｄ  Ｄｅｐｏｓｉｔｉｏｎ
）法、ＡＬＤ（Ａｔｏｍｉｃ  Ｌａｙｅｒ  Ｄｅｐｏｓｉｔｉｏｎ）法などに分類できる
。
【０４１６】
プラズマＣＶＤ法は、比較的低温で高品質の膜が得られる。また、ＭＯＣＶＤ法や蒸着
法などの、成膜時にプラズマを用いない成膜方法を用いると、被形成面にダメージが生じ
にくく、また、欠陥の少ない膜が得られる。
【０４１７】
また、一般に、スパッタリング法は、ＤＣスパッタリング法、マグネトロンスパッタリ
ング法、ＲＦスパッタリング法、イオンビームスパッタリング法、ＥＣＲ（Ｅｌｅｃｔｒ
ｏｎ  Ｃｙｃｌｏｔｒｏｎ  Ｒｅｓｏｎａｎｃｅ）スパッタリング法、対向ターゲットス
パッタリング法などに分類できる。
【０４１８】
対向ターゲットスパッタリング法では、プラズマがターゲット間に閉じこめられるため
、基板へのプラズマダメージを低減することができる。また、ターゲットの傾きによって
は、スパッタリング粒子の基板への入射角度を浅くすることができるため、段差被覆性を
高めることができる。
【０４１９】
図２０（Ａ２）に示すトランジスタ８１１は、絶縁層７２９上にバックゲート電極とし
て機能できる電極７２３を有する点が、トランジスタ８１０と異なる。電極７２３は、電
極７４６と同様の材料および方法で形成することができる。
【０４２０】
一般に、バックゲート電極は導電層で形成され、ゲート電極とバックゲート電極で半導
体層のチャネル形成領域を挟むように配置される。よって、バックゲート電極は、ゲート
電極と同様に機能させることができる。バックゲート電極の電位は、ゲート電極と同電位
としてもよいし、接地電位（ＧＮＤ電位）や、任意の電位としてもよい。また、バックゲ
ート電極の電位をゲート電極と連動させず独立して変化させることで、トランジスタのし
きい値電圧を変化させることができる。
【０４２１】
電極７４６および電極７２３は、どちらもゲート電極として機能することができる。よ
って、絶縁層７２６、絶縁層７２８、および絶縁層７２９は、それぞれがゲート絶縁層と
して機能することができる。なお、電極７２３は、絶縁層７２８と絶縁層７２９の間に設
けてもよい。
【０４２２】
なお、電極７４６または電極７２３の一方を、「ゲート電極」という場合、他方を「バ
ックゲート電極」という。例えば、トランジスタ８１１において、電極７２３を「ゲート
電極」と言う場合、電極７４６を「バックゲート電極」と言う。また、電極７２３を「ゲ
ート電極」として用いる場合は、トランジスタ８１１をトップゲート型のトランジスタの
一種と考えることができる。また、電極７４６および電極７２３のどちらか一方を、「第
１のゲート電極」といい、他方を「第２のゲート電極」という場合がある。
【０４２３】
半導体層７４２を挟んで電極７４６および電極７２３を設けることで、更には、電極７
４６および電極７２３を同電位とすることで、半導体層７４２においてキャリアの流れる
領域が膜厚方向においてより大きくなるため、キャリアの移動量が増加する。この結果、
トランジスタ８１１のオン電流が大きくなる共に、電界効果移動度が高くなる。
【０４２４】
したがって、トランジスタ８１１は、占有面積に対して大きいオン電流を有するトラン
ジスタである。すなわち、求められるオン電流に対して、トランジスタ８１１の占有面積
を小さくすることができる。本発明の一態様によれば、トランジスタの占有面積を小さく
することができる。よって、本発明の一態様によれば、集積度の高い半導体装置を実現す
ることができる。
【０４２５】
また、ゲート電極とバックゲート電極は導電層で形成されるため、トランジスタの外部
で生じる電界が、チャネルが形成される半導体層に作用しないようにする機能（特に静電
気などに対する電界遮蔽機能）を有する。なお、バックゲート電極を半導体層よりも大き
く形成し、バックゲート電極で半導体層を覆うことで、電界遮蔽機能を高めることができ
る。
【０４２６】
また、電極７４６および電極７２３は、それぞれが外部からの電界を遮蔽する機能を有
するため、絶縁層７７２側もしくは電極７２３上方に生じる荷電粒子等の電荷が半導体層
７４２のチャネル形成領域に影響しない。この結果、ストレス試験（例えば、ゲートに負
の電荷を印加する−ＧＢＴ（Ｇａｔｅ  Ｂｉａｓ−Ｔｅｍｐｅｒａｔｕｒｅ）ストレス試
験）による劣化が抑制される。また、ドレイン電圧の大きさにより、オン電流が流れ始め
るゲート電圧（立ち上がり電圧）が変化する現象を軽減することができる。なお、この効
果は、電極７４６および電極７２３が、同電位、または異なる電位の場合において生じる
。
【０４２７】
なお、ＢＴストレス試験は加速試験の一種であり、長期間の使用によって起こるトラン
ジスタの特性変化（経年変化）を短時間で評価することができる。特に、ＢＴストレス試
験前後におけるトランジスタのしきい値電圧の変動量は、信頼性を調べるための重要な指
標となる。しきい値電圧の変動量が少ないほど、信頼性が高いトランジスタであるといえ
る。
【０４２８】
また、電極７４６および電極７２３を有し、且つ電極７４６および電極７２３を同電位
とすることで、しきい値電圧の変動量が低減される。このため、複数のトランジスタにお
ける電気特性のばらつきも同時に低減される。
【０４２９】
また、バックゲート電極を有するトランジスタは、ゲートに正の電荷を印加する＋ＧＢ
Ｔストレス試験前後におけるしきい値電圧の変動も、バックゲート電極を有さないトラン
ジスタより小さい。
【０４３０】
また、バックゲート電極を、遮光性を有する導電膜で形成することで、バックゲート電
極側から半導体層に光が入射することを防ぐことができる。よって、半導体層の光劣化を
防ぎ、トランジスタのしきい値電圧がシフトするなどの電気特性の劣化を防ぐことができ
る。
【０４３１】
本発明の一態様によれば、信頼性の良好なトランジスタを実現することができる。また
、信頼性の良好な半導体装置を実現することができる。
【０４３２】
図２０（Ｂ１）に、ボトムゲート型のトランジスタの１つであるチャネル保護型のトラ
ンジスタ８２０の断面図を示す。トランジスタ８２０は、トランジスタ８１０とほぼ同様
の構造を有しているが、絶縁層７４１が半導体層７４２の端部を覆っている点が異なる。
また、半導体層７４２と重なる絶縁層７４１の一部を選択的に除去して形成した開口部に
おいて、半導体層７４２と電極７４４ａが電気的に接続している。また、半導体層７４２
と重なる絶縁層７４１の一部を選択的に除去して形成した他の開口部において、半導体層
７４２と電極７４４ｂが電気的に接続している。絶縁層７４１の、チャネル形成領域と重
なる領域は、チャネル保護層として機能できる。
【０４３３】
図２０（Ｂ２）に示すトランジスタ８２１は、絶縁層７２９上にバックゲート電極とし
て機能できる電極７２３を有する点が、トランジスタ８２０と異なる。
【０４３４】
絶縁層７４１を設けることで、電極７４４ａおよび電極７４４ｂの形成時に生じる半導
体層７４２の露出を防ぐことができる。よって、電極７４４ａおよび電極７４４ｂの形成
時に半導体層７４２の薄膜化を防ぐことができる。
【０４３５】
また、トランジスタ８２０およびトランジスタ８２１は、トランジスタ８１０およびト
ランジスタ８１１よりも、電極７４４ａと電極７４６の間の距離と、電極７４４ｂと電極
７４６の間の距離が長くなる。よって、電極７４４ａと電極７４６の間に生じる寄生容量
を小さくすることができる。また、電極７４４ｂと電極７４６の間に生じる寄生容量を小
さくすることができる。本発明の一態様によれば、電気特性の良好なトランジスタを実現
できる。
【０４３６】
図２０（Ｃ１）に示すトランジスタ８２５は、ボトムゲート型のトランジスタの１つで
あるチャネルエッチング型のトランジスタである。トランジスタ８２５は、絶縁層７４１
を用いずに電極７４４ａおよび電極７４４ｂを形成する。このため、電極７４４ａおよび
電極７４４ｂの形成時に露出する半導体層７４２の一部がエッチングされる場合がある。
一方、絶縁層７４１を設けないため、トランジスタの生産性を高めることができる。
【０４３７】
図２０（Ｃ２）に示すトランジスタ８２６は、絶縁層７２９上にバックゲート電極とし
て機能できる電極７２３を有する点が、トランジスタ８２５と異なる。
【０４３８】
〔トップゲート型トランジスタ〕
図２１（Ａ１）に、トップゲート型のトランジスタの一種であるトランジスタ８３０の
断面図を示す。トランジスタ８３０は、絶縁層７７２の上に半導体層７４２を有し、半導
体層７４２および絶縁層７７２上に、半導体層７４２の一部に接する電極７４４ａ、およ
び半導体層７４２の一部に接する電極７４４ｂを有し、半導体層７４２、電極７４４ａ、
および電極７４４ｂ上に絶縁層７２６を有し、絶縁層７２６上に電極７４６を有する。
【０４３９】
トランジスタ８３０は、電極７４６および電極７４４ａ、並びに、電極７４６および電
極７４４ｂが重ならないため、電極７４６および電極７４４ａの間に生じる寄生容量、並
びに、電極７４６および電極７４４ｂの間に生じる寄生容量を小さくすることができる。
また、電極７４６を形成した後に、電極７４６をマスクとして用いて不純物７５５を半導
体層７４２に導入することで、半導体層７４２中に自己整合（セルフアライメント）的に
不純物領域を形成することができる（図２１（Ａ３）参照）。本発明の一態様によれば、
電気特性の良好なトランジスタを実現することができる。
【０４４０】
なお、不純物７５５の導入は、イオン注入装置、イオンドーピング装置またはプラズマ
処理装置を用いて行うことができる。
【０４４１】
不純物７５５としては、例えば、第１３族元素または第１５族元素のうち、少なくとも
一種類の元素を用いることができる。また、半導体層７４２に酸化物半導体を用いる場合
は、不純物７５５として、希ガス、水素、および窒素のうち、少なくとも一種類の元素を
用いることも可能である。
【０４４２】
図２１（Ａ２）に示すトランジスタ８３１は、電極７２３および絶縁層７２７を有する
点がトランジスタ８３０と異なる。トランジスタ８３１は、絶縁層７７２の上に形成され
た電極７２３を有し、電極７２３上に形成された絶縁層７２７を有する。電極７２３は、
バックゲート電極として機能することができる。よって、絶縁層７２７は、ゲート絶縁層
として機能することができる。絶縁層７２７は、絶縁層７２６と同様の材料および方法に
より形成することができる。
【０４４３】
トランジスタ８１１と同様に、トランジスタ８３１は、占有面積に対して大きいオン電
流を有するトランジスタである。すなわち、求められるオン電流に対して、トランジスタ
８３１の占有面積を小さくすることができる。本発明の一態様によれば、トランジスタの
占有面積を小さくすることができる。よって、本発明の一態様によれば、集積度の高い半
導体装置を実現することができる。
【０４４４】
図２１（Ｂ１）に例示するトランジスタ８４０は、トップゲート型のトランジスタの１
つである。トランジスタ８４０は、電極７４４ａおよび電極７４４ｂを形成した後に半導
体層７４２を形成する点が、トランジスタ８３０と異なる。また、図２１（Ｂ２）に例示
するトランジスタ８４１は、電極７２３および絶縁層７２７を有する点が、トランジスタ
８４０と異なる。トランジスタ８４０およびトランジスタ８４１において、半導体層７４
２の一部は電極７４４ａ上に形成され、半導体層７４２の他の一部は電極７４４ｂ上に形
成される。
【０４４５】
トランジスタ８１１と同様に、トランジスタ８４１は、占有面積に対して大きいオン電
流を有するトランジスタである。すなわち、求められるオン電流に対して、トランジスタ
８４１の占有面積を小さくすることができる。本発明の一態様によれば、トランジスタの
占有面積を小さくすることができる。よって、本発明の一態様によれば、集積度の高い半
導体装置を実現することができる。
【０４４６】
図２２（Ａ１）に例示するトランジスタ８４２は、トップゲート型のトランジスタの１
つである。トランジスタ８４２は、絶縁層７２９を形成した後に電極７４４ａおよび電極
７４４ｂを形成する点がトランジスタ８３０やトランジスタ８４０と異なる。電極７４４
ａおよび電極７４４ｂは、絶縁層７２８および絶縁層７２９に形成した開口部において半
導体層７４２と電気的に接続する。
【０４４７】
また、電極７４６と重ならない絶縁層７２６の一部を除去し、電極７４６と残りの絶縁
層７２６をマスクとして用いて不純物７５５を半導体層７４２に導入することで、半導体
層７４２中に自己整合（セルフアライメント）的に不純物領域を形成することができる（
図２２（Ａ３）参照）。トランジスタ８４２は、絶縁層７２６が電極７４６の端部を越え
て延伸する領域を有する。不純物７５５を半導体層７４２に導入する際に、半導体層７４
２の絶縁層７２６を介して不純物７５５が導入された領域の不純物濃度は、絶縁層７２６
を介さずに不純物７５５が導入された領域よりも小さくなる。よって、電極７４６に隣接
する半導体層７４２の領域にＬＤＤ（Ｌｉｇｈｔｌｙ  Ｄｏｐｅｄ  Ｄｒａｉｎ）領域が
形成される。
【０４４８】
図２２（Ａ２）に示すトランジスタ８４３は、電極７２３を有する点がトランジスタ８
４２と異なる。トランジスタ８４３は、基板７７１の上に形成された電極７２３を有し、
絶縁層７７２を介して半導体層７４２と重なる。電極７２３は、バックゲート電極として
機能することができる。
【０４４９】
また、図２２（Ｂ１）に示すトランジスタ８４４および図２２（Ｂ２）に示すトランジ
スタ８４５のように、電極７４６と重ならない領域の絶縁層７２６を全て除去してもよい
。また、図２２（Ｃ１）に示すトランジスタ８４６および図２２（Ｃ２）に示すトランジ
スタ８４７のように、絶縁層７２６を残してもよい。
【０４５０】
トランジスタ８４２乃至トランジスタ８４７も、電極７４６を形成した後に、電極７４
６をマスクとして用いて不純物７５５を半導体層７４２に導入することで、半導体層７４
２中に自己整合的に不純物領域を形成することができる。本発明の一態様によれば、電気
特性の良好なトランジスタを実現することができる。また、本発明の一態様によれば、集
積度の高い半導体装置を実現することができる。
【０４５１】
本実施の形態は、少なくともその一部を本明細書中に記載する他の実施の形態と適宜組
み合わせて実施することができる。
【０４５２】
（実施の形態４）
本実施の形態では、本発明の一態様の表示装置を有する表示モジュール及び電子機器に
ついて、図面を用いて説明する。
【０４５３】
図２３に示す表示モジュール８０００は、上部カバー８００１と下部カバー８００２と
の間に、ＦＰＣ８００３に接続されたタッチパネル８００４、フレーム８００９、プリン
ト基板８０１０、バッテリ８０１１を有する。
【０４５４】
本発明の一態様の表示パネル、タッチパネル、またはタッチパネルモジュールは、例え
ば、タッチパネル８００４に用いることができる。
【０４５５】
上部カバー８００１及び下部カバー８００２は、タッチパネル８００４のサイズに合わ
せて、形状や寸法を適宜変更することができる。
【０４５６】
タッチパネル８００４は、抵抗膜方式または静電容量方式のタッチパネルを表示パネル
に重畳して用いることができる。また、タッチパネル８００４の対向基板（封止基板）に
、タッチパネル機能を持たせるようにすることも可能である。また、タッチパネル８００
４の各画素内に光センサを設け、光学式のタッチパネルとすることも可能である。
【０４５７】
また、透過型、または半透過型の液晶素子を用いた場合には、タッチパネル８００４と
フレーム８００９の間にバックライトを設けてもよい。バックライトは、光源を有する。
なお、バックライト上に光源を配置する構成としてもよいし、バックライトの端部に光源
を配置し、さらに光拡散板を用いる構成としてもよい。なお、有機ＥＬ素子等の自発光型
の発光素子を用いる場合、または反射型パネル等の場合においては、バックライトを設け
ない構成としてもよい。
【０４５８】
フレーム８００９は、タッチパネル８００４の保護機能の他、プリント基板８０１０の
動作により発生する電磁波を遮断するための電磁シールドとしての機能を有する。またフ
レーム８００９は、放熱板としての機能を有していてもよい。
【０４５９】
プリント基板８０１０は、電源回路、ビデオ信号及びクロック信号を出力するための信
号処理回路を有する。電源回路に電力を供給する電源としては、外部の商用電源であって
も良いし、別途設けたバッテリ８０１１による電源であってもよい。バッテリ８０１１は
、商用電源を用いる場合には、省略可能である。
【０４６０】
また、タッチパネル８００４は、偏光板、位相差板、プリズムシートなどの部材を追加
して設けてもよい。
【０４６１】
本発明の一態様の表示パネル、発光パネル、センサパネル、タッチパネル、タッチパネ
ルモジュール、入力装置、表示装置、または入出力装置を用いて、電子機器や照明装置を
作製できる。本発明の一態様の入力装置、表示装置、または入出力装置を用いて、曲面を
有し、信頼性の高い電子機器や照明装置を作製できる。また、本発明の一態様の入力装置
、表示装置、または入出力装置を用いて、可撓性を有し、信頼性の高い電子機器や照明装
置を作製できる。また本発明の一態様の入力装置、または入出力装置を用いて、タッチセ
ンサの検出感度が向上した電子機器や照明装置を作製できる。
【０４６２】
電子機器としては、例えば、テレビジョン装置（テレビ、又はテレビジョン受信機とも
いう）、コンピュータ用などのモニタ、デジタルカメラ、デジタルビデオカメラ、デジタ
ルフォトフレーム、携帯電話機（携帯電話、携帯電話装置ともいう）、携帯型ゲーム機、
携帯情報端末、音響再生装置、パチンコ機などの大型ゲーム機などが挙げられる。
【０４６３】
また、本発明の一態様の電子機器又は照明装置は可撓性を有する場合、家屋やビルの内
壁もしくは外壁、又は、自動車の内装もしくは外装の曲面に沿って組み込むことも可能で
ある。
【０４６４】
また、本発明の一態様の電子機器は、二次電池を有していてもよく、非接触電力伝送を
用いて、二次電池を充電することができると好ましい。
【０４６５】
二次電池としては、例えば、ゲル状電解質を用いるリチウムポリマー電池（リチウムイ
オンポリマー電池）等のリチウムイオン電池、ニッケル水素電池、ニカド電池、有機ラジ
カル電池、鉛蓄電池、空気電池、ニッケル亜鉛電池、銀亜鉛電池などが挙げられる。
【０４６６】
本発明の一態様の電子機器は、アンテナを有していてもよい。アンテナで信号を受信す
ることで、表示部で映像や情報等の表示を行うことができる。また、電子機器が二次電池
を有する場合、アンテナを、非接触電力伝送に用いてもよい。
【０４６７】
図２４（Ａ）乃至図２４（Ｈ）、及び図２５（Ａ）、（Ｂ）は、電子機器を示す図であ
る。これらの電子機器は、筐体５０００、表示部５００１、スピーカ５００３、ＬＥＤラ
ンプ５００４、操作キー５００５（電源スイッチ、又は操作スイッチを含む）、接続端子
５００６、センサ５００７（力、変位、位置、速度、加速度、角速度、回転数、距離、光
、液、磁気、温度、化学物質、音声、時間、硬度、電場、電流、電圧、電力、放射線、流
量、湿度、傾度、振動、におい又は赤外線を測定する機能を含むもの）、マイクロフォン
５００８、等を有することができる。
【０４６８】
図２４（Ａ）はモバイルコンピュータであり、上述したものの他に、スイッチ５００９
、赤外線ポート５０１０、等を有することができる。
【０４６９】
図２４（Ｂ）は記録媒体を備えた携帯型の画像再生装置（たとえば、ＤＶＤ再生装置）
であり、上述したものの他に、第２表示部５００２、記録媒体読込部５０１１、等を有す
ることができる。
【０４７０】
図２４（Ｃ）はテレビジョン装置であり、上述したものの他に、スタンド５０１２等を
有することができる。また、テレビジョン装置の操作は、筐体５０００が備える操作スイ
ッチや、別体のリモコン操作機５０１３により行うことができる。リモコン操作機５０１
３が備える操作キーにより、チャンネルや音量の操作を行うことができ、表示部５００１
に表示される映像を操作することができる。また、リモコン操作機５０１３に、当該リモ
コン操作機５０１３から出力する情報を表示する表示部を設ける構成としてもよい。
【０４７１】
図２４（Ｄ）は携帯型遊技機であり、上述したものの他に、記録媒体読込部５０１１、
等を有することができる。
【０４７２】
図２４（Ｅ）はテレビ受像機能付きデジタルカメラであり、上述したものの他に、アン
テナ５０１４、シャッターボタン５０１５、受像部５０１６、等を有することができる。
【０４７３】
図２４（Ｆ）は携帯型遊技機であり、上述したものの他に、第２表示部５００２、記録
媒体読込部５０１１、等を有することができる。
【０４７４】
図２４（Ｇ）は持ち運び型テレビ受像器であり、上述したものの他に、信号の送受信が
可能な充電器５０１７、等を有することができる。
【０４７５】
図２４（Ｈ）は腕時計型情報端末であり、上述したもののほかに、バンド５０１８、留
め金５０１９、等を有することができる。ベゼル部分を兼ねる筐体５０００に搭載された
表示部５００１は、非矩形状の表示領域を有している。表示部５００１は、時刻を表すア
イコン５０２０、その他のアイコン５０２１等を表示することができる。
【０４７６】
図２５（Ａ）はデジタルサイネージ（Ｄｉｇｉｔａｌ  Ｓｉｇｎａｇｅ：電子看板）で
ある。図２５（Ｂ）は円柱状の柱に取り付けられたデジタルサイネージである。
【０４７７】
図２４（Ａ）乃至図２４（Ｈ）、及び図２５（Ａ）、（Ｂ）に示す電子機器は、様々な
機能を有することができる。例えば、様々な情報（静止画、動画、テキスト画像など）を
表示部に表示する機能、タッチパネル機能、カレンダー、日付又は時刻などを表示する機
能、様々なソフトウェア（プログラム）によって処理を制御する機能、無線通信機能、無
線通信機能を用いて様々なコンピュータネットワークに接続する機能、無線通信機能を用
いて様々なデータの送信又は受信を行う機能、記録媒体に記録されているプログラム又は
データを読み出して表示部に表示する機能、等を有することができる。さらに、複数の表
示部を有する電子機器においては、一つの表示部を主として画像情報を表示し、別の一つ
の表示部を主として文字情報を表示する機能、または、複数の表示部に視差を考慮した画
像を表示することで立体的な画像を表示する機能、等を有することができる。さらに、受
像部を有する電子機器においては、静止画を撮影する機能、動画を撮影する機能、撮影し
た画像を自動または手動で補正する機能、撮影した画像を記録媒体（外部又はカメラに内
蔵）に保存する機能、撮影した画像を表示部に表示する機能、等を有することができる。
なお、図２４（Ａ）乃至図２４（Ｈ）、及び図２５（Ａ）、（Ｂ）に示す電子機器が有す
ることのできる機能はこれらに限定されず、様々な機能を有することができる。
【０４７８】
図２６（Ａ）、（Ｂ）、（Ｃ１）、（Ｃ２）、（Ｄ）、（Ｅ）に、湾曲した表示部７０
００を有する電子機器の一例を示す。表示部７０００はその表示面が湾曲して設けられ、
湾曲した表示面に沿って表示を行うことができる。なお、表示部７０００は可撓性を有し
ていてもよい。
【０４７９】
表示部７０００は、本発明の一態様の機能パネル、表示パネル、発光パネル、センサパ
ネル、タッチパネル、表示装置、または入出力装置等を用いて作製される。本発明の一態
様により、湾曲した表示部を備え、且つ信頼性の高い電子機器を提供できる。
【０４８０】
図２６（Ａ）に携帯電話機の一例を示す。携帯電話機７１００は、筐体７１０１、表示
部７０００、操作ボタン７１０３、外部接続ポート７１０４、スピーカ７１０５、マイク
７１０６等を有する。
【０４８１】
図２６（Ａ）に示す携帯電話機７１００は、表示部７０００にタッチセンサを備える。
電話を掛ける、或いは文字を入力するなどのあらゆる操作は、指やスタイラスなどで表示
部７０００に触れることで行うことができる。
【０４８２】
また、操作ボタン７１０３の操作により、電源のＯＮ、ＯＦＦ動作や、表示部７０００
に表示される画像の種類を切り替えることができる。例えば、メール作成画面から、メイ
ンメニュー画面に切り替えることができる。
【０４８３】
図２６（Ｂ）にテレビジョン装置の一例を示す。テレビジョン装置７２００は、筐体７
２０１に表示部７０００が組み込まれている。ここでは、スタンド７２０３により筐体７
２０１を支持した構成を示している。
【０４８４】
図２６（Ｂ）に示すテレビジョン装置７２００の操作は、筐体７２０１が備える操作ス
イッチや、別体のリモコン操作機７２１１により行うことができる。または、表示部７０
００にタッチセンサを備えていてもよく、指等で表示部７０００に触れることで操作して
もよい。リモコン操作機７２１１は、当該リモコン操作機７２１１から出力する情報を表
示する表示部を有していてもよい。リモコン操作機７２１１が備える操作キー又はタッチ
パネルにより、チャンネルや音量の操作を行うことができ、表示部７０００に表示される
映像を操作することができる。
【０４８５】
なお、テレビジョン装置７２００は、受信機やモデムなどを備えた構成とする。受信機
により一般のテレビ放送の受信を行うことができる。また、モデムを介して有線又は無線
による通信ネットワークに接続することにより、一方向（送信者から受信者）又は双方向
（送信者と受信者間、あるいは受信者間同士など）の情報通信を行うことも可能である。
【０４８６】
図２６（Ｃ１）、（Ｃ２）、（Ｄ）、（Ｅ）に携帯情報端末の一例を示す。各携帯情報
端末は、筐体７３０１及び表示部７０００を有する。さらに、操作ボタン、外部接続ポー
ト、スピーカ、マイク、アンテナ、又はバッテリ等を有していてもよい。表示部７０００
にはタッチセンサを備える。携帯情報端末の操作は、指やスタイラスなどで表示部７００
０に触れることで行うことができる。
【０４８７】
図２６（Ｃ１）は、携帯情報端末７３００の斜視図であり、図２６（Ｃ２）は携帯情報
端末７３００の上面図である。図２６（Ｄ）は、携帯情報端末７３１０の斜視図である。
図２６（Ｅ）は、携帯情報端末７３２０の斜視図である。
【０４８８】
本実施の形態で例示する携帯情報端末は、例えば、電話機、手帳又は情報閲覧装置等か
ら選ばれた一つ又は複数の機能を有する。具体的には、スマートフォンとしてそれぞれ用
いることができる。本実施の形態で例示する携帯情報端末は、例えば、移動電話、電子メ
ール、文章閲覧及び作成、音楽再生、インターネット通信、コンピュータゲームなどの種
々のアプリケーションを実行することができる。
【０４８９】
携帯情報端末７３００、携帯情報端末７３１０及び携帯情報端末７３２０は、文字や画
像情報をその複数の面に表示することができる。例えば、図２６（Ｃ１）、（Ｄ）に示す
ように、３つの操作ボタン７３０２を一の面に表示し、矩形で示す情報７３０３を他の面
に表示することができる。図２６（Ｃ１）、（Ｃ２）では、携帯情報端末の上側に情報が
表示される例を示し、図２６（Ｄ）では、携帯情報端末の横側に情報が表示される例を示
す。また、携帯情報端末の３面以上に情報を表示してもよく、図２６（Ｅ）では、情報７
３０４、情報７３０５、情報７３０６がそれぞれ異なる面に表示されている例を示す。
【０４９０】
なお、情報の例としては、ＳＮＳ（ソーシャル・ネットワーキング・サービス）の通知
、電子メールや電話などの着信を知らせる表示、電子メールなどの題名もしくは送信者名
、日時、時刻、バッテリの残量、アンテナ受信の強度などがある。または、情報が表示さ
れている位置に、情報の代わりに、操作ボタン、アイコンなどを表示してもよい。
【０４９１】
例えば、携帯情報端末７３００の使用者は、洋服の胸ポケットに携帯情報端末７３００
を収納した状態で、その表示（ここでは情報７３０３）を確認することができる。
【０４９２】
具体的には、着信した電話の発信者の電話番号又は氏名等を、携帯情報端末７３００の
上方から観察できる位置に表示する。使用者は、携帯情報端末７３００をポケットから取
り出すことなく、表示を確認し、電話を受けるか否かを判断できる。
【０４９３】
図２６（Ｆ）〜（Ｈ）に、湾曲した発光部を有する照明装置の一例を示している。
【０４９４】
図２６（Ｆ）〜（Ｈ）に示す各照明装置が有する発光部は、本発明の一態様の機能パネ
ル、表示パネル、発光パネル、センサパネル、タッチパネル、表示装置、または入出力装
置等を用いて作製される。本発明の一態様により、湾曲した発光部を備え、且つ信頼性の
高い照明装置を提供できる。
【０４９５】
図２６（Ｆ）に示す照明装置７４００は、波状の発光面を有する発光部７４０２を備え
る。したがってデザイン性の高い照明装置となっている。
【０４９６】
図２６（Ｇ）に示す照明装置７４１０の備える発光部７４１２は、凸状に湾曲した２つ
の発光部が対称的に配置された構成となっている。したがって照明装置７４１０を中心に
全方位を照らすことができる。
【０４９７】
図２６（Ｈ）に示す照明装置７４２０は、凹状に湾曲した発光部７４２２を備える。し
たがって、発光部７４２２からの発光を、照明装置７４２０の前面に集光するため、特定
の範囲を明るく照らす場合に適している。また、このような形態とすることで、影ができ
にくいという効果を奏する。
【０４９８】
また、照明装置７４００、照明装置７４１０及び照明装置７４２０の備える各々の発光
部は可撓性を有していてもよい。発光部を可塑性の部材や可動なフレームなどの部材で固
定し、用途に合わせて発光部の発光面を自在に湾曲可能な構成としてもよい。
【０４９９】
照明装置７４００、照明装置７４１０及び照明装置７４２０は、それぞれ、操作スイッ
チ７４０３を備える台部７４０１と、台部７４０１に支持される発光部を有する。
【０５００】
なおここでは、台部によって発光部が支持された照明装置について例示したが、発光部
を備える筐体を天井に固定する、又は天井からつり下げるように用いることもできる。発
光面を湾曲させて用いることができるため、発光面を凹状に湾曲させて特定の領域を明る
く照らす、又は発光面を凸状に湾曲させて部屋全体を明るく照らすこともできる。
【０５０１】
図２７（Ａ１）、（Ａ２）、（Ｂ）〜（Ｉ）に、可撓性を有する表示部７００１を有す
る携帯情報端末の一例を示す。
【０５０２】
表示部７００１は、本発明の一態様の機能パネル、表示パネル、発光パネル、センサパ
ネル、タッチパネル、表示装置、または入出力装置等を用いて作製される。例えば、曲率
半径０．０１ｍｍ以上１５０ｍｍ以下で曲げることができる表示装置、または入出力装置
等を適用できる。また、表示部７００１はタッチセンサを備えていてもよく、指等で表示
部７００１に触れることで携帯情報端末を操作することができる。本発明の一態様により
、可撓性を有する表示部を備え、且つ信頼性の高い電子機器を提供できる。
【０５０３】
図２７（Ａ１）は、携帯情報端末の一例を示す斜視図であり、図２７（Ａ２）は、携帯
情報端末の一例を示す側面図である。携帯情報端末７５００は、筐体７５０１、表示部７
００１、引き出し部材７５０２、操作ボタン７５０３等を有する。
【０５０４】
携帯情報端末７５００は、筐体７５０１内にロール状に巻かれた可撓性を有する表示部
７００１を有する。
【０５０５】
また、携帯情報端末７５００は内蔵された制御部によって映像信号を受信可能で、受信
した映像を表示部７００１に表示することができる。また、携帯情報端末７５００にはバ
ッテリが内蔵されている。また、筐体７５０１にコネクターを接続する端子部を備え、映
像信号や電力を有線により外部から直接供給する構成としてもよい。
【０５０６】
また、操作ボタン７５０３によって、電源のＯＮ、ＯＦＦ動作や表示する映像の切り替
え等を行うことができる。なお、図２７（Ａ１）、（Ａ２）、（Ｂ）では、携帯情報端末
７５００の側面に操作ボタン７５０３を配置する例を示すが、これに限られず、携帯情報
端末７５００の表示面と同じ面（おもて面）や、裏面に配置してもよい。
【０５０７】
図２７（Ｂ）には、表示部７００１を引き出し部材７５０２により引き出した状態の携
帯情報端末７５００を示す。この状態で表示部７００１に映像を表示することができる。
また、表示部７００１の一部がロール状に巻かれた図２７（Ａ１）の状態と表示部７００
１を引き出し部材７５０２により引き出した図２７（Ｂ）の状態とで、携帯情報端末７５
００が異なる表示を行う構成としてもよい。例えば、図２７（Ａ１）の状態のときに、表
示部７００１のロール状に巻かれた部分を非表示とすることで、携帯情報端末７５００の
消費電力を下げることができる。
【０５０８】
なお、表示部７００１を引き出した際に表示部７００１の表示面が平面状となるように
固定するため、表示部７００１の側部に補強のためのフレームを設けていてもよい。
【０５０９】
なお、この構成以外に、筐体にスピーカを設け、映像信号と共に受信した音声信号によ
って音声を出力する構成としてもよい。
【０５１０】
図２７（Ｃ）〜（Ｅ）に、折りたたみ可能な携帯情報端末の一例を示す。図２７（Ｃ）
では、展開した状態、図２７（Ｄ）では、展開した状態又は折りたたんだ状態の一方から
他方に変化する途中の状態、図２７（Ｅ）では、折りたたんだ状態の携帯情報端末７６０
０を示す。携帯情報端末７６００は、折りたたんだ状態では可搬性に優れ、展開した状態
では、継ぎ目のない広い表示領域により一覧性に優れる。
【０５１１】
表示部７００１はヒンジ７６０２によって連結された３つの筐体７６０１に支持されて
いる。ヒンジ７６０２を介して２つの筐体７６０１間を屈曲させることにより、携帯情報
端末７６００を展開した状態から折りたたんだ状態に可逆的に変形させることができる。
【０５１２】
図２７（Ｆ）、（Ｇ）に、折りたたみ可能な携帯情報端末の一例を示す。図２７（Ｆ）
では、表示部７００１が内側になるように折りたたんだ状態、図２７（Ｇ）では、表示部
７００１が外側になるように折りたたんだ状態の携帯情報端末７６５０を示す。携帯情報
端末７６５０は表示部７００１及び非表示部７６５１を有する。携帯情報端末７６５０を
使用しない際に、表示部７００１が内側になるように折りたたむことで、表示部７００１
の汚れや傷つきを抑制できる。
【０５１３】
図２７（Ｈ）に、可撓性を有する携帯情報端末の一例を示す。携帯情報端末７７００は
、筐体７７０１及び表示部７００１を有する。さらに、入力手段であるボタン７７０３ａ
、７７０３ｂ、音声出力手段であるスピーカ７７０４ａ、７７０４ｂ、外部接続ポート７
７０５、マイク７７０６等を有していてもよい。また、携帯情報端末７７００は、可撓性
を有するバッテリ７７０９を搭載することができる。バッテリ７７０９は例えば表示部７
００１と重ねて配置してもよい。
【０５１４】
筐体７７０１、表示部７００１、及びバッテリ７７０９は可撓性を有する。そのため、
携帯情報端末７７００を所望の形状に湾曲させることや、携帯情報端末７７００に捻りを
加えることが容易である。例えば、携帯情報端末７７００は、表示部７００１が内側又は
外側になるように折り曲げて使用することができる。または、携帯情報端末７７００をロ
ール状に巻いた状態で使用することもできる。このように筐体７７０１及び表示部７００
１を自由に変形することが可能であるため、携帯情報端末７７００は、落下した場合、又
は意図しない外力が加わった場合であっても、破損しにくいという利点がある。
【０５１５】
また、携帯情報端末７７００は軽量であるため、筐体７７０１の上部をクリップ等で把
持してぶら下げて使用する、又は、筐体７７０１を磁石等で壁面に固定して使用するなど
、様々な状況において利便性良く使用することができる。
【０５１６】
図２７（Ｉ）に腕時計型の携帯情報端末の一例を示す。携帯情報端末７８００は、バン
ド７８０１、表示部７００１、入出力端子７８０２、操作ボタン７８０３等を有する。バ
ンド７８０１は、筐体としての機能を有する。また、携帯情報端末７８００は、可撓性を
有するバッテリ７８０５を搭載することができる。バッテリ７８０５は例えば表示部７０
０１やバンド７８０１と重ねて配置してもよい。
【０５１７】
バンド７８０１、表示部７００１、及びバッテリ７８０５は可撓性を有する。そのため
、携帯情報端末７８００を所望の形状に湾曲させることが容易である。
【０５１８】
操作ボタン７８０３は、時刻設定のほか、電源のオン、オフ動作、無線通信のオン、オ
フ動作、マナーモードの実行及び解除、省電力モードの実行及び解除など、様々な機能を
持たせることができる。例えば、携帯情報端末７８００に組み込まれたオペレーティング
システムにより、操作ボタン７８０３の機能を自由に設定することもできる。
【０５１９】
また、表示部７００１に表示されたアイコン７８０４に指等で触れることで、アプリケ
ーションを起動することができる。
【０５２０】
また、携帯情報端末７８００は、通信規格に準拠した近距離無線通信を実行することが
可能である。例えば無線通信可能なヘッドセットと相互通信することによって、ハンズフ
リーで通話することもできる。
【０５２１】
また、携帯情報端末７８００は入出力端子７８０２を有していてもよい。入出力端子７
８０２を有する場合、他の情報端末とコネクターを介して直接データのやりとりを行うこ
とができる。また入出力端子７８０２を介して充電を行うこともできる。なお、本実施の
形態で例示する携帯情報端末の充電動作は、入出力端子を介さずに非接触電力伝送により
行ってもよい。
【０５２２】
図２８（Ａ）、（Ｂ）、（Ｃ）に折り畳み可能な腕時計型の携帯情報端末の一例を示す
。携帯情報端末７９００は、表示部７９０１、筐体７９０２、筐体７９０３、バンド７９
０４、操作ボタン７９０５等を有する。
【０５２３】
携帯情報端末７９００は、図２８（Ａ）に示すように筐体７９０２が筐体７９０３上に
重ねられた状態から、図２８（Ｂ）に示すように筐体７９０２を持ち上げることにより、
図２８（Ｃ）に示すように、表示部７９０１が展開された状態に可逆的に変形させること
ができる。そのため携帯情報端末７９００は、例えば通常は表示部７９０１を折り畳んだ
状態で使用することが可能で、また表示部７９０１を展開することにより表示領域を広げ
て使用することができる。
【０５２４】
また、表示部７９０１がタッチパネルとしての機能を有することで、表示部７９０１を
触れることで携帯情報端末７９００を操作することができる。また操作ボタン７９０５を
押す、回す、若しくは上下方向、手前方向、または奥行方向にずらすなどの操作により、
携帯情報端末７９００を操作することができる。
【０５２５】
図２８（Ａ）に示すように、筐体７９０２と筐体７９０３とが重なった状態のとき、筐
体７９０２と筐体７９０３とが意図せずに離れないようにロック機構を有することが好ま
しい。このとき、例えば操作ボタン７９０５を押すなどの操作により、ロック状態を解除
できる構成とすることが好ましい。また、バネなどの復元力を利用して、ロック状態を解
除したときに、図２８（Ａ）に示す状態から図２８（Ｃ）に示す状態に自動的に変形する
機構を有していてもよい。または、ロック機構に代えて磁石を用い、筐体７９０２と筐体
７９０３の相対的な位置を固定してもよい。磁石を用いることで容易に筐体７９０２と筐
体７９０３とを脱着させることができる。
【０５２６】
図２８（Ａ）、（Ｂ）、（Ｃ）では、バンド７９０４の曲がる向きに対して概略垂直な
方向に表示部７９０１が展開できる構成を示したが、図２８（Ｄ）、（Ｅ）に示すように
、バンド７９０４の曲がる向きに概略平行な方向に表示部７９０１を展開できる構成とし
てもよい。またこのとき、バンド７９０４に巻きつけるように、表示部７９０１を湾曲さ
せて用いてもよい。
【０５２７】
本実施の形態において述べた電子機器は、何らかの情報を表示するための表示部を有す
ることを特徴とする。該表示部に、本発明の一態様の表示パネル、タッチパネル、または
タッチパネルモジュール等の表示装置を適用することができる。
【０５２８】
本実施の形態は、少なくともその一部を本明細書中に記載する他の実施の形態と適宜組
み合わせて実施することができる。
【実施例】
【０５２９】
以下では、本発明の一態様の表示装置を作製し、その断面観察を行った結果について説
明する。本実施例で作製した表示装置の断面構造は図９を援用することができる。
【０５３０】
［表示装置の作製］
まず、ガラス基板上にトランジスタ、及びトランジスタと接続する配線等を形成した。
トランジスタ（トランジスタ２０１、トランジスタ２０２、トランジスタ２０５等）とし
ては、チャネルが形成される半導体に酸化物半導体を用いたボトムゲート構造のトランジ
スタを適用した。ここで、本実施例では、酸化物半導体として膜面に垂直方向にｃ軸が配
向した結晶性の酸化物半導体（ＣＡＡＣ−ＯＳ：Ｃ−Ａｘｉｓ  Ａｌｉｇｎｅｄ  Ｃｒｙ
ｓｔａｌｌｉｎｅ−Ｏｘｉｄｅ  Ｓｅｍｉｃｏｎｄｕｃｔｏｒ）を用いた。
【０５３１】
ＣＡＡＣ−ＯＳは、膜面に対して、結晶のｃ軸が概略垂直配向した結晶性酸化物半導体
のことである。酸化物半導体の結晶構造としては他にナノスケールの微結晶集合体である
ｎａｎｏ−ｃｒｙｓｔａｌ（ｎｃ）など、単結晶とは異なる多彩な構造が存在することが
確認されている。ＣＡＡＣ−ＯＳは、単結晶よりも結晶性が低く、ｎｃに比べて結晶性が
高い。ＣＡＡＣ−ＯＳは結晶粒界が確認されないという特徴を有するため、大面積に安定
で均一な膜を形成することが可能で、また可撓性を有する発光装置を湾曲させたときの応
力によってＣＡＡＣ−ＯＳ膜にクラックが生じにくい。
【０５３２】
本実施例では、酸化物半導体材料としてＩｎ−Ｇａ−Ｚｎ系酸化物を用いた。
【０５３３】
続いて、トランジスタ及び配線等を覆う絶縁層上に、画素電極として機能する第１の電
極を形成した。第１の電極としては、チタン膜、アルミニウム膜及びチタン膜の積層構造
とした。続いて、第１の電極の端部を覆う絶縁層を形成した。当該絶縁層には厚さ約２μ
ｍの感光性のポリイミドを用いた。その後、当該絶縁層上に構造体を形成した。構造体に
は厚さ約１．２５μｍの感光性のポリイミドを用いた。
【０５３４】
続いて、ＥＬ層及び第２の電極をそれぞれ蒸着法により成膜し、発光素子を形成した。
ここでＥＬ層及び第２の電極はメタルマスクを用いずに、表示領域全域に亘って形成した
。
【０５３５】
また、上記とは異なるガラス基板上に、遮光層を形成した。遮光層としては、厚さ約０
．６μｍのブラックマトリクスを用いた。続いて、赤色の着色層（Ｒ）、緑色の着色層（
Ｇ）、及び青色の着色層（Ｂ）をそれぞれ形成した。各々の厚さは、着色層（Ｒ）を約２
．０μｍ、着色層（Ｇ）を約１．５μｍ、着色層（Ｂ）を約１．５μｍとした。
【０５３６】
続いて、２枚のガラス基板を接着剤により貼り合せ、接着剤を硬化させた。接着剤は着
色層が形成された基板側に、スクリーン印刷法により形成した。接着剤は熱硬化性のエポ
キシを用いた。また基板の貼り合せは減圧雰囲気下で行った。
【０５３７】
本実施例で作製した表示装置に対して、表示領域全域に白色表示させ、表示面に対して
垂直方向と斜め方向から目視で観察した。その結果、斜め方向から見た場合であっても、
色度及び輝度の変化が極めて小さいことが確認できた。
【０５３８】
［断面観察結果］
作製した表示装置をイオンミリング法により加工し、その断面を走査型電子顕微鏡（Ｓ
ＥＭ：Ｓｃａｎｎｉｎｇ  Ｅｌｅｃｔｒｏｎ  Ｍｉｃｒｏｓｃｏｐｅ）により観察した。
【０５３９】
観察した断面像を図２９（Ａ）、（Ｂ）に示す。図２９（Ａ）、（Ｂ）は同じ断面像で
あり、図２９（Ｂ）は明瞭化のため、図２９（Ａ）における各層の輪郭を破線で示した図
である。
【０５４０】
なお、図２９（Ａ）、（Ｂ）において、ＥＬ層の一部に空洞がみられるが、これは断面
観察のための加工の際に形成されたものである。
【０５４１】
図２９（Ａ）、（Ｂ）には２つの構造体が示されている。左の構造体は着色層（Ｒ）と
着色層（Ｂ）の間に位置し、右の構造体は着色層（Ｒ）と着色層（Ｇ）の間に位置する。
また、いずれの構造体も、着色層（Ｒ）の下面よりも高い位置に設けられている部分を有
することが確認できた。
【０５４２】
作製した表示装置は、絶縁層の開口部において、第１の電極と着色層（Ｒ）の距離（高
さの差）が約１．０μｍである領域を有することが確認できた。また絶縁層の開口部にお
いて、第２の電極と着色層（Ｒ）の距離が約０．７μｍである領域を有することが確認で
きた。また絶縁層の開口部において、第１の電極と遮光層の距離が約２．８μｍである領
域を有することが確認できた。また絶縁層の開口部において、第２の電極と遮光層の距離
が約２．５μｍである領域を有することが確認できた。
【０５４３】
また、表示装置は、構造体と遮光層の距離が約１．５μｍである領域を有することが確
認できた。また構造体上において、第２の電極と遮光層の距離が約１．２μｍであること
が確認できた。
【０５４４】
また、構造体はテーパ角（構造体の底面と側面の成す角）が約４５度乃至７０度の範囲
の順テーパ形状であった。また構造体を覆うＥＬ層の一部が、第１の電極上のＥＬ層の厚
さよりも薄く形成されていることが確認できた。
【０５４５】
以上より、本実施例で作製した表示装置は、一対の基板間の距離が極めて小さいことが
確認できた。また目視による観察により、視野角特性が高められていることが確認できた
。
【０５４６】
以上が本実施例についての説明である。
【符号の説明】
【０５４７】
１０    表示装置
１１    構造体
１１ａ    部分
１２    構造体
２１    基板
２３    導電層
２４    ＥＬ層
２４ａ    ＥＬ層
２４ｂ    ＥＬ層
２５    導電層
３１    基板
３２    表示部
３４    回路
３５    配線
３９    接着層
４０    発光素子
４２    ＦＰＣ
４３    ＩＣ
５１ａ    着色層
５１ｂ    着色層
５１ｃ    着色層
５２    遮光層
６０    液晶素子
６１    導電層
６２    液晶
６３    導電層
６４    絶縁層
６５    絶縁層
７０    トランジスタ
７１    導電層
７２    半導体層
７３    絶縁層
７４ａ    導電層
７４ｂ    導電層
８１    絶縁層
８１ａ    絶縁層
８１ｂ    絶縁層
８１ｃ    絶縁層
８２    絶縁層
８２ａ    部分
９０    トランジスタ
９１    単結晶基板
９５ａ    接続層
９５ｂ    接続層
９６    導電層
１００    タッチパネル
１１１    導電層
１１２    ＥＬ層
１１３    導電層
１３０    偏光板
１３１    着色層
１３１ａ    着色層
１３１ｂ    着色層
１３２    遮光層
１３３    遮光層
１３４    着色層
１４１    接着層
１４２    接着層
１４６    導電膜
１４７    導電膜
１４８    導電膜
１４９    ナノワイヤ
１５０    入力装置
１５１    電極
１５２    電極
１５３    ブリッジ電極
１５５    配線
１５６    配線
１５７    ＦＰＣ
１５８    ＩＣ
１６０    基板
１６１    絶縁層
１６２    絶縁層
１６３    絶縁層
１６４    絶縁層
１６５    接着層
１６８    ＩＣ
１６９    接続部
１７０    基板
１７１    基板
１７２    接着層
１７３    絶縁層
１８１    基板
１８２    接着層
１８３    絶縁層
１９１    導電層
１９２    導電層
１９３    液晶
１９４    導電層
１９５    絶縁層
２００    表示装置
２０１    トランジスタ
２０２    トランジスタ
２０３    容量素子
２０４    端子部
２０５    トランジスタ
２０６    トランジスタ
２０７    端子部
２１０    画素
２１１    絶縁層
２１２    絶縁層
２１３    絶縁層
２１４    絶縁層
２１５    絶縁層
２１６    絶縁層
２２０    絶縁層
２２１    導電層
２２２    導電層
２２３    導電層
２２４    導電層
２３１    半導体層
２４２    接続層
２４３    接続体
２５１    開口
２５２    接続部
６０１    パルス電圧出力回路
６０２    電流検出回路
６０３    容量
６２１    電極
６２２    電極
７０５    絶縁層
７０６    電極
７０７    絶縁層
７０８    半導体層
７１０    絶縁層
７１１    絶縁層
７１４    電極
７１５    電極
７２２    絶縁層
７２３    電極
７２６    絶縁層
７２７    絶縁層
７２８    絶縁層
７２９    絶縁層
７４１    絶縁層
７４２    半導体層
７４４ａ    電極
７４４ｂ    電極
７４６    電極
７５５    不純物
７７１    基板
７７２    絶縁層
８１０    トランジスタ
８１１    トランジスタ
８２０    トランジスタ
８２１    トランジスタ
８２５    トランジスタ
８２６    トランジスタ
８３０    トランジスタ
８３１    トランジスタ
８４０    トランジスタ
８４１    トランジスタ
８４２    トランジスタ
８４３    トランジスタ
８４４    トランジスタ
８４５    トランジスタ
８４６    トランジスタ
８４７    トランジスタ
５０００    筐体
５００１    表示部
５００２    表示部
５００３    スピーカ
５００４    ＬＥＤランプ
５００５    操作キー
５００６    接続端子
５００７    センサ
５００８    マイクロフォン
５００９    スイッチ
５０１０    赤外線ポート
５０１１    記録媒体読込部
５０１２    スタンド
５０１３    リモコン操作機
５０１４    アンテナ
５０１５    シャッターボタン
５０１６    受像部
５０１７    充電器
５０１８    バンド
５０１９    留め金
５０２０    アイコン
５０２１    アイコン
７０００    表示部
７００１    表示部
７１００    携帯電話機
７１０１    筐体
７１０３    操作ボタン
７１０４    外部接続ポート
７１０５    スピーカ
７１０６    マイク
７２００    テレビジョン装置
７２０１    筐体
７２０３    スタンド
７２１１    リモコン操作機
７３００    携帯情報端末
７３０１    筐体
７３０２    操作ボタン
７３０３    情報
７３０４    情報
７３０５    情報
７３０６    情報
７３１０    携帯情報端末
７３２０    携帯情報端末
７４００    照明装置
７４０１    台部
７４０２    発光部
７４０３    操作スイッチ
７４１０    照明装置
７４１２    発光部
７４２０    照明装置
７４２２    発光部
７５００    携帯情報端末
７５０１    筐体
７５０２    部材
７５０３    操作ボタン
７６００    携帯情報端末
７６０１    筐体
７６０２    ヒンジ
７６５０    携帯情報端末
７６５１    非表示部
７７００    携帯情報端末
７７０１    筐体
７７０３ａ    ボタン
７７０３ｂ    ボタン
７７０４ａ    スピーカ
７７０４ｂ    スピーカ
７７０５    外部接続ポート
７７０６    マイク
７７０９    バッテリ
７８００    携帯情報端末
７８０１    バンド
７８０２    入出力端子
７８０３    操作ボタン
７８０４    アイコン
７８０５    バッテリ
７９００    携帯情報端末
７９０１    表示部
７９０２    筐体
７９０３    筐体
７９０４    バンド
７９０５    操作ボタン
８０００    表示モジュール
８００１    上部カバー
８００２    下部カバー
８００３    ＦＰＣ
８００４    タッチパネル
８００９    フレーム
８０１０    プリント基板
８０１１    バッテリ
【図１】
2019185064.tif 000003
【図２】
2019185064.tif 000004
【図３】
2019185064.tif 000005
【図４】
2019185064.tif 000006
【図５】
2019185064.tif 000007
【図６】
2019185064.tif 000008
【図７】
2019185064.tif 000009
【図８】
2019185064.tif 000010
【図９】
2019185064.tif 000011
【図１０】
2019185064.tif 000012
【図１１】
2019185064.tif 000013
【図１２】
2019185064.tif 000014
【図１３】
2019185064.tif 000015
【図１４】
2019185064.tif 000016
【図１５】
2019185064.tif 000017
【図１６】
2019185064.tif 000018
【図１７】
2019185064.tif 000019
【図１８】
2019185064.tif 000020
【図１９】
2019185064.tif 000021
【図２０】
2019185064.tif 000022
【図２１】
2019185064.tif 000023
【図２２】
2019185064.tif 000024
【図２３】
2019185064.tif 000025
【図２４】
2019185064.tif 000026
【図２５】
2019185064.tif 000027
【図２６】
2019185064.tif 000028
【図２７】
2019185064.tif 000029
【図２８】
2019185064.tif 000030
【図２９】
2019185064.tif 000031
【図３０】
2019185064.tif 000032
【図３１】
2019185064.tif 000033
【図３２】
2019185064.tif 000034